(57)【特許請求の範囲】
【請求項１】
支持対象に対して開閉可能に支持され、当該支持対象に対して開放することにより遊技機内部又は背面側が遊技機前方に開放される開閉体と、遊技の進行を可能とする処理を実行し、且つ遊技結果に応じた特典の付与を可能とする処理を実行する遊技制御手段と、を備え、当該遊技制御手段により各種処理が実行されることにより遊技が進行し且つ遊技結果に応じて特典が付与される遊技機において、
複数段階の待機状態が予め設定されており、且つ外部電源からの電力供給の少なくとも遮断中において前記開閉体が開閉操作された場合、前記待機状態が前記開閉操作前の状態から変更される監視手段と、
前記外部電源から遊技機への電力供給が遮断された場合における前記監視手段の待機状態を記憶する記憶手段と、
前記監視手段の待機状態を把握する把握手段と、
前記外部電源からの電力供給が開始された場合に、前記記憶手段に記憶されている待機状態と前記把握手段により把握された待機状態とを比較する比較手段と、
当該比較手段による比較結果が、前記記憶手段に記憶されていた待機状態と前記把握手段により把握された待機状態とが一致しない比較結果であった場合に、前記遊技制御手段により実行される前記各種処理のうち少なくとも一部の処理の実行を規制する規制手段と
を備え、
前記監視手段は、
前記支持対象に対して前記開閉体が閉鎖されている場合に押圧力が付与されて第１位置に待機し、前記支持対象に対して前記開閉体が開放された場合に前記押圧力の付与が解除されて前記第１位置から第２位置に移動する移動体と、
予め設定された複数の待機位置に段階的に移動可能に設けられ、前記移動体が前記第１位置から前記第２位置に移動したこと又は前記第２位置から前記第１位置に移動したことの少なくとも一方に機械的に連動して、一の待機位置から次の待機位置に移動する連動体と、
前記複数段階の待機状態として複数段階の検知状態が予め設定されており、前記連動体の待機位置に応じて前記検知状態が変更される検知手段と、
前記外部電源から遊技機への電力供給が遮断された場合に前記連動体を駆動させることにより、前記待機状態を複数段階の前記待機状態のうち予め設定された所定の待機状態とする駆動手段と
を有していることを特徴とする遊技機。
【発明の詳細な説明】
【技術分野】
【０００１】
本発明は、遊技機に関するものである。
【背景技術】
【０００２】
パチンコ機等の遊技機には、外枠に対して開閉可能に取り付けられた本体枠と、本体枠に対して開閉可能に取り付けられた前面扉とを備えているものがある。また、遊技機には、制御装置が設けられているとともに、外枠に対する本体枠の開放や本体枠に対する前面扉の開放を検知する開放スイッチが設けられているものもある。この種の遊技機においては、前面扉や本体枠が開放された場合には、それらの開放が開放スイッチにより検知され、その検知結果が制御装置に入力される。制御装置では、開放スイッチからの検知結果に基づいて前面扉や本体枠が開放されたと判断した場合、スピーカ部やランプ部を用いてその旨の報知などを実行する（例えば、特許文献１参照）。
【０００３】
上記遊技機においては、例えば前面扉を開放し、本体枠の前面側に設けられた遊技領域等に対して不正を行う行為や、本体枠を開放し、本体枠の背面側に搭載された制御装置等に対して不正を行う行為が想定される。遊技機の電源が投入されている状況では、上記のとおり、前面扉や本体枠等の開放が制御装置において把握され、それに対して報知処理などが実行されるため、遊技ホールの管理者等は上記不正行為に対処することができる。
【先行技術文献】
【特許文献】
【０００４】
【特許文献１】特開２００２−３２０７４４号公報
【発明の概要】
【発明が解決しようとする課題】
【０００５】
ここで、遊技ホールでは一般的に、閉店後に遊技機の電源が遮断される。これにより、例えば遊技機の継続的な通電に起因した遊技部品等の劣化を抑制したり省エネルギ化に貢献したりしている。但し、遊技機の電源遮断後には、制御装置への電力の供給が停止され、前面扉や本体枠等の開閉体が開放されたことを制御装置にて把握することができず、それに伴って上記のような報知処理などは実行されない。したがって、従来の遊技機では、電源遮断中における上記不正行為に対処することができなかった。
【０００６】
本発明は、上記例示した事情等に鑑みてなされたものであり、遊技機への電力供給が遮断された状態において開閉体が開放された場合であっても、その開放があったことを好適に発見することができる遊技機を提供することを目的とするものである。
【課題を解決するための手段】
【０００７】
本発明は、
支持対象に対して開閉可能に支持され、当該支持対象に対して開放することにより遊技機内部又は背面側が遊技機前方に開放される開閉体と、遊技の進行を可能とする処理を実行し、且つ遊技結果に応じた特典の付与を可能とする処理を実行する遊技制御手段と、を備え、当該遊技制御手段により各種処理が実行されることにより遊技が進行し且つ遊技結果に応じて特典が付与される遊技機において、
複数段階の待機状態が予め設定されており、且つ外部電源からの電力供給の少なくとも遮断中において前記開閉体が開閉操作された場合、前記待機状態が前記開閉操作前の状態から変更される監視手段と、
前記外部電源から遊技機への電力供給が遮断された場合における前記監視手段の待機状態を記憶する記憶手段と、
前記監視手段の待機状態を把握する把握手段と、
前記外部電源からの電力供給が開始された場合に、前記記憶手段に記憶されている待機状態と前記把握手段により把握された待機状態とを比較する比較手段と、
当該比較手段による比較結果が、前記記憶手段に記憶されていた待機状態と前記把握手段により把握された待機状態とが一致しない比較結果であった場合に、前記遊技制御手段により実行される前記各種処理のうち少なくとも一部の処理の実行を規制する規制手段と
を備え、
前記監視手段は、
前記支持対象に対して前記開閉体が閉鎖されている場合に押圧力が付与されて第１位置に待機し、前記支持対象に対して前記開閉体が開放された場合に前記押圧力の付与が解除されて前記第１位置から第２位置に移動する移動体と、
予め設定された複数の待機位置に段階的に移動可能に設けられ、前記移動体が前記第１位置から前記第２位置に移動したこと又は前記第２位置から前記第１位置に移動したことの少なくとも一方に機械的に連動して、一の待機位置から次の待機位置に移動する連動体と、
前記複数段階の待機状態として複数段階の検知状態が予め設定されており、前記連動体の待機位置に応じて前記検知状態が変更される検知手段と、
前記外部電源から遊技機への電力供給が遮断された場合に前記連動体を駆動させることにより、前記待機状態を複数段階の前記待機状態のうち予め設定された所定の待機状態とする駆動手段と
を有していることを特徴とする。
【発明の効果】
【０００８】
遊技機への電力供給が遮断された状態において開閉体が開放された場合であっても、その開放があったことを好適に発見することができる。
【図面の簡単な説明】
【０００９】
【図１】第１の実施形態におけるパチンコ機を示す正面図である。
【図２】パチンコ機の主要な構成を展開して示す斜視図である。
【図３】パチンコ機の主要な構成を展開して示す斜視図である。
【図４】パチンコ機の構成を示す背面図である。
【図５】前扉枠の構成を示す背面図である。
【図６】本体枠の構成を示す正面図である。
【図７】遊技盤の構成を示す正面図である。
【図８】本体枠の構成を示す背面図である。
【図９】遊技盤の背面構成を示す斜視図である。
【図１０】遊技盤から主制御装置ユニットを取り外した状態を示す背面図である。
【図１１】主制御装置ユニットの構成を示す斜視図である。
【図１２】裏パックユニットの構成を示す正面図である。
【図１３】裏パックユニットの分解斜視図である。
【図１４】第１監視装置を説明するための説明図である。
【図１５】第２監視装置を説明するための説明図である。
【図１６】監視装置の構成を示す斜視図である。
【図１７】監視装置の構成を示す分解斜視図である。
【図１８】監視装置の構成を示す断面図である。
【図１９】（ａ）蓋用ケース体の構成を示す側面図、（ｂ）プッシャの構成を示す側面図、（ｃ）回転子の構成を示す側面図、（ｄ）円盤の構成を示す側面図、（ｅ）回転軸体の構成を示す側面図である。
【図２０】プッシャの移動に連動した円盤の回転動作を説明するための説明図である。
【図２１】蓋用ケース体の筒状領域、プッシャの開放部側及び回転子の大径部を展開して示す説明図である。
【図２２】検知装置の構成を示す平面図である。
【図２３】（ａ）円盤の構成を示す平面図、（ｂ）（ａ）のＡ―Ａ線断面図である。
【図２４】円盤によって電気的に導通される金属端子の組合せと当該円盤の待機位置との関係について説明するための説明図である。
【図２５】円盤によって電気的に導通される金属端子の組合せと当該円盤の待機位置との関係について説明するための説明図である。
【図２６】検知装置からの検知信号パターンの切り替わりタイミングを説明するための説明図である。
【図２７】パチンコ機の電気的構成を示すブロック図である。
【図２８】主制御回路のＣＰＵによるＮＭＩ割込み処理を示すフローチャートである。
【図２９】タイマ割込み処理を示すフローチャートである。
【図３０】メイン処理を示すフローチャートである。
【図３１】通常処理を示すフローチャートである。
【図３２】電源遮断中における前扉枠及び遊技機主部の不正開放の監視に関する電気的構成を示すブロック図である。
【図３３】通常時更新処理を示すフローチャートである。
【図３４】第１更新処理を示すフローチャートである。
【図３５】電断時更新処理を示すフローチャートである。
【図３６】第２の実施形態における監視装置を説明するための説明図である。
【図３７】第３の実施形態におけるスロットマシンを説明するための斜視図である。
【図３８】第４の実施形態におけるタイマ割込み処理を示すフローチャートである。
【図３９】第４の実施形態におけるメイン処理を示すフローチャートである。
【図４０】第４の実施形態における前扉枠及び遊技機主部の開放の監視に関する電気的構成を示すブロック図である。
【図４１】第４の実施形態における前扉枠開放監視処理を示すフローチャートである。
【図４２】第４の実施形態における電断時更新処理を示すフローチャートである。
【図４３】第４の実施形態における前扉枠更新処理を示すフローチャートである。
【図４４】第５の実施形態における前扉枠開放監視処理を示すフローチャートである。
【図４５】第６の実施形態における監視装置の構成を示す斜視図である。
【図４６】第６の実施形態における円盤によって電気的に導通される金属端子の組合せと当該円盤の待機位置との関係について説明するための説明図である。
【図４７】第６の実施形態における検知装置からの検知信号パターンの切り替わりタイミングを説明するための説明図である。
【図４８】第６の実施形態における前扉枠及び遊技機主部の開放の監視に関する電気的構成を示すブロック図である。
【図４９】第６の実施形態におけるタイマ割込み処理を示すフローチャートである。
【図５０】第６の実施形態における前扉枠開放監視処理を示すフローチャートである。
【図５１】第６の実施形態におけるメイン処理を示すフローチャートである。
【図５２】第７の実施形態における前扉枠開放監視処理を示すフローチャートである。
【図５３】第８の実施形態におけるメイン処理を示すフローチャートである。
【図５４】第９の実施形態における前扉枠及び遊技機主部の開放の監視に関する電気的構成を示すブロック図である。
【図５５】第９の実施形態におけるメイン処理を示すフローチャートである。
【図５６】第９の実施形態における解除処理を示すフローチャートである。
【図５７】別の監視装置を説明するための説明図である。
【図５８】別の実施形態におけるメイン処理を示すフローチャートである。
【図５９】別の実施形態における通常処理を示すフローチャートである。
【図６０】別の実施形態におけるタイマ割込み処理を示すフローチャートである。
【発明を実施するための形態】
【００１０】
はじめに、本実施の形態から抽出され得る発明を、必要に応じて効果等を示しつつ説明する。
【００１１】
以下の各手段は、「遊技機の一種であるパチンコ機は、外枠に対して開閉可能に取り付けられた本体枠と、本体枠に対して開閉可能に取り付けられた前面扉とを備えている。また、パチンコ機には、制御装置が設けられているとともに、外枠に対する本体枠の開放や本体枠に対する前面扉の開放を検知する開放スイッチが設けられている。そして、前面扉や本体枠が開放された場合には、それらの開放が開放スイッチにより検知され、その検知結果が制御装置に入力される。制御装置では、開放スイッチからの検知結果に基づいて前面扉や本体枠が開放されたと判断した場合、スピーカ部やランプ部を用いてその旨の報知などを実行する（例えば、特許文献１参照）。ここで、パチンコ機においては、前面扉を開放し、本体枠の前面側に設けられた遊技領域に対して不正を行う行為が想定される。また、本体枠を開放し、本体枠の背面側に搭載された制御装置に対して不正を行う行為が想定される。これに対して、パチンコ機の電源が投入されている状況では、上記のとおり、前面扉や本体枠の開放が制御装置において把握され、それに対して報知処理などが実行されるため、遊技ホールの管理者等は上記不正行為に対処することができる。しかしながら、遊技ホールでは通常、パチンコ機の継続的な通電に起因した遊技部品等の劣化を抑制したり省エネルギ化を実現したりするために、閉店後にはパチンコ機の電源を遮断している。パチンコ機の電源遮断後には、制御装置への電力の供給が停止され、前面扉や本体枠が開放されたことを制御装置にて把握することができず、それに伴って上記のような報知処理などは実行されない。したがって、従来のパチンコ機では、電源遮断中における上記不正行為に対処することができなかった。なお、上記問題は、パチンコ機に限って発生するものではなく、前面扉や本体枠などの開閉体を有する他の遊技機にも同様に発生するものである。」という技術背景及び課題等を解決するためになされたものである。
【００１２】
手段１．支持対象に対して開閉可能に支持され、当該支持対象に対して開放することにより遊技機内部又は背面側が遊技機前方に開放される開閉体（遊技機主部１２、前扉枠１４等）と、遊技の進行を可能とする処理（ＣＰＵ３１１による通常処理，タイマ割込み処理を行う機能）を実行するとともに、遊技結果に応じた特典の付与を可能とする処理（ＣＰＵ３１１による始動入賞処理を実行する機能）を実行する遊技制御手段（主制御装置１６２）と、を備え、当該遊技制御手段により各種処理が実行されることにより遊技が進行するとともに遊技結果に応じて特典が付与される遊技機において、
複数段階の待機状態が予め設定されているとともに、外部電源からの電力供給の少なくとも遮断中において、前記開閉体が開閉操作された場合、前記待機状態が前記開閉操作前の状態から変更される監視手段（監視装置２５０）と、
前記外部電源から遊技機への電力供給が遮断された場合における前記監視手段の待機状態を記憶する記憶手段（ＲＡＭ３１３の第１検知状態格納エリア３１３ａ，第２検知状態格納エリア３１３ｂ）と、
前記監視手段の待機状態を把握する把握手段（ＣＰＵ３１１における検知状態把握処理を行う機能）と、
前記外部電源からの電力供給が開始された場合に、前記記憶手段に記憶されている待機状態と前記把握手段により把握された待機状態とを比較する比較手段（ＣＰＵ３１１におけるステップＳ１８０８の比較処理を行う機能）と、
当該比較手段による比較結果が、前記記憶手段に記憶されていた待機状態と前記把握手段により把握された待機状態とが一致しない比較結果であった場合に、前記遊技制御手段により実行される前記各種処理のうち少なくとも一部の処理の実行を規制する規制手段（ＣＰＵ３１１におけるステップＳ１８１７以下の処理を行う機能）と、
を備えていることを特徴とする遊技機。
【００１３】
手段１の遊技機では、遊技制御手段により各種処理が行われることにより、遊技が進行することとなる。
【００１４】
当該構成において、複数段階の待機状態を有する監視手段が設けられており、外部電源からの電力供給の遮断中に開閉体が開閉操作された場合には、待機状態が当該操作前の状態から変更される。そして、電力供給が遮断された状態から電力供給が開始された場合には、電力供給が遮断された場合における待機状態と、電力供給が開始された後に把握された待機状態とが比較される。これにより、例えば、電力供給が遮断されている状況において開閉体が不正に開閉操作されていた場合には両待機状態が一致しない旨の比較結果となることで、電力供給が遮断されている状況において開閉体の開閉操作がなされたことを把握することができる。よって、上記開閉体の開閉操作がなされたことに対する対処を行うことが可能となる。
【００１５】
上記開閉体の開閉操作がなされた場合には、遊技機に対して何らかの不正行為がなされたことが考えられる。仮に、不正行為がなされたにも関わらず不正行為がなされていない場合と同様の制御を行うとすると、遊技機を設置している遊技ホール等にて不利益が発生することが考えられる。これに対して本手段では、電力供給が遮断されている状況において開閉体の開閉操作がなされた場合に各種処理のうち少なくとも一部の処理の実行が規制される。これにより、上記開閉体の開閉操作がなされた場合に、上記開閉体の開閉操作がなされていない場合と同様に遊技が進行してしまうことを規制できる。よって、不正行為がなされた可能性がある場合には一部の処理の実行が規制されることにより、遊技ホール等にて不利益が発生することを抑制できる。
【００１６】
なお、「前記開閉体が開閉操作された場合、前記待機状態が当該開閉操作前の状態から変更される」には、「閉鎖状態にある前記開閉体が開放操作されたこと又は開放状態にある前記開閉体が閉鎖操作されたことの少なくとも一方に基づいて前記待機状態が変更されるとともに、閉鎖操作後には前記待機状態が開閉操作前の状態から変更される」構成も含まれる。また、「前記外部電源から遊技機への電力供給が遮断された場合における前記監視手段の待機状態を記憶する」には、遊技機の電源が遮断されるタイミングにて監視手段の待機状態を記憶するものだけでなく、遊技機に電源が投入されている状態において定期的に監視手段の待機状態を記憶することで、外部電源から遊技機への電力供給が遮断される場合における監視手段の待機状態を記憶するものも含まれる。さらに、「遊技の進行を可能にする処理」には、遊技者が遊技を行うことを可能にする処理のことであり、例えば、遊技球を遊技領域に発射し、その遊技球が入球部に入球することによって遊技が進行する遊技機において、遊技球を発射する処理や、遊技球が入球部に入球したことを判定する処理が含まれる。また、絵柄の変動表示が行われ、変動表示が終了した場合の停止結果によって遊技結果を教示する遊技機において、遊技結果の抽選を行う処理や、変動表示の停止結果を決定する処理が含まれる。さらには、変動表示が終了した場合の停止結果に対応して特典が付与される遊技機において、役の抽選を行う処理や、変動表示の停止結果を決定する処理が含まれる。これらは、以下の独立手段においても同様である。
【００１７】
手段２．支持対象に対して開閉可能に支持され、当該支持対象に対して開放することにより遊技機内部又は背面側が遊技機前方に開放される開閉体（遊技機主部１２、前扉枠１４等）と、遊技の進行を可能とする処理を実行するとともに、遊技結果に応じた特典の付与を可能とする処理を実行する遊技制御手段（主制御装置１６２）と、を備え、当該遊技制御手段により各種処理が実行されることにより遊技が進行するとともに遊技結果に応じて特典が付与される遊技機において、
複数段階の待機状態が予め設定されているとともに、外部電源からの電力供給が行われている状況及び電力供給が遮断されている状況のいずれにおいても、前記開閉体が開閉操作された場合、前記待機状態が前記開閉操作前の状態から変更される監視手段（監視装置２５０）と、
前記外部電源から遊技機への電力供給が遮断された場合における前記監視手段の待機状態を記憶するとともに、自身に電力が供給されている間は記憶した情報の保持を可能とする記憶手段（ＲＡＭ３１３の第１検知状態格納エリア３１３ａ，第２検知状態格納エリア３１３ｂ）と、
前記外部電源からの電力供給が停止されている状況において前記記憶手段に電力を供給する電断時用電源手段（データ記憶保持用コンデンサ３２１ｃ）と、
前記監視手段の待機状態を把握する把握手段（ＣＰＵ３１１における検知状態把握処理を行う機能）と、
前記外部電源からの電力供給が開始された場合に、前記記憶手段に記憶されている待機状態と前記把握手段により把握された待機状態とを比較する比較手段（ＣＰＵ３１１におけるステップＳ１８０８の比較処理を行う機能）と、
当該比較手段による比較結果が、前記記憶手段に記憶されていた待機状態と前記把握手段により把握された待機状態とが一致しない比較結果であった場合に、前記遊技制御手段により実行される前記各種処理のうち少なくとも一部の処理の実行を規制する規制手段（ＣＰＵ３１１におけるステップＳ１８１７以下の処理を行う機能）と、
を備えていることを特徴とする遊技機。
【００１８】
手段２の遊技機では、遊技制御手段により各種処理が行われることにより、遊技が進行することとなる。
【００１９】
当該構成において、複数段階の待機状態を有する監視手段が設けられており、外部電源からの電力供給の遮断中であっても開閉体が開閉操作された場合には、待機状態が当該操作前の状態から変更される。また、外部電源からの電力供給が遮断された場合における待機状態を記憶する記憶手段が設けられているとともに、外部電源からの電力供給が遮断された状況において記憶手段に電力を供給する電断時用電源手段が設けられている。そして、電力供給が遮断された状態から電力供給が開始された場合には、電力供給が遮断された場合における待機状態と、電力供給が開始された後に把握された待機状態とが比較される。これにより、例えば、電力供給が遮断されている状況において開閉体が不正に開閉操作されていた場合には両待機状態が一致しない旨の比較結果となることで、電力供給が遮断されている状況において開閉体の開閉操作がなされたことを把握することができる。よって、上記開閉体の開閉操作がなされたことに対する対処を行うことが可能となる。
【００２０】
上記開閉体の開閉操作がなされた場合には、遊技機に対して何らかの不正行為がなされたことが考えられる。仮に、不正行為がなされたにも関わらず不正行為がなされていない場合と同様の制御を行うとすると、遊技機を設置している遊技ホール等にて不利益が発生することが考えられる。これに対して本手段では、上記開閉体の開閉操作がなされた場合に各種処理のうち少なくとも一部の処理の実行が規制される。これにより、上記開閉体の開閉操作がなされた場合に、上記開閉体の開閉操作がなされていない場合と同様に遊技が進行してしまうことを規制できる。よって、不正行為がなされた可能性がある場合には一部の処理の実行が規制されることにより、遊技ホール等にて不利益が発生することを抑制できる。
【００２１】
また、本構成においては、記憶手段では外部電源からの電力供給が遮断された場合における待機状態が記憶されるとともに、電力供給が遮断された状況においては電断時用電源手段から供給される電力により記憶手段にて待機状態が記憶保持される。遊技機において外部電源からの電力供給が遮断されるタイミングは不規則であり、監視手段がいずれの待機状態の場合に電力供給が遮断されるかは予め特定することはできない。この場合に、外部電源からの電力供給が遮断された場合における待機状態の一定化を図ろうとすると、例えば、監視手段の待機状態に初期待機状態を設定しておくとともに、外部電源からの電力供給が遮断された場合に監視手段の待機状態を初期待機状態に変更させる必要が生じる。そうすると、監視手段の構成が複雑化してしまう。これに対して、本手段における構成によれば、上記のような監視手段の構成の複雑化を招くことなく、上記優れた効果を得ることができる。
【００２２】
手段３．手段１又は２において、前記外部電源からの電力供給が開始された場合に予め定められた開始時用処理を実行する開始時用処理手段（ＣＰＵ３１１におけるメイン処理を行う機能）をさらに備えており、
前記遊技制御手段による前記各種処理は前記開始時用処理が完了した後に開始されるものであり、
前記開始時用処理において、前記把握手段による前記待機状態の把握処理、前記比較手段による各待機状態の比較処理及び前記規制手段による規制処理が行われることを特徴とする遊技機。
【００２３】
手段３によれば、外部電源からの電力供給が開始される場合には、その開始に際して、電力供給が遮断された場合における待機状態と、電力供給が開始された後に把握された待機状態との比較が行われる。これにより、遊技制御手段による各種処理の実行が開始される前、すなわち遊技の進行が可能となる前のタイミングで規制を開始することができる。よって、電力供給が遮断されている状況において開閉体が不正に開放操作され、不正行為が行われた可能性があるにも関わらず遊技が進行してしまい、遊技ホール等にて被害が発生することを抑制できる。
【００２４】
なお、「規制処理」とは、各種処理のうち少なくとも一部の処理の実行を規制するものだけでなく、規制が開始される場合に行われる処理も含まれる。規制が開始される場合に行われる処理として、例えば、フラグがセットされることにより各種処理のうち少なくとも一部の処理の実行を規制する遊技機において、そのフラグをセットする処理が考えられる。
【００２５】
手段４．手段３において、前記規制手段は、前記規制処理として、前記開始時用処理が終了しない又は前記遊技制御手段による前記各種処理の実行が開始されないように規制する処理を実行するものであることを特徴とする遊技機。
【００２６】
手段４によれば、検知状態が一致しなかった場合、遊技制御手段による各種処理の実行が開始されない。よって、遊技が一切進行しないようにすることが可能となる。これにより、開閉体の開閉操作がなされ不正行為が行われた可能性があるにも関わらず、遊技が行われてしまう可能性を低減することができる。
【００２７】
手段５．手段３又は４において、前記遊技制御手段は、
前記各種処理のうちの一部である第１処理を繰り返し実行する第１遊技制御手段（ＣＰＵ３１１による通常処理を行う機能）と、
当該第１遊技制御手段による第１処理が実行されている状況において、前記各種処理の一部である第２処理を、前記第１遊技制御手段による第１処理の実行に割り込んで実行する第２遊技制御手段（ＣＰＵ３１１におけるタイマ割込み処理を行う機能）と、
を備えており、
前記第１遊技制御手段による第１処理は、前記開始時用処理の終了後に開始されるものであり、前記第２遊技制御手段による割り込みの許可は前記開始時用処理にて実行されるものであり、
前記規制手段は、前記規制処理を実行する場合、前記開始時用処理において、前記第２遊技制御手段による割り込みの許可が実行される前のタイミングで当該規制処理を実行するものであることを特徴とする遊技機。
【００２８】
手段５の遊技機では、電断状態において開閉体の開閉操作がなされた場合には、第２処理が行われない。この第２処理では、基本的に、各種処理のうちの一部を第１処理に割り込んで実行する。したがって、第２処理の実行を規制することで、その後に遊技が進行しないように規制することが可能となり、上記開閉体の開閉操作がなされ不正行為が行われたとしても、その不正行為により遊技者が利益を得ようとする行為を阻止することが可能となる。
【００２９】
なお、「第１処理」と、「第２処理」とは、それぞれの処理にて一部同じ処理が実行されてもよい。
【００３０】
手段６．手段１乃至５のいずれか１において、予め定められた規制解除条件が成立した場合に、前記規制手段による規制を解除する規制解除手段（ＣＰＵ３１１による解除処理を行う機能）を備えたことを特徴とする遊技機。
【００３１】
手段６によれば、開閉体の開放操作がなされ規制が実行されたとしても、予め定められた規制解除条件が成立した場合にはその規制が解除される。これにより、不正行為が行われておらず規制が実行された場合に、規制が解除されないまま継続してしまうことを抑制できる。
【００３２】
手段７．手段１乃至５のいずれか１において、遊技機背面側又は遊技機内部に設けられた解除操作手段（ＲＡＭ消去スイッチ２４７）と、
前記解除操作手段が操作されたことに基づいて、前記規制手段による規制を解除する規制解除手段（ＣＰＵ３１１による解除処理におけるステップＳ１９０２〜ステップＳ１９０６の処理を行う機能）を備えていることを特徴とする遊技機。
【００３３】
手段７によれば、上記開閉体の開放操作がなされ規制が実行されたとしても、解除操作手段が操作されたことに基づいてその規制が解除される。これにより、不正行為が行われておらず規制が実行された場合に、その規制を所望のタイミングで解除することができる。その一方、解除操作手段は遊技機背面側又は遊技機内部に設けられているため、遊技ホールの管理者等以外の者により当該解除操作手段が操作されてしまうことが抑制される。
【００３４】
手段８．手段１乃至５のいずれか１において、遊技機背面側又は遊技機内部に設けられた解除操作手段（ＲＡＭ消去スイッチ２４７）を備えており、
前記遊技制御手段は、
前記各種処理を実行する上で用いられる情報を記憶する制御情報記憶手段（ＲＡＭ３１３）と、
前記解除操作手段が操作された状態で外部電源から遊技機への電力供給が開始された場合に、前記制御情報記憶手段に記憶されている情報を初期化する初期化実行手段（ＣＰＵ３１１におけるステップＳ１９１２〜ステップＳ１９１５の処理を行う機能）と、
前記外部電源からの電力供給が継続されている状況において前記解除操作手段の操作が開始された場合に、前記規制手段による規制を解除する規制解除手段（主制御装置１６２のＣＰＵ３１１におけるステップＳ２００２〜ステップＳ２００６の処理を行う機能）と、
を備えたことを特徴とする遊技機。
【００３５】
手段８によれば、解除操作手段が操作されたことに基づいて、制御情報記憶手段に記憶されている情報の初期化が実行される。また、開閉体の開閉操作がなされ規制が実行されたとしても、解除操作手段が操作されたことに基づいて、その規制が解除される。これにより、不正行為が行われておらず規制が実行された場合に、その規制を所望のタイミングで解除することができる。その一方、解除操作手段は遊技機背面側又は遊技機内部に設けられているため、遊技ホールの管理者等以外の者により当該解除操作手段が操作されてしまうことが抑制される。
【００３６】
また、解除操作手段が操作された状態で外部電源から遊技機への電力供給が開始された場合に、制御情報記憶手段に記憶されている情報が初期化される。これに対して、外部電源からの電力供給が継続されている状況において前記解除操作手段の操作が開始された場合に、規制手段による規制が解除される。これにより、規制を解除する上での操作手段として制御情報記憶手段の情報を初期化する場合に操作される解除操作手段を兼用した構成において、規制の解除後には規制が実行される前の状態への復帰が可能となる。
【００３７】
手段９．手段７又は８において、前記規制解除手段は、前記解除操作手段が操作されている場合にその継続操作期間が予め定められた解除基準期間に達したことに基づいて、前記規制手段による規制を解除するものであることを特徴とする遊技機。
【００３８】
手段９によれば、規制解除手段の継続操作期間が解除基準期間に達することで規制を解除するようにした。これにより、実際には規制解除手段が操作されていないにも関わらず、ノイズなどの影響で遊技制御手段に対して解除操作手段が操作された旨の信号が入力された場合に、規制が解除されないようにすることができる。
【００３９】
なお、「継続操作期間が予め定められた解除基準期間に達したことに基づいて、前記規制手段による規制を解除する」には、リアルタイマを用いて上記継続操作期間を計測する構成以外にも、以下の構成が含まれる。前記規制解除手段が、前記解除操作手段の操作状態を定期的に確認する確認手段を備えた構成においては、解除操作手段が操作されている状態であることを予め定められた解除基準回数確認されたことに基づいて規制手段による規制を解除する構成としてもよい。
【００４０】
手段１０．手段６乃至９のいずれか１において、前記規制解除手段による規制の解除が行われた場合に、前記監視手段の待機状態を前記記憶手段に記憶させる解除時更新手段（ＣＰＵ３１１によるステップＳ２００５の処理を行う機能）を備えたことを特徴とする遊技機。
【００４１】
手段１０によれば、規制が解除された場合には、その場合の待機状態を記憶手段に記憶させる処理が実行される。これにより、規制が解除された場合には待機状態を記憶手段に確実に記憶させることができる。
【００４２】
手段１１．手段１乃至５のいずれか１において、遊技機背面側又は遊技機内部に設けられた初期化操作手段（ＲＡＭ消去スイッチ２４７）を備え、
前記遊技制御手段は、
前記各種処理を実行する上で用いられる情報を記憶する制御情報記憶手段（ＲＡＭ３１３）と、
前記初期化操作手段が操作されたことに基づいて、前記制御情報記憶手段に記憶されている情報を初期化する初期化実行手段（ＣＰＵ３１１におけるステップＳ１８１２〜ステップＳ１８１５の処理を行う機能）と、
を備え、
前記初期化実行手段による初期化が行われた場合に前記規制手段による規制が解除されることを特徴とする遊技機。
【００４３】
手段１１によれば、初期化操作手段が操作されたことに基づいて、制御情報記憶手段に記憶されている情報の初期化が実行される。また、初期化実行手段による初期化が行われることによって規制が解除される。これにより、上記開閉体の開閉操作がなされ規制が実行されたとしても、初期化操作手段が操作されたことに基づいて、その規制を解除することが可能となる。
【００４４】
なお、規制手段による規制を実行する上で用いられる情報を制御情報記憶手段に記憶するようにしておけば、制御情報記憶手段に記憶されている情報が初期化されることによって規制を実行する上で用いられる情報が消去されるため、情報の初期化以外の処理を行うことなく規制を解除することが可能となる。
【００４５】
手段１２．手段１乃至１１のいずれか１において、前記規制手段による規制が実行される場合に、特定出力処理を実行する特定出力処理手段（ＣＰＵ３１１における報知処理を行う機能）をさらに備えていることを特徴とする遊技機。
【００４６】
手段１２によれば、規制が実行される場合に、特定出力処理が実行される。この特定出力処理として、例えば、遊技機に設置されたランプ、スピーカ又は表示画面を有する表示装置の少なくとも１つを駆動制御して報知を行わせるようにすることで、電力供給が遮断されている状況で開閉体が開放操作されていたことを遊技機自身において報知することが可能となる。また、特定出力処理として、例えば、遊技ホールの管理装置（例えば、ホールコンピュータ）に異常信号を出力することで、上記開閉体の開閉操作が行われていたことを、管理装置を通じて遊技ホールの管理者等に報知することが可能となる。そして、これらの場合、遊技ホールの管理者等に対して、電断状態における開閉体の開閉操作に対処するよう促すことが可能となる。
【００４７】
手段１３．手段６乃至１１のいずれか１において、報知手段（エラー表示ランプ部２４，スピーカ部２６，図柄表示装置９１）と、
前記規制手段による規制が開始される場合に特定報知が開始され、少なくとも当該規制が解除されるまで前記特定報知が連続的又は断続的に実行されるよう前記報知手段を報知制御する報知制御手段（ＣＰＵ３１１による報知処理を行う機能）と、
をさらに備えていることを特徴とする遊技機。
【００４８】
手段１３によれば、規制が開始される場合には特定報知が開始される。これにより、上記開閉体の開閉操作が行われたことを遊技ホール等にて把握することが可能となる。また、特定報知は規制が解除されるまで連続的又は断続的に行われる。これにより、規制が行われている期間において確実に特定報知を行うことが可能となる。
【００４９】
手段１４．手段１乃至１３のいずれか１において、前記外部電源からの電力供給が遮断される場合に、その場合の前記監視手段の待機状態を前記記憶手段に記憶させる電断時用記憶実行手段（ＣＰＵ３１１における電断時更新処理を行う機能）をさらに備えていることを特徴とする遊技機。
【００５０】
手段１４によれば、外部電源からの電力供給が遮断される場合には、その場合の待機状態を記憶手段に記憶させる処理が実行される。これにより、電力供給が遮断された場合における待機状態を記憶手段に確実に記憶させることができる。
【００５１】
手段１５．手段１４において、前記外部電源からの電力供給が行われている状況で、少なくとも前記監視手段の待機状態が変更された場合に、その変更された待機状態に前記記憶手段の記憶内容を更新する更新手段（ＣＰＵ３１１における通常時更新処理を行う機能）をさらに備えていることを特徴とする遊技機。
【００５２】
手段１５によれば、監視手段の待機状態が変更されると、記憶手段の記憶内容がその変更された待機状態に更新される。遊技機において外部電源からの電力供給が遮断されるタイミングは不規則であり、監視手段がいずれの待機状態の場合に電力供給が遮断されるかは予め特定することはできない。この場合に、上記のように待機状態が変更された場合には記憶手段の記憶内容をその変更された待機状態に更新することで、外部電源からの電力供給がいずれのタイミングで遮断されたとしても、その遮断された場合における待機状態を記憶手段に記憶させておくことができる。
【００５３】
手段１６．手段１５において、前記監視手段から前記待機状態の情報を入力する入力手段（ＣＰＵ３１１の入力ポート）と、
当該入力手段にて入力した待機状態の情報を定期的に確認する定期確認手段（ＣＰＵ３１１における信号読み込み処理を行う機能）と、
をさらに備えており、
前記更新手段は、少なくとも前記定期確認手段により確認された待機状態が前記記憶手段に記憶されている待機状態と異なっている場合に、当該記憶手段の記憶内容を前記定期確認手段により確認された待機状態の情報に更新するものであることを特徴とする遊技機。
【００５４】
手段１６によれば、監視手段の待機状態が定期的に確認され、少なくとも確認された待機状態が記憶手段に記憶されている待機状態と異なっている場合には、記憶手段の記憶内容がその確認された待機状態に更新される。これにより、上記手段４の作用効果を得ることができる。
【００５５】
手段１７．手段１乃至１６のいずれか１において、前記監視手段は、閉鎖状態にある前記開閉体が開放操作されたことに基づいて前記待機状態が当該操作前の状態から変更され、開放状態にある前記開閉体が閉鎖操作されたとしても前記待機状態が変更されないものであることを特徴とする遊技機。
【００５６】
手段１７によれば、開放状態にある開閉体が閉鎖操作されたとしても待機状態が変更されないため、遊技機のメンテナンス時などといった開閉体が開放状態である状況で外部電源からの電力供給が遮断されたとしても、その後の閉鎖操作により監視手段の待機状態が記憶手段に記憶された待機状態と異なるものとなってしまうことはない。これにより、上記のように電力供給の遮断中における開閉体の不正な開放操作を監視手段により監視するようにした構成において、遊技機のメンテナンス性の低下を極力抑制することが可能となる。一方、閉鎖状態にある開閉体が開放操作されたことに基づいて待機状態が操作前の状態から変更されるため、外部電源からの電力供給が遮断された状況において、開閉体の不正な開閉操作を監視することは可能である。
【００５７】
手段１８．手段１乃至１７のいずれかにおいて、前記監視手段は、
前記支持対象に対して前記開閉体が閉鎖されている場合に押圧力が付与されて第１位置に待機し、前記支持対象に対して前記開閉体が開放された場合に前記押圧力の付与が解除されて前記第１位置から第２位置に移動する移動体（プッシャ２６６等）と、
予め設定された複数の待機位置に段階的に移動可能に設けられ、前記移動体が前記第１位置から前記第２位置に移動したこと又は前記第２位置から前記第１位置に移動したことの少なくとも一方に機械的に連動して、一の待機位置から次の待機位置に移動する連動体（円盤２６２等）と、
前記複数段階の待機状態として複数段階の検知状態が予め設定されており、前記連動体の待機位置に応じて前記検知状態が変更される検知手段（検知装置２５８）と、
を備えていることを特徴とする遊技機。
【００５８】
手段１８によれば、監視手段が、開閉体の開閉動作に連動して第１位置と第２位置との間を移動する移動体と、当該移動体に連動して一の待機位置から次の待機位置に移動する連動体と、当該連動体の待機位置に応じて検知状態が変更される検知手段と、を備えていることにより、監視手段において外部電源からの電力供給が遮断された状況での開閉体の開閉操作の監視が可能となる。また、監視手段において遊技機の電源機能に対して独立した電源機能が必要なくなるため、遊技ホール等におけるランニングコストの増大化を抑制しつつ、上記手段１等の作用効果において説明した優れた効果を得ることができる。
【００５９】
なお、「機械的に連動」とは、電動アクチュエータが介在することなく連動することをいう。
【００６０】
手段１９．手段１８において、前記連動体は、所定の回転軸を中心として回転可能であって前記複数の待機位置として複数の回転待機位置が設定された回転体であり、
当該回転体は、前記移動体が前記第１位置から前記第２位置に移動したこと又は前記第２位置から前記第１位置に移動したことの少なくとも一方に連動して、一の回転待機位置から次の回転待機位置に回転するものであり、
前記検知手段は、前記連動体の回転待機位置に応じて前記検知状態が変更されることを特徴とする遊技機。
【００６１】
手段１９によれば、連動体が回転体として設けられていることにより、連動体を非回転体として設ける構成に比して、移動体に連動した待機位置の変更が良好に行われる。
【００６２】
手段２０．手段１９において、前記移動体は前記回転軸の軸線上を移動するものであり、
当該移動体と前記回転体との間には、それら移動体及び回転体のそれぞれと当接することで、前記移動体が前記第１位置から前記第２位置に移動すること又は前記第２位置から前記第１位置に移動することの少なくとも一方に基づいて、前記回転体を一の前記回転待機位置から次の回転待機位置に回転させる介在体（回転子２６４等）をさらに備えていることを特徴とする遊技機。
【００６３】
手段２０によれば、移動体と回転体との間に介在体が設けられていることにより、移動体の直線的な動作を回転体の回転動作に変換する場合に、その変換を良好に行うことができる。
【００６４】
手段２１．手段２０において、前記介在体は、前記移動体が前記第２位置から前記第１位置に移動する場合よりも当該第１位置から前記第２位置に移動する場合の方が前記回転体の回転量が大きくなるように形成されており、
当該回転量の設定により、前記移動体が前記第２位置から前記第１位置に移動した場合には前記検知状態に変更はなく、前記移動体が前記第１位置から前記第２位置に移動した場合に前記検知状態が変更されることを特徴とする遊技機。
【００６５】
手段２１によれば、開放状態にある開閉体が閉鎖操作されたとしても待機状態が変更されない。したがって、遊技機のメンテナンス時などといった開閉体が開放状態である状況で外部電源からの電力供給が遮断されたとしても、その後の閉鎖操作により監視手段の待機状態が記憶手段に記憶された待機状態と異なるものとなってしまうことはない。これにより、上記のように電力供給の遮断中における開閉体の不正な開放操作を監視手段により監視するようにした構成において、遊技機のメンテナンス性の低下を極力抑制することが可能となる。一方、閉鎖状態にある開閉体が開放操作されたことに基づいて待機状態が操作前の状態から変更される。したがって、外部電源からの電力供給が遮断された状況において、開閉体の不正な開放操作を監視することは可能である。
【００６６】
手段２２．手段２０又は２１において、前記監視手段はケース体（ハウジング２５６）をさらに備えており、当該ケース体に前記移動体、前記介在体及び前記回転体が設置されており、
前記ケース体は前記回転軸と同一直線上に軸線を有する筒状領域（筒状領域２７１）を備えており、
当該筒状領域の内周面には前記軸線方向に延びる溝部（ケース側カム溝２７８）が当該軸線を中心として等間隔で複数形成されており、
前記移動体及び前記介在体は移動体側突起（突起２６６ｃ）及び介在体側突起（回転子側リブ２８５）が前記溝部にガイドされて前記軸線方向に移動可能であるとともに、それら前記移動体及び前記介在体は付勢手段（第１バネ２６３）により前記第２位置に向けて付勢されており、
前記移動体における前記介在体側の端部には移動体側噛合せ部（プッシャ側カム部２９０）が形成されているとともに、前記介在体における前記移動体側の端部には前記移動体側噛合せ部と噛み合い可能な介在体側噛合せ部（回転子側カム部２８９）が形成されており、
前記移動体が前記第２位置にある場合、前記移動体側噛合せ部と前記介在体側噛合せ部とは非噛み合い状態にあり、
前記移動体が前記第１位置に移動する場合、前記介在体は、前記介在体側突起が前記溝部から外れ、前記移動体側噛合せ部と前記介在体側噛合せ部とが噛み合い状態となる位置に前記軸線方向を中心として特定方向に回転し、
その噛み合い状態で前記移動体が前記第２位置に復帰する場合、前記介在体は、前記介在体側突起が前記筒状領域の内周面における前記溝部間のリブ（ケース側リブ２７７）によりガイドされて、当該介在体側突起が前記溝部にガイドされる位置であって前記移動体側噛合せ部と前記介在体側噛合せ部とが非噛み合い状態となる位置に前記軸線方向を中心として前記特定方向に回転し、
前記回転体は、前記介在体の回転動作に連動して、一の前記回転待機位置から次の回転待機位置に回転することを特徴とする遊技機。
【００６７】
手段２２によれば、移動体の移動に連動した回転体の回転待機位置の変更が良好に行われる。
【００６８】
手段２３．手段１８乃至２２のいずれか１において、前記連動体は、前記各待機位置に対応させて複数の被検知部（被検知部２９８ａ）を備えており、
前記検知手段は、前記被検知部を検知する検知部（金属端子２９４）を複数備えているとともに、前記被検知部を検知している検知部の組合せにより前記検知状態が変更されるものであることを特徴とする遊技機。
【００６９】
手段２３によれば、検知手段では、連動体の被検知部を検知している検知部の組合せにより検知状態が変更される構成であるため、検知部の数を待機位置の数よりも少なくすることが可能となる。これにより、検知手段の小型化を図ることができ、それに伴って監視手段の小型化を図ることができる。
【００７０】
手段２４．手段１８乃至２３のいずれか１において、前記検知手段は、複数の金属端子を備えており、
それら金属端子は、前記連動体に形成された被検知部と接触することで、それら被検知部と接触している金属端子同士が前記連動体を介して電気的に導通されるものであり、
前記連動体を介して電気的に導通される前記金属端子の組合せが前記各検知状態と１対１で対応して異なるように、前記金属端子及び前記被検知部が設置されていることを特徴とする遊技機。
【００７１】
手段２４によれば、検知手段では、電気的に導通する金属端子の組合せにより検知状態が変更される構成であるため、フォトセンサなどを設ける構成に比して、構成の簡素化を図ることができる。
【００７２】
手段２５．手段１８乃至２４のいずれか１において、前記監視手段は、前記支持対象に設置されており、
前記移動体は、前記支持対象に対して前記開閉体が閉鎖されている場合には、前記開閉体により押圧されて又は前記開閉体と前記移動体との間に設置された押圧手段により押圧されて前記第１位置に待機し、前記支持対象に対して前記開閉体が開放された場合には、前記押圧が解除されて前記第１位置から前記第２位置に移動するものであることを特徴とする遊技機。
【００７３】
手段２５によれば、移動体は開閉体の開閉動作に連動して、第１位置と第２位置との間を移動する。
【００７４】
手段２６．手段１８乃至２４のいずれか１において、前記監視手段は、前記開閉体に設置されており、
前記移動体は、前記支持対象に対して前記開閉体が閉鎖されている場合には、前記支持対象により押圧されて又は前記支持対象と前記移動体との間に設置された押圧手段（押圧片３００）により押圧されて前記第１位置に待機し、前記支持対象に対して前記開閉体が開放された場合には、前記押圧が解除されて前記第１位置から前記第２位置に移動するものであることを特徴とする遊技機。
【００７５】
手段２６によれば、移動体は開閉体の開閉動作に連動して、第１位置と第２位置との間を移動する。
【００７６】
手段２７．手段１乃至２６のいずれか１において、前記監視手段がいずれの待機状態にあるかが、前記監視手段の外観上、識別不可となっていることを特徴とする遊技機。
【００７７】
手段２７によれば、監視手段がいずれの待機状態にあるかが、監視手段の外観上、識別不可となっているため、不正行為者などに監視手段の待機状態がいずれであるかが知られてしまうことが防止できる。
【００７８】
手段２８．手段１乃至２７のいずれかにおいて、前記監視手段はさらに、前記外部電源からの電力供給が行われている状況において、前記開閉体が前記支持対象に対して開放されていることを検知するものであることを特徴とする遊技機。
【００７９】
手段２８によれば、外部電源からの電力供給が行われている状況において開閉体が開放された場合には、それが監視手段にて検知される。つまり、監視手段は、外部電源からの電力供給が遮断されている状況及び電力供給が行われている状況のいずれにおいても、開閉体の開放を監視する機能を有することとなり、それぞれの機能を別で設ける構成に比して、遊技機の部品点数の削減が図られる。
【００８０】
手段２９．遊技の進行を可能とする処理（ＣＰＵ３１１による通常処理，タイマ割込み処理を行う機能）を実行するとともに、遊技結果に応じた特典の付与を可能とする処理（ＣＰＵ３１１による始動入賞処理を実行する機能）を実行する遊技制御手段（主制御装置１６２）を有した遊技機本体（本体枠１３）と、当該遊技機本体に対して開閉可能に支持され遊技機前面部を構成する遊技機前面体（前扉枠１４）と、を備え、当該遊技制御手段により各種処理が実行されることにより遊技が進行するとともに遊技結果に応じて特典が付与される遊技機において、
複数段階の待機状態が予め設定されているとともに、外部電源からの電力供給の少なくとも遮断中において、前記開閉体が開閉操作された場合、前記待機状態が前記開閉操作前の状態から変更される監視手段（監視装置２５０）と、
前記外部電源から遊技機への電力供給が遮断された場合における前記監視手段の待機状態を記憶する記憶手段（ＲＡＭ３１３の第１検知状態格納エリア３１３ａ，第２検知状態格納エリア３１３ｂ）と、
前記監視手段の待機状態を把握する把握手段（ＣＰＵ３１１における検知状態把握処理を行う機能）と、
前記外部電源からの電力供給が開始された場合に、前記記憶手段に記憶されている待機状態と前記把握手段により把握された待機状態とを比較する比較手段（ＣＰＵ３１１におけるステップＳ１８０８の比較処理を行う機能）と、
当該比較手段による比較結果が、前記記憶手段に記憶されていた待機状態と前記把握手段により把握された待機状態とが一致しない比較結果であった場合に、前記遊技制御手段により実行される前記各種処理のうち少なくとも一部の処理の実行を規制する規制手段（ＣＰＵ３１１におけるステップＳ１８１７以下の処理を行う機能）と、
を備えていることを特徴とする遊技機。
【００８１】
手段２９によれば、遊技制御手段により各種処理が行われることにより、遊技が進行することとなる。
【００８２】
当該構成において、複数段階の待機状態を有する監視手段が設けられており、外部電源からの電力供給の遮断中に遊技機前面体が開閉操作された場合には、待機状態が当該操作前の状態から変更される。そして、電力供給が遮断された状態から電力供給が開始された場合には、電力供給が遮断された場合における待機状態と、電力供給が開始された後に把握された待機状態とが比較される。これにより、例えば、電力供給が遮断されている状況において遊技機前面体が不正に開閉操作されていた場合には両待機状態が一致しない旨の比較結果となることで、遊技機前面体の開閉操作がなされたことを把握することができる。よって、遊技機前面体の開閉操作がなされたことに対する対処を行うことが可能となる。
【００８３】
遊技機前面体の開閉操作がなされた場合には、遊技機に対して何らかの不正行為がなされたことが考えられる。仮に、不正行為がなされたにも関わらず不正行為がなされていない場合と同様の制御を行うとすると、遊技者に過度に利益が付与されてしまい遊技機を設置している遊技ホール等にて不利益が発生することが考えられる。これに対して本手段では、遊技機前面体の開閉操作がなされた場合に各種処理のうち少なくとも一部の処理の実行が規制される。これにより、遊技機前面体の開閉操作がなされた場合に、遊技機前面体の開閉操作がなされていない場合と同様に遊技が進行してしまうことを規制できる。よって、不正行為がなされた可能性がある場合には一部の処理の実行が規制されることにより、遊技ホール等にて不利益が発生することを抑制できる。
【００８４】
なお、上記手段２９の構成を手段２に対応した構成に変更してもよく、さらには上記手段２９に対して上記手段３乃至２８のいずれかの構成を適用してもよい。この場合、上記手段２９に関わる発明は、より効果的なものとなる。但し、手段２に対応した構成に変更する場合及び手段３乃至２８のいずれかの構成を適用する場合、「支持対象」を「遊技機本体」に代えるとともに、「開閉体」を「遊技機前面体」に代えて適用する。
【００８５】
手段３０．遊技の進行を可能とする処理（ＣＰＵ３１１による通常処理，タイマ割込み処理を行う機能）を実行するとともに、遊技結果に応じた特典の付与を可能とする処理（ＣＰＵ３１１による始動入賞処理を実行する機能）を実行する遊技制御手段（主制御装置１６２）を有し、支持対象（外枠１１）に対して開閉可能に支持され、当該支持対象に対して開放することにより遊技機内部又は背面側が遊技機前方に開放される遊技機主体（遊技機主部１２）を備え、当該遊技制御手段により各種処理が実行されることにより遊技が進行するとともに遊技結果に応じて特典が付与される遊技機において、
複数段階の待機状態が予め設定されているとともに、外部電源からの電力供給の少なくとも遮断中において、前記遊技機主体が開閉操作された場合、前記待機状態が当該開閉操作前の状態から変更される監視手段（監視装置２５０）と、
前記外部電源からの電力供給が遮断された場合における前記監視手段の待機状態を記憶する記憶手段（ＲＡＭ３１３の第１検知状態格納エリア３１３ａ，第２検知状態格納エリア３１３ｂ）と、
前記監視手段の待機状態を把握する把握手段（ＣＰＵ３１１における検知状態把握処理を行う機能）と、
前記外部電源からの電力供給が開始された場合に、前記記憶手段に記憶されている待機状態と前記把握手段により把握された待機状態とを比較する比較手段（ＣＰＵ３１１におけるステップＳ３０８の比較処理を行う機能）と、
当該比較手段による比較結果が、前記記憶手段に記憶されていた待機状態と前記把握手段により把握された待機状態とが一致しない比較結果であった場合に、前記遊技制御手段により実行される前記各種処理のうち少なくとも一部の処理の実行を規制する規制手段（ＣＰＵ３１１におけるステップＳ１８１７以下の処理を行う機能）と、
を備えていることを特徴とする遊技機。
【００８６】
手段３０によれば、遊技制御手段により各種処理が行われることにより、遊技が進行することとなる。
【００８７】
当該構成において、複数段階の待機状態を有する監視手段が設けられており、外部電源からの電力供給の遮断中に遊技機主体が開閉操作された場合には、待機状態が当該操作前の状態から変更される。そして、電力供給が遮断された状態から電力供給が開始された場合には、電力供給が遮断された場合における待機状態と、電力供給が開始された後に把握された待機状態とが比較される。これにより、例えば、電力供給が遮断されている状況において遊技機主体が不正に開閉操作されていた場合には両待機状態が一致しない旨の比較結果となることで、遊技機主体の開閉操作がなされたことを把握することができる。よって、遊技機主体の開閉操作がなされたことに対する対処を行うことが可能となる。
【００８８】
遊技機主体の開閉操作がなされた場合には、遊技機に対して何らかの不正行為がなされたことが考えられる。仮に、不正行為がなされたにも関わらず不正行為がなされていない場合と同様の制御を行うとすると、遊技者に過度に利益が付与されてしまい遊技機を設置している遊技ホール等にて不利益が発生することが考えられる。これに対して本手段では、遊技機主体の開閉操作がなされた場合に各種処理のうち少なくとも一部の処理の実行が規制される。これにより、遊技機主体の開閉操作がなされた場合に、遊技機主体の開閉操作がなされていない場合と同様に遊技が進行してしまうことを規制できる。よって、不正行為がなされた可能性がある場合には一部の処理の実行が規制されることにより、遊技ホール等にて不利益が発生することを抑制できる。
【００８９】
なお、上記手段３０の構成を手段２に対応した構成に変更してもよく、さらには上記手段３０に対して上記手段３乃至２８のいずれかの構成を適用してもよい。この場合、上記手段３０に関わる発明は、より効果的なものとなる。但し、手段２に対応した構成に変更する場合及び手段３乃至２８のいずれかの構成を適用する場合、「開閉体」を「遊技機主体」に代えて適用する。
【００９０】
また、以下手段３１〜４７について説明するが、手段３１〜４７を上記手段１〜３０に対して以下の手段を適用してもよい。なお、上記、手段３１〜４７を上記手段１〜３０に適用する場合、同一名称の構成については同一のものを用いてもよい。例えば、手段１に対して手段３１を適用する場合、手段１における「開閉体」、「監視手段」と、手段３１における「開閉体」、「監視手段」とはそれぞれ同一のものを用いてもよい。
【００９１】
手段３１．支持対象に対して開閉可能に支持された開閉体（遊技機主部１２、前扉枠１４等）と、当該開閉体の背面側又は後方に設けられ外部電源から供給される電力に基づいて動作する電気機器（可変入賞装置８３、主制御装置１６２、払出装置２２４、払出制御装置２４２等）と、を備えている遊技機において、
複数段階の待機状態が予め設定されているとともに、前記外部電源からの電力供給が行われている状況及び電力供給が遮断されている状況のいずれにおいても前記開閉体の開閉操作に応じて動作し、前記開閉体が開閉操作された場合には前記待機状態が当該開閉操作前の状態から変更される監視手段（監視装置２５０，４２０等）と、
前記外部電源からの電力供給が遮断された場合における前記監視手段の待機状態とその後に前記外部電源からの電力供給が開始された場合における前記監視手段の待機状態とを比較することにより、前記外部電源からの電力供給が遮断されている状況で前記開閉体が開放操作されたか否かを特定する第１特定手段（ＣＰＵ３１１におけるステップＳ９１５及びステップＳ９１６の処理を実行する機能等、ＣＰＵ４３１におけるステップＳ１６１５及びステップＳ１６１６の処理を実行する機能等）と、
前記外部電源からの電力供給が行われている状況において、前記開閉体が開放操作されたか否かを前記監視手段の前記動作に基づいて特定する第２特定手段（ＣＰＵ３１１におけるステップＳ１００１及びステップＳ１００２の処理を実行する機能等、ＣＰＵ４３１におけるステップＳ１５０１，ステップＳ１５０２，ステップＳ１５０４の処理を実行する機能等）と、
を備えていることを特徴とする遊技機。
【００９２】
手段３１の遊技機では、外部電源から供給された電力に基づいて電気機器が動作することで、遊技が進行することとなる。
【００９３】
当該構成において、複数段階の待機状態を有する監視手段が設けられており、外部電源からの電力供給の遮断中であっても開閉体が開閉操作された場合には、待機状態が当該操作前の状態から変更される。この場合に、外部電源からの電力供給が遮断された場合における監視手段の待機状態とその後に外部電源からの電力供給が開始された場合における監視手段の待機状態とが比較され、外部電源からの電力供給が遮断されている状況で開閉体が開放操作されたか否かが特定される。これにより、電力供給が遮断されている状況において開閉体が不正に開閉操作されていた場合にはその事実を把握することが可能となり、それに対して対処することが可能となる。
【００９４】
また、外部電源からの電力供給が行われている状況において開閉体が開放された場合には、それが監視手段を介して特定される。つまり、監視手段は、外部電源からの電力供給が遮断されている状況及び電力供給が行われている状況のいずれにおいても、開閉体の開放を監視する機能を有することとなり、それぞれの機能を別で設ける構成に比して、遊技機の部品点数の削減が図られる。
【００９５】
なお、「前記開閉体が開閉操作された場合には前記待機状態が当該開閉操作前の状態から変更される」には、「閉鎖状態にある前記開閉体が開放操作されたこと又は開放状態にある前記開閉体が閉鎖操作されたことの少なくとも一方に基づいて前記待機状態が変更されるとともに、閉鎖操作後には前記待機状態が開閉操作前の状態から変更される」構成も含まれる。
【００９６】
手段３２．手段３１において、前記外部電源からの電力供給が遮断された場合における前記監視手段の待機状態を記憶するとともに、自身に電力が供給されている間は記憶した情報の保持を可能とする記憶手段（ＲＡＭ３１３の前扉枠用格納エリア３１３ｃ，本体枠用格納エリア３１３ｄ、ＲＡＭ４３３の前扉枠用格納エリア４４１，本体枠用格納エリア４４２）と、
前記外部電源からの電力供給が遮断されている状況において前記記憶手段に電力を供給する電断時用電源手段（データ記憶保持用コンデンサ３２１ｃ）と、
前記外部電源からの電力供給が行われている状況において前記監視手段の待機状態を把握する把握手段（ＣＰＵ３１１におけるステップＳ２０１の処理を実行する機能又はステップＳ９１４の処理を実行する機能、ＣＰＵ４３１におけるステップＳ１４０１の処理を実行する機能又はステップＳ１６１４の処理を実行する機能等）と、
をさらに備えており、
前記第１特定手段は、前記外部電源からの電力供給が開始された場合に、前記記憶手段に記憶されている待機状態と前記把握手段により把握された待機状態とを比較することにより、前記外部電源からの電力供給が遮断されている状況で前記開閉体が開放操作されたか否かを特定することを特徴とする遊技機。
【００９７】
手段３２によれば、外部電源からの電力供給が遮断された場合における待機状態を記憶する記憶手段が設けられているとともに、外部電源からの電力供給が遮断された状況において記憶手段に電力を供給する電断時用電源手段が設けられている。そして、電力供給が遮断された状態から電力供給が開始された場合には、電力供給が遮断された場合における待機状態と、電力供給が開始された後に把握された待機状態とが比較され、外部電源からの電力供給が遮断されている状況で開閉体が開放操作されたか否かが特定される。これにより、電力供給が遮断されている状況において開閉体が不正に開放操作されていた場合にはその事実を把握することが可能となり、それに対して対処することが可能となる。
【００９８】
また、本構成においては、記憶手段では外部電源からの電力供給が遮断された場合における待機状態が記憶されるとともに、電力供給が遮断された状況においては電断時用電源手段から供給される電力により記憶手段にて待機状態が記憶保持される。遊技機において外部電源からの電力供給が遮断されるタイミングは不規則であり、監視手段がいずれの待機状態の場合に電力供給が遮断されるかは予め特定することはできない。この場合に、外部電源からの電力供給が遮断された場合における待機状態の一定化を図ろうとすると、例えば、監視手段の待機状態に初期待機状態を設定しておくとともに、外部電源からの電力供給が遮断された場合に監視手段の待機状態を初期待機状態に変更させる必要が生じる。そうすると、監視手段の構成が複雑化してしまう。これに対して、本手段における構成によれば、上記のような監視手段の構成の複雑化を招くことなく、上記優れた効果を得ることができる。
【００９９】
手段３３．手段３１又は３２において、前記監視手段は、前記支持対象に対して前記開閉体が閉鎖されている場合に第１位置に待機し、前記支持対象に対して前記開閉体が開放された場合に前記第１位置から第２位置に移動する移動体（プッシャ２６６等）を備えており、当該移動体の移動に基づいて前記待機状態が変更されるものであり、
前記第２特定手段は、前記移動体が前記第１位置から前記第２位置に移動したことに基づいて前記開閉体が開放操作されたことを特定することを特徴とする遊技機。
【０１００】
手段３３によれば、外部電源からの電力供給が行われている状況において開閉体が開放操作されたか否かの特定を、監視手段の構成を利用して行うことが可能となる。
【０１０１】
手段３４．支持対象に対して開閉可能に支持された開閉体（遊技機主部１２、前扉枠１４等）と、当該開閉体の背面側又は後方に設けられ外部電源から供給される電力に基づいて動作する電気機器（可変入賞装置８３、主制御装置１６２、払出装置２２４、払出制御装置２４２等）と、を備えている遊技機において、
複数段階の待機状態が予め設定されているとともに、前記外部電源からの電力供給が行われている状況及び電力供給が遮断されている状況のいずれにおいても前記開閉体の開閉操作に応じて動作し、前記開閉体が開閉操作された場合には前記待機状態が当該開閉操作前の状態から変更される監視手段（監視装置２５０，４２０等）と、
前記外部電源からの電力供給が遮断された場合における前記監視手段の待機状態とその後に前記外部電源からの電力供給が開始された場合における前記監視手段の待機状態とを比較することにより、前記外部電源からの電力供給が遮断されている状況で前記開閉体が開放操作されたか否かを特定する第１特定手段（ＣＰＵ３１１におけるステップＳ９１５及びステップＳ９１６の処理を実行する機能等、ＣＰＵ４３１におけるステップＳ１６１５及びステップＳ１６１６の処理を実行する機能等）と、
前記外部電源からの電力供給が行われている状況において前記開閉体が開放操作されたか否かを前記監視手段の待機状態に基づいて特定する第２特定手段（ＣＰＵ３１１におけるステップＳ１００１及びステップＳ１００２の処理を実行する機能等、ＣＰＵ４３１におけるステップＳ１５０１，ステップＳ１５０２，ステップＳ１５０４の処理を実行する機能等）と、
を備えていることを特徴とする遊技機。
【０１０２】
手段３４の遊技機では、外部電源から供給された電力に基づいて電気機器が動作することで、遊技が進行することとなる。
【０１０３】
当該構成において、複数段階の待機状態を有する監視手段が設けられており、外部電源からの電力供給の遮断中であっても開閉体が開閉操作された場合には、待機状態が当該操作前の状態から変更される。この場合に、外部電源からの電力供給が遮断された場合における監視手段の待機状態とその後に外部電源からの電力供給が開始された場合における監視手段の待機状態とが比較され、外部電源からの電力供給が遮断されている状況で開閉体が開放操作されたか否かが特定される。これにより、電力供給が遮断されている状況において開閉体が不正に開放操作されていた場合にはその事実を把握することが可能となり、それに対して対処することが可能となる。
【０１０４】
また、外部電源からの電力供給が行われている状況において開閉体が開放操作された場合には、それが監視手段の待機状態に基づいて特定される。つまり、監視手段は、外部電源からの電力供給が遮断されている状況及び電力供給が行われている状況のいずれにおいても、開閉体の開放操作を監視する機能を有することとなり、それぞれの機能を別で設ける構成に比して、遊技機の部品点数の削減が図られる。
【０１０５】
また、外部電源からの電力供給が行われている状況における開閉体の開放操作の監視を、外部電源からの電力供給が遮断されている状況における開閉体の開放操作を監視するための監視手段の構成を利用して行うことが可能となる。よって、外部電源からの電力供給が行われている状況における監視専用の構成を監視手段に付与する場合に比べ、監視手段の構成の簡素化を図りつつ上記優れた効果を得ることができる。
【０１０６】
なお、「前記開閉体が開閉操作された場合には前記待機状態が当該開閉操作前の状態から変更される」には、「閉鎖状態にある前記開閉体が開放操作されたこと又は開放状態にある前記開閉体が閉鎖操作されたことの少なくとも一方に基づいて前記待機状態が変更されるとともに、閉鎖操作後には前記待機状態が開閉操作前の状態から変更される」構成も含まれる。
【０１０７】
手段３５．手段３４において、前記外部電源からの電力供給が遮断された場合における前記監視手段の待機状態を記憶するとともに、自身に電力が供給されている間は記憶した情報の保持を可能とする記憶手段（ＲＡＭ３１３の前扉枠用格納エリア３１３ｃ，本体枠用格納エリア３１３ｄ、ＲＡＭ４３３の前扉枠用格納エリア４４１，本体枠用格納エリア４４２）と、
前記外部電源からの電力供給が遮断されている状況において前記記憶手段に電力を供給する電断時用電源手段（データ記憶保持用コンデンサ３２１ｃ）と、
前記外部電源からの電力供給が行われている状況において前記監視手段の待機状態を把握する把握手段（ＣＰＵ３１１におけるステップＳ２０１の処理を実行する機能又はステップＳ９１４の処理を実行する機能、ＣＰＵ４３１におけるステップＳ１４０１の処理を実行する機能又はステップＳ１６１４の処理を実行する機能等）と、
をさらに備えており、
前記第１特定手段は、前記外部電源からの電力供給が開始された場合に、前記記憶手段に記憶されている待機状態と前記把握手段により把握された待機状態とを比較することにより、前記外部電源からの電力供給が遮断されている状況で前記開閉体が開放操作されたか否かを特定することを特徴とする遊技機。
【０１０８】
手段３５によれば、外部電源からの電力供給が遮断された場合における待機状態を記憶する記憶手段が設けられているとともに、外部電源からの電力供給が遮断された状況において記憶手段に電力を供給する電断時用電源手段が設けられている。そして、電力供給が遮断された状態から電力供給が開始された場合には、電力供給が遮断された場合における待機状態と、電力供給が開始された後に把握された待機状態とが比較され、外部電源からの電力供給が遮断されている状況で開閉体が開放操作されたか否かが特定される。これにより、電力供給が遮断されている状況において開閉体が不正に開放操作されていた場合にはその事実を把握することが可能となり、それに対して対処することが可能となる。
【０１０９】
また、本構成においては、記憶手段では外部電源からの電力供給が遮断された場合における待機状態が記憶されるとともに、電力供給が遮断された状況においては電断時用電源手段から供給される電力により記憶手段にて待機状態が記憶保持される。遊技機において外部電源からの電力供給が遮断されるタイミングは不規則であり、監視手段がいずれの待機状態の場合に電力供給が遮断されるかは予め特定することはできない。この場合に、外部電源からの電力供給が遮断された場合における待機状態の一定化を図ろうとすると、例えば、監視手段の待機状態に初期待機状態を設定しておくとともに、外部電源からの電力供給が遮断された場合に監視手段の待機状態を初期待機状態に変更させる必要が生じる。そうすると、監視手段の構成が複雑化してしまう。これに対して、本手段における構成によれば、上記のような監視手段の構成の複雑化を招くことなく、上記優れた効果を得ることができる。
【０１１０】
手段３６．手段３５において、前記記憶手段は、前記外部電源からの電力供給が行われている状況においてはその供給されている電力に基づいて記憶した情報の保持を可能とするものであり、
前記外部電源からの電力供給が行われている状況で、少なくとも前記監視手段の待機状態が変更された場合に、その変更された待機状態に前記記憶手段の記憶内容を更新する更新手段（ＣＰＵ３１１におけるステップＳ１００４の処理を実行する機能、ＣＰＵ４３１におけるステップＳ１７１０の処理を実行する機能等）をさらに備えていることを特徴とする遊技機。
【０１１１】
手段３６によれば、外部電源からの電力供給が行われている状況において監視手段の待機状態が変更されると、記憶手段の記憶内容がその変更された待機状態に更新される。遊技機において外部電源からの電力供給が遮断されるタイミングは不規則であり、監視手段がいずれの待機状態の場合に電力供給が遮断されるかは予め特定することはできない。この場合に、上記のように待機状態が変更された場合には記憶手段の記憶内容をその変更された待機状態に更新することで、外部電源からの電力供給がいずれのタイミングで遮断されたとしても、その遮断された場合における待機状態を記憶手段に記憶させておくことができる。
【０１１２】
手段３７．手段３６において、前記監視手段から前記待機状態の情報を入力する入力手段（ＣＰＵ３１１の入力ポート等）をさらに備えており、
前記把握手段は前記入力手段にて入力した待機状態の情報を繰り返し確認することで前記待機状態を把握するものであり、
前記更新手段は、少なくとも前記把握手段により把握された待機状態が前記記憶手段に記憶されている待機状態と異なっている場合に、当該記憶手段の記憶内容を前記把握手段により把握された待機状態の情報に更新することを特徴とする遊技機。
【０１１３】
手段３７によれば、監視手段の待機状態が繰り返し確認され、少なくとも確認された待機状態が記憶手段に記憶されている待機状態と異なっている場合には、記憶手段の記憶内容がその確認された待機状態に更新される。これにより、上記手段３６の作用効果を得ることができる。
【０１１４】
手段３８．手段３６又は３７において、前記第２特定手段は、前記外部電源からの電力供給が行われている状況において、前記把握手段により把握された待機状態と前記記憶手段にそれまで記憶されていた待機状態とを比較することにより、前記開閉体が開放操作されたか否かを特定することを特徴とする遊技機。
【０１１５】
手段３８によれば、外部電源からの電力供給が行われている状況では、監視手段の待機状態が把握され、その把握された待機状態とそれまで記憶手段に記憶されていた待機状態とが比較され、開閉体が開放操作されたか否かが特定される。これにより、電力供給が行われている状況において開閉体が不正に開放操作された場合にはその事実を把握することが可能となり、それに対して対処することが可能となる。
【０１１６】
また、本構成においては、外部電源からの電力供給が行われている状況における開閉体の開放の監視を、外部電源からの電力供給が遮断されている状況における開閉体の開放を監視するための記憶手段等の構成を利用して行うことが可能となる。
【０１１７】
手段３９．手段３４乃至３８のいずれか１において、前記監視手段は、閉鎖状態にある前記開閉体が開放操作された場合に前記待機状態が当該操作前の状態から変更され、開放状態にある前記開閉体が閉鎖操作されたとしても前記待機状態が変更されないものであることを特徴とする遊技機。
【０１１８】
手段３９によれば、開放状態にある開閉体が閉鎖操作されたとしても待機状態が変更されないため、遊技機のメンテナンス時などといった開閉体が開放状態である状況で外部電源からの電力供給が遮断されたとしても、その後の閉鎖操作により監視手段の待機状態が異なるものとなってしまうことはない。これにより、上記のように電力供給の遮断中における開閉体の不正な開放操作を監視手段により監視するようにした構成において、遊技機のメンテナンス性の低下を極力抑制することが可能となる。一方、閉鎖状態にある開閉体が開放操作されたことに基づいて待機状態が操作前の状態から変更されるため、外部電源からの電力供給が遮断された状況において、開閉体の不正な開閉操作を監視することは可能である。
【０１１９】
手段４０．手段３４乃至３８のいずれか１において、前記監視手段は、閉鎖状態にある前記開閉体が開放操作された場合に前記待機状態が当該操作前の状態から変更され、開放状態にある前記開閉体が閉鎖操作されたとしても前記待機状態が変更されないものであり、
前記第２特定手段は、前記外部電源からの電力供給が行われている状況において、前記監視手段の待機状態が変更された場合に前記開閉体が開放されたことを特定することを特徴とする遊技機。
【０１２０】
手段４０によれば、開放状態にある開閉体が閉鎖操作されたとしても待機状態が変更されないため、遊技機のメンテナンス時などといった開閉体が開放状態である状況で外部電源からの電力供給が遮断されたとしても、その後の閉鎖操作により監視手段の待機状態が異なるものとなってしまうことはない。これにより、上記のように電力供給の遮断中における開閉体の不正な開放操作を監視手段により監視するようにした構成において、遊技機のメンテナンス性の低下を極力抑制することが可能となる。一方、閉鎖状態にある開閉体が開放操作されたことに基づいて待機状態が操作前の状態から変更されるため、外部電源からの電力供給が遮断された状況において、開閉体の不正な開閉操作を監視することは可能である。
【０１２１】
また、外部電源からの電力供給が行われている状況においては、監視手段の待機状態が変更された場合に開閉体が開放されたことが特定される。これにより、電力供給が行われている状況において開閉体が不正に開放操作された場合にはその事実を把握することが可能となり、それに対して対処することが可能となる。
【０１２２】
特に、上記のように閉鎖状態にある開閉体が開放操作されたことに基づいて待機状態が当該操作前の状態から変更され、開放状態にある開閉体が閉鎖操作されたとしても待機状態が変更されない構成であるため、外部電源からの電力供給が行われている状況において開閉体が開放操作された場合にはその事実を開放操作されたタイミング又はその直後において特定することが可能となる。よって、開閉体が不正に開放操作された場合には、その事実を開放操作後の初期段階で把握することが可能となり、当該不正行為に対して適切に対処することが可能となる。
【０１２３】
手段４１．手段４４乃至４７のいずれか１において、前記監視手段は、閉鎖状態にある前記開閉体が開放操作された場合に前記待機状態が当該操作前の状態から変更されるとともに、開放状態にある前記開閉体が閉鎖操作された場合にも前記待機状態が当該操作前の状態から変更されるものであり、さらに前記開閉体が開閉操作された場合には前記待機状態が当該開閉操作前の状態から変更されるものであり、
前記第２特定手段は、前記外部電源からの電力供給が行われている状況において、前記開閉体が開放されているか否かを前記監視手段の待機状態に基づいて特定することを特徴とする遊技機。
【０１２４】
手段４１によれば、外部電源からの電力供給が行われている状況において開閉体が開放操作された場合には、開閉体が開放状態であることを当該開閉体が閉鎖状態となるまで正確に特定することができる。例えば、外部電源からの電力供給が行われている状況において開閉体が開放操作された場合に報知を行う遊技機においては、当該報知を開閉体が開放状態となってから当該開閉体が閉鎖状態となるまでの間、正確に行うことが可能となる。
【０１２５】
手段４２．手段４１において、前記監視手段は、前記開閉体が閉鎖状態にある場合の閉鎖待機状態と前記開閉体が開放状態にある場合の開放待機状態とがそれぞれ複数設定されており、
前記各閉鎖待機状態の情報又は前記各開放待機状態の情報の少なくとも一方を予め記憶した待機状態記憶手段（ＲＯＭ４３２の前扉枠用記憶エリア４４３、本体枠用記憶エリア４４４）をさらに備えており、
前記第２特定手段は、前記外部電源からの電力供給が行われている状況において、前記監視手段の待機状態と前記待機状態記憶手段に記憶されている待機状態の情報とを比較することにより前記開閉体が開放されているか否かを特定することを特徴とする遊技機。
【０１２６】
手段４２によれば、監視手段は閉鎖待機状態と開放待機状態とがそれぞれ複数設定されているため、閉鎖状態にある開閉体が開放操作された場合に待機状態が当該操作前の状態から変更されるとともに、開放状態にある開閉体が閉鎖操作された場合にも待機状態が当該操作前の状態から変更され、さらには開閉体が開閉操作された場合には待機状態が当該開閉操作前の状態から変更される。また、待機状態記憶手段が設けられており、外部電源からの電力供給が行われている状況においては、監視手段の待機状態と待機状態記憶手段に記憶されている待機状態の情報とが比較される構成であるため、外部電源からの電力供給が行われている状況において開閉体が開放操作された場合には、開閉体が開放状態であることを当該開閉体が閉鎖状態となるまで正確に特定することができる。これにより、上記手段４１の作用効果を得ることができる。
【０１２７】
手段４３．手段３１乃至４２のいずれか１において、前記第１特定手段により前記外部電源からの電力供給が遮断されている状況で前記開閉体が開放操作されたことが特定された場合に第１特定出力処理を実行する第１特定出力処理手段（ＣＰＵ３１１における復電時用報知処理を実行する機能、ＣＰＵ４３１における復電時用報知処理を実行する機能等）と、
前記第２特定手段により前記外部電源からの電力供給が行われている状況において前記開閉体が開放操作されたことが特定された場合に第２特定出力処理（ＣＰＵ３１１における通常時用報知処理を実行する機能、ＣＰＵ４３１における通常時用報知処理を実行する機能等）を実行する第２特定出力処理手段と、
をさらに備えていることを特徴とする遊技機。
【０１２８】
手段４３によれば、電力供給が遮断されている状況において開閉体が開放操作されたことが特定された場合には第１特定出力処理が実行される。また、電力供給が行われている状況において開閉体が開放操作されたことが特定された場合には第２特定出力処理が実行される。例えば、これら第１特定出力処理及び第２特定出力処理として、遊技機に設置されたランプ、スピーカ又は表示画面を有する表示装置の少なくとも１つを駆動制御して報知を行わせるようにすることで、電力供給が遮断されている状況で開閉体が開放操作されていたこと及び電力供給が行われている状況で開閉体が開放操作されたことを遊技機自身において報知することが可能となる。また、第１特定出力処理及び第２特定出力処理として、例えば、遊技ホールの管理装置（例えば、ホールコンピュータ）に報知信号を出力することで、電力供給が遮断されている状況で開閉体が開放操作されていたこと及び電力供給が行われている状況で開閉体が開放操作されたことを、管理装置を通じて遊技ホールの管理者等に報知することが可能となる。
【０１２９】
なお、第１特定出力処理及び第２特定出力処理の態様を同一のものとしてもよく、また異なるものとしてもよい。第１特定出力処理及び第２特定出力処理の態様を異なるものとした場合には、例えば上記報知が行われる場合、電力供給が遮断されている状況で開閉体が開放操作された場合における報知の態様と、電力供給が行われている状況で開閉体が開放操作された場合における報知の態様とを異ならせることが可能となる。よって、遊技ホールの管理者等にとってはいずれのことを報知しているのかを識別することが可能となる。
【０１３０】
手段４４．手段３１乃至４３のいずれか１において、前記外部電源からの電力供給が開始された場合に予め定められた開始時用処理を実行する開始時用処理手段（ＣＰＵ３１１，４３１におけるメイン処理を実行する機能等）をさらに備えており、
前記開始時用処理において、前記第１特定手段による前記特定が行われることを特徴とする遊技機。
【０１３１】
手段４４によれば、外部電源からの電力供給が開始される場合には、外部電源からの電力供給が遮断されている状況において開閉体の開放操作が行われていたか否かが特定される。これにより、電力供給が遮断されている状況において開閉体が不正に開放操作されていた場合には、電力供給の開始後に迅速に対処することが可能となる。
【０１３２】
手段４５．手段３１乃至４３のいずれか１において、前記外部電源からの電力供給が開始された場合に予め定められた開始時用処理を実行する開始時用処理手段（ＣＰＵ３１１，４３１におけるメイン処理を実行する機能等）と、
当該開始時用処理の終了後に行われ、予め定められた複数の処理を繰り返し実行することで遊技を進行させる繰り返し処理手段（ＣＰＵ３１１，４３１における通常処理を実行する機能等又はタイマ割込み処理を実行する機能等）と、
をさらに備えており、
前記第１特定手段は、前記繰り返し処理手段により実行される前記予め定められた複数の処理における一部の処理として前記特定を行うことを特徴とする遊技機。
【０１３３】
外部電源からの電力供給が開始された場合には、短時間で遊技の進行が可能となる状態となることが好ましい。この場合に、手段４５によれば、外部電源からの電力供給が遮断されている状況において開閉体が開放操作されたか否かの特定が開始時用処理においてではなく繰り返し処理において実行される。これにより、開始時用処理の処理時間に影響を及ぼすことなく、外部電源からの電力供給が遮断されている状況において開閉体が開放操作されたか否かを監視することが可能となる。
【０１３４】
手段４６．外部電源から供給される電力に基づいて動作する電気機器（可変入賞装置８３、主制御装置１６２、払出装置２２４、払出制御装置２４２等）が搭載された遊技機本体（本体枠１３）と、当該遊技機本体に対して開閉可能に支持され遊技機前面部を構成する遊技機前面体（前扉枠１４）と、を備えた遊技機において、
複数段階の待機状態が予め設定されているとともに、前記外部電源からの電力供給が行われている状況及び電力供給が遮断されている状況のいずれにおいても前記遊技機前面体の開閉操作に応じて動作し、前記遊技機前面体が開閉操作された場合には前記待機状態が当該開閉操作前の状態から変更される監視手段（監視装置２５０等）と、
前記外部電源からの電力供給が遮断された場合における前記監視手段の待機状態とその後に前記外部電源からの電力供給が開始された場合における前記監視手段の待機状態とを比較することにより、前記外部電源からの電力供給が遮断されている状況で前記遊技機前面体が開放操作されたか否かを特定する第１特定手段（ＣＰＵ３１１におけるステップＳ９１５及びステップＳ９１６の処理を実行する機能等）と、
前記外部電源からの電力供給が行われている状況において、前記遊技機前面体が開放操作されたか否かを前記監視手段の前記動作に基づいて特定する第２特定手段（ＣＰＵ３１１におけるステップＳ１００１及びステップＳ１００２の処理を実行する機能等）と、
を備えていることを特徴とする遊技機。
【０１３５】
手段４６の遊技機では、外部電源から供給された電力に基づいて電気機器が動作することで、遊技が進行することとなる。
【０１３６】
当該構成において、複数段階の待機状態を有する監視手段が設けられており、外部電源からの電力供給の遮断中であっても遊技機前面体が開閉操作された場合には、待機状態が当該操作前の状態から変更される。この場合に、外部電源からの電力供給が遮断された場合における監視手段の待機状態とその後に外部電源からの電力供給が開始された場合における監視手段の待機状態とが比較され、外部電源からの電力供給が遮断されている状況で遊技機前面体が開放操作されたか否かが特定される。これにより、電力供給が遮断されている状況において遊技機前面体が不正に開閉操作されていた場合にはその事実を把握することが可能となり、それに対して対処することが可能となる。
【０１３７】
また、外部電源からの電力供給が行われている状況において遊技機前面体が開放された場合には、それが監視手段を介して特定される。つまり、監視手段は、外部電源からの電力供給が遮断されている状況及び電力供給が行われている状況のいずれにおいても、遊技機前面体の開放を監視する機能を有することとなり、それぞれの機能を別で設ける構成に比して、遊技機の部品点数の削減が図られる。
【０１３８】
なお、「前記遊技機前面体が開閉操作された場合には前記待機状態が当該開閉操作前の状態から変更される」には、「閉鎖状態にある前記遊技機前面体が開放操作されたこと又は開放状態にある前記遊技機前面体が閉鎖操作されたことの少なくとも一方に基づいて前記待機状態が変更されるとともに、閉鎖操作後には前記待機状態が開閉操作前の状態から変更される」構成も含まれる。
【０１３９】
また、上記手段４６の構成を手段３４に対応した構成に変更してもよく、さらには上記手段４６に対して上記手段３２，３３，３５乃至４５のいずれか１の構成を適用してもよい。この場合、上記手段４６に関わる発明は、より効果的なものとなる。但し、手段３４に対応した構成に変更する場合及び手段３５乃至４５のいずれか１の構成を適用する場合、「支持対象」を「遊技機本体」に代えるとともに、「開閉体」を「遊技機前面体」に代えて適用する。
【０１４０】
手段４７．支持対象（外枠１１）に対して開閉可能に支持され、外部電源から供給される電力に基づいて動作する電気機器（可変入賞装置８３、主制御装置１６２、払出装置２２４、払出制御装置２４２等）が搭載された遊技機主体（遊技機主部１２）を備えた遊技機において、
複数段階の待機状態が予め設定されているとともに、前記外部電源からの電力供給が行われている状況及び電力供給が遮断されている状況のいずれにおいても前記遊技機主体の開閉操作に応じて動作し、前記遊技機主体が開閉操作された場合には前記待機状態が当該開閉操作前の状態から変更される監視手段（監視装置２５０等）と、
前記外部電源からの電力供給が遮断された場合における前記監視手段の待機状態とその後に前記外部電源からの電力供給が開始された場合における前記監視手段の待機状態とを比較することにより、前記外部電源からの電力供給が遮断されている状況で前記遊技機主体が開放操作されたか否かを特定する第１特定手段（ＣＰＵ３１１におけるステップＳ９１５及びステップＳ９１６の処理を実行する機能等）と、
前記外部電源からの電力供給が行われている状況において、前記遊技機主体が開放操作されたか否かを前記監視手段の前記動作に基づいて特定する第２特定手段（ＣＰＵ３１１における本体枠開放監視処理を実行する機能等）と、
を備えていることを特徴とする遊技機。
【０１４１】
手段４７の遊技機では、外部電源から供給された電力に基づいて電気機器が動作することで、遊技が進行することとなる。
【０１４２】
当該構成において、複数段階の待機状態を有する監視手段が設けられており、外部電源からの電力供給の遮断中であっても遊技機主体が開閉操作された場合には、待機状態が当該操作前の状態から変更される。この場合に、外部電源からの電力供給が遮断された場合における監視手段の待機状態とその後に外部電源からの電力供給が開始された場合における監視手段の待機状態とが比較され、外部電源からの電力供給が遮断されている状況で遊技機主体が開放操作されたか否かが特定される。これにより、電力供給が遮断されている状況において遊技機主体が不正に開閉操作されていた場合にはその事実を把握することが可能となり、それに対して対処することが可能となる。
【０１４３】
また、外部電源からの電力供給が行われている状況において遊技機主体が開放された場合には、それが監視手段を介して特定される。つまり、監視手段は、外部電源からの電力供給が遮断されている状況及び電力供給が行われている状況のいずれにおいても、遊技機主体の開放を監視する機能を有することとなり、それぞれの機能を別で設ける構成に比して、遊技機の部品点数の削減が図られる。
【０１４４】
なお、「前記遊技機主体が開閉操作された場合、前記待機状態が当該開閉操作前の状態から変更される」には、「閉鎖状態にある前記遊技機主体が開放操作されたこと又は開放状態にある前記遊技機主体が閉鎖操作されたことの少なくとも一方に基づいて前記待機状態が変更されるとともに、閉鎖操作後には前記待機状態が開閉操作前の状態から変更される」構成も含まれる。
【０１４５】
また、上記手段４７の構成を手段３４に対応した構成に変更してもよく、さらには上記手段４７に対して上記手段３２，３３，３５乃至４５のいずれか１の構成を適用してもよい。この場合、上記手段４７に関わる発明は、より効果的なものとなる。但し、手段３４に対応した構成に変更する場合及び手段３５乃至４５のいずれか１の構成を適用する場合、「開閉体」を「遊技機主体」に代えて適用する。
【０１４６】
以下に、以上の各手段を適用し得る各種遊技機の基本構成を示す。
【０１４７】
パチンコ遊技機：遊技者が操作する操作手段（遊技球発射ハンドル４１）と、その操作手段の操作に基づいて遊技球を発射する遊技球発射手段（遊技球発射機構１１０）と、その発射された遊技球を所定の遊技領域に導く球通路（内，外レール部１０１，１０２）と、遊技領域内に配置された各遊技部品とを備え、それら各遊技部品のうち所定の入球部（各種スイッチ１５２〜１５５）に遊技球が入球した場合に遊技者に特典を付与する遊技機。
【０１４８】
スロットマシン等の回胴式遊技機：複数の絵柄を可変表示させる絵柄表示装置を備え、始動操作手段の操作に基づいて前記複数の絵柄の可変表示が開始され、停止操作手段の操作に基づいて前記複数の絵柄の可変表示が停止され、その停止後の絵柄に応じて遊技者に特典を付与する遊技機。
【０１４９】
（第１の実施形態）
以下、遊技機の一種であるパチンコ遊技機（以下、「パチンコ機」という）の第１の実施形態を、図面に基づいて詳細に説明する。図１はパチンコ機１０の正面図、図２及び図３はパチンコ機１０の主要な構成を展開して示す斜視図、図４はパチンコ機１０の背面図である。なお、図２では便宜上パチンコ機１０の遊技領域内の構成を省略している。
【０１５０】
パチンコ機１０は、当該パチンコ機１０の外殻を形成する外枠１１と、この外枠１１に対して前方に回動可能（開閉可能）に取り付けられた遊技機主部１２とを有する。外枠１１は木製の板材を四辺に連結し構成されるものであって矩形枠状をなしている。パチンコ機１０は、外枠１１を島設備に取り付け固定することにより、遊技ホールに設置される。
【０１５１】
遊技機主部１２は、ベース体としての本体枠１３と、その本体枠１３の前方に配置される前扉枠１４と、本体枠１３の後方に配置される裏パックユニット１５とを備えている。遊技機主部１２のうち本体枠１３が外枠１１に対して回動可能（開閉可能）に支持されている。詳細には、正面視で左側を回動基端側（開閉基端側）とし右側を回動先端側（開閉先端側）として本体枠１３が前方へ回動可能とされている。
【０１５２】
本体枠１３には、図２に示すように、前扉枠１４が回動可能（開閉可能）に支持されており、正面視で左側を回動基端側（開閉基端側）とし右側を回動先端側（開閉先端側）として前方へ回動可能とされている。また、本体枠１３には、図３に示すように、裏パックユニット１５が回動可能（開閉可能）に支持されており、正面視で左側を回動基端側（開閉基端側）とし右側を回動先端側（開閉先端側）として後方へ回動可能とされている。
【０１５３】
次に、前扉枠１４について説明する。なお、以下の説明では、図１〜図３を参照するとともに、前扉枠１４の背面の構成については図５を参照する。図５は、前扉枠１４の背面図である。
【０１５４】
前扉枠１４は本体枠１３の前面側全体を覆うようにして設けられている。前扉枠１４には後述する遊技領域のほぼ全域を前方から視認することができるようにした窓部２１が形成されている。窓部２１は、略楕円形状をなし、透明性を有するガラス２２が嵌め込まれている。なお、ガラス２２に代えて、透明樹脂板を嵌め込むようにしてもよい。
【０１５５】
窓部２１の周囲には、各種ランプ等の発光手段が設けられている。例えば、窓部２１の周縁に沿ってＬＥＤ等の発光手段を内蔵した環状電飾部２３が設けられている。環状電飾部２３では、大当たり時や所定のリーチ時等における遊技状態の変化に応じて点灯や点滅が行われる。また、環状電飾部２３の中央であってパチンコ機１０の最上部には所定のエラー時に点灯するエラー表示ランプ部２４が設けられ、さらにその左右側方には賞球払出中に点灯する賞球ランプ部２５が設けられている。また、左右の賞球ランプ部２５に近接した位置には、遊技状態に応じた効果音などが出力されるスピーカ部２６が設けられている。
【０１５６】
前扉枠１４における窓部２１の下方には、手前側へ膨出した上側膨出部３１と下側膨出部３２とが上下に並設されている。上側膨出部３１内側には上方に開口した上皿３３が設けられており、下側膨出部３２内側には同じく上方に開口した下皿３４が設けられている。上皿３３は、後述する払出装置より払い出された遊技球を一旦貯留し、一列に整列させながら後述する遊技球発射機構側へ導くための機能を有する。また、下皿３４は、上皿３３内にて余剰となった遊技球を貯留する機能を有する。
【０１５７】
下側膨出部３２の右方には、手前側へ突出するようにして遊技球発射ハンドル４１が設けられている。遊技球発射ハンドル４１が操作されることにより、後述する遊技球発射機構から遊技球が発射される。
【０１５８】
前扉枠１４の背面には、図２及び図５に示すように、通路形成ユニット５０が取り付けられている。通路形成ユニット５０は、合成樹脂により形成されており、上皿３３に通じる前扉側上皿通路５１と、下皿３４に通じる前扉側下皿通路５２とが形成されている。通路形成ユニット５０において、その上側隅部には後方に突出し上方に開放された受口部５３が形成されており、当該受口部５３を仕切壁５４によって左右に仕切ることで前扉側上皿通路５１と前扉側下皿通路５２の入口部分とが形成されている。前扉側上皿通路５１及び前扉側下皿通路５２は上流側が後述する遊技球分配部に通じており、前扉側上皿通路５１に入った遊技球は上皿３３に導かれ、前扉側下皿通路５２に入った遊技球は下皿３４に導かれる。
【０１５９】
前扉枠１４の背面における回動基端側（図５の右側）には、その上端部及び下端部に突起軸６１，６２が設けられている。これら突起軸６１，６２は本体枠１３に対する組付機構を構成する。また、前扉枠１４の背面における回動先端側（図５の左側）には、図２に示すように、後方に延びる鉤金具６３が上下方向に複数並設されている。これら鉤金具６３は本体枠１３に対する施錠機構を構成する。
【０１６０】
次に、本体枠１３について詳細に説明する。図６は本体枠１３の正面図である。
【０１６１】
本体枠１３は、外形が外枠１１とほぼ同一形状をなす樹脂ベース７１を主体に構成されている。樹脂ベース７１の前面における回動基端側（図６の左側）には、その上端部及び下端部に支持金具７２，７３が取り付けられている。図示は省略するが、支持金具７２，７３には軸孔が形成されており、それら軸孔に前扉枠１４の突起軸６１，６２が挿入されることにより、本体枠１３に対して前扉枠１４が回動可能に支持されている。
【０１６２】
樹脂ベース７１の前面における回動先端側（図６の右側）には、前扉枠１４の背面に設けられた鉤金具６３を挿入するための挿入孔７４がそれぞれ設けられている。本パチンコ機１０では、本体枠１３や前扉枠１４を施錠状態とするための施錠装置が本体枠１３の背面側に隠れて配置される構成となっている。したがって、鉤金具６３が挿入孔７４を介して施錠装置に係止されることによって、前扉枠１４が本体枠１３に対して開放不能に施錠される。
【０１６３】
樹脂ベース７１の右下隅部には、施錠装置の解錠操作を行うためのシリンダ錠７５が設置されている。シリンダ錠７５は施錠装置に一体化されており、シリンダ錠７５の鍵穴に差し込んだキーを右に回すと本体枠１３に対する前扉枠１４の施錠が解かれるようになっている。なお、シリンダ錠７５の鍵穴に差し込んだキーを左に回すと外枠１１に対する本体枠１３の施錠が解かれるようになっている。
【０１６４】
樹脂ベース７１の上部には、図２及び図６に示すように、前扉枠１４が開放されているか否か（又は閉鎖されているか否か）を検知する前扉枠開閉検知装置としての前扉枠開放センサ（前扉枠開放スイッチ）７８が設けられている。前扉枠開放センサ７８は、樹脂ベース７１の前面から出没可能なピンを有しており、本体枠１３に対して前扉枠１４を閉じた状態ではピンが押し込まれて前扉枠１４の閉鎖が検知され、本体枠１３に対して前扉枠１４を開いた状態ではピンが突出位置に戻って前扉枠１４の開放が検知されるようになっている。
【０１６５】
樹脂ベース７１の中央部には略楕円形状の窓孔７６が形成されている。樹脂ベース７１には遊技盤８１が着脱可能に取り付けられている。遊技盤８１は合板よりなり、遊技盤８１の前面に形成された遊技領域が樹脂ベース７１の窓孔７６を通じて本体枠１３の前面側に露出した状態となっている。
【０１６６】
ここで、遊技盤８１の構成を図７に基づいて説明する。遊技盤８１には、ルータ加工が施されることによって前後方向に貫通する大小複数の開口部が形成されている。各開口部には一般入賞口８２，可変入賞装置８３，作動口８４，スルーゲート８５及び可変表示ユニット８６等がそれぞれ設けられている。一般入賞口８２は、左右にそれぞれ２個ずつ合計４個設けられている。一般入賞口８２、可変入賞装置８３及び作動口８４に遊技球が入ると、それが後述する検知スイッチにより検知され、その検知結果に基づいて所定数の賞球の払い出しが実行される。その他に、遊技盤８１の最下部にはアウト口８７が設けられており、各種入賞口等に入らなかった遊技球はアウト口８７を通って遊技領域から排出される。また、遊技盤８１には、遊技球の落下方向を適宜分散、調整等するために多数の釘８８が植設されていると共に、風車等の各種部材（役物）が配設されている。
【０１６７】
可変表示ユニット８６には、作動口８４への入賞をトリガとして図柄を可変表示する図柄表示装置９１が設けられている。また、可変表示ユニット８６には、図柄表示装置９１を囲むようにしてセンターフレーム９２が配設されている。センターフレーム９２の上部には、第１特定ランプ部９３及び第２特定ランプ部９４が設けられている。また、センターフレーム９２の上部及び下部にはそれぞれ保留ランプ部９５，９６が設けられている。下側の保留ランプ部９５は、図柄表示装置９１及び第１特定ランプ部９３に対応しており、遊技球が作動口８４を通過した回数は最大４回まで保留され保留ランプ部９５の点灯によってその保留個数が表示されるようになっている。上側の保留ランプ部９６は、第２特定ランプ部９４に対応しており、遊技球がスルーゲート８５を通過した回数は最大４回まで保留され保留ランプ部９６の点灯によってその保留個数が表示されるようになっている。
【０１６８】
図柄表示装置９１は、液晶ディスプレイを備えた液晶表示装置として構成されており、後述する表示制御装置により表示内容が制御される。図柄表示装置９１には、例えば左、中及び右に並べて図柄が表示され、これらの図柄が上下方向にスクロールされるようにして変動表示されるようになっている。そして、予め設定されている有効ライン上に所定の組合せの図柄が停止表示された場合には、特別遊技状態（以下、大当たりという）が発生することとなる。
【０１６９】
第１特定ランプ部９３では、作動口８４への入賞をトリガとして所定の順序で発光色の切り替えが行われ、予め定められた色で停止表示された場合には大当たりが発生する。また、第２特定ランプ部９４では、遊技球のスルーゲート８５の通過をトリガとして所定の順序で発光色の切り替えが行われ、予め定められた色で停止表示された場合には作動口８４に付随する電動役物が所定時間だけ開放状態となる。
【０１７０】
可変入賞装置８３は、通常は遊技球が入賞できない又は入賞し難い閉状態になっており、大当たりの際に遊技球が入賞しやすい所定の開放状態に切り換えられるようになっている。可変入賞装置８３の開放態様としては、所定時間（例えば３０秒間）の経過又は所定個数（例えば１０個）の入賞を１ラウンドとして、複数ラウンド（例えば１５ラウンド）を上限として可変入賞装置８３が繰り返し開放されるものが一般的である。
【０１７１】
遊技盤８１には、内レール部１０１と外レール部１０２とが取り付けられており、これら内レール部１０１と外レール部１０２とにより誘導レールが構成され、後述する遊技球発射機構から発射された遊技球が遊技領域の上部に案内されるようになっている。
【０１７２】
遊技球発射機構１１０は、図６に示すように、樹脂ベース７１における窓孔７６の下方に取り付けられている。遊技球発射機構１１０は、電磁式のソレノイド１１１と、発射レール１１２と、球送り機構１１３とからなり、ソレノイド１１１への電気的な信号の入力により当該ソレノイド１１１の出力軸が伸縮方向に移動し、球送り機構１１３によって発射レール１１２上に置かれた遊技球を遊技領域に向けて打ち出す。
【０１７３】
発射レール１１２と遊技盤８１に取り付けられた内，外レール部１０１，１０２との間には所定間隔の隙間があり、この隙間より下方には前扉枠１４の通路形成ユニット５０に形成されたファール球通路５５が配設されている。したがって、仮に遊技球発射機構１１０から発射された遊技球が遊技領域の上部に到達せずに、内，外レール部１０１，１０２によって構成される誘導レールを逆戻りする場合には、そのファール球がファール球通路５５内に入る。ファール球通路５５は前扉側下皿通路５２に通じており、ファール球通路５５に入った遊技球は下皿３４に排出される。
【０１７４】
樹脂ベース７１において発射レール１１２の左方には、樹脂ベース７１を前後方向に貫通させて通路形成部１２１が設けられている。通路形成部１２１には図３に示すように本体側上皿通路１２２と本体側下皿通路１２３とが形成されている。本体側上皿通路１２２及び本体側下皿通路１２３の上流側は、後述する遊技球分配部に通じている。また、通路形成部１２１の下方には前扉枠１４に取り付けられた通路形成ユニット５０の受口部５３が入り込んでおり、本体側上皿通路１２２の下方には前扉側上皿通路５１が配置され、本体側下皿通路１２３の下方には前扉側上皿通路５１が配置されている。
【０１７５】
樹脂ベース７１において通路形成部１２１の下方には、本体側上皿通路１２２及び本体側下皿通路１２３を開閉する開閉部材１２４が取り付けられている。開閉部材１２４はその下端に設けられた支軸１２５により前後方向に回動可能に支持されており、さらに本体側上皿通路１２２及び本体側下皿通路１２３を閉鎖する前方位置に付勢する図示しない付勢部材が設けられている。したがって、前扉枠１４を本体枠１３に対して開いた状態では開閉部材１２４が図示の如く起き上がり、本体側上皿通路１２２及び本体側下皿通路１２３を閉鎖する。これにより、本体側上皿通路１２２又は本体側下皿通路１２３に遊技球が貯留されている状態で前扉枠１４を開放した場合、その貯留球がこぼれ落ちてしまうといった不都合が防止できる。これに対し、前扉枠１４を閉じた状態では、前扉枠１４の通路形成ユニット５０に設けられた受口部５３により付勢力に抗して開閉部材１２４が押し開けられる。この状態では、本体側上皿通路１２２と前扉側上皿通路５１とが連通し、さらに本体側下皿通路１２３と前扉側下皿通路５２とが連通している。
【０１７６】
次に、本体枠１３の背面構成について説明する。図８は本体枠１３の背面図である。
【０１７７】
樹脂ベース７１の背面における回動先端側（図８の左側）には、施錠装置１３１が設けられており、シリンダ錠７５におけるキー操作に対して施錠装置１３１が連動し、本体枠１３及び前扉枠１４の解錠が行われる。
【０１７８】
樹脂ベース７１の背面における回動基端側（図８の右側）には、軸受け金具１３２が取り付けられている。軸受け金具１３２には、上下に離間させて軸受け部１３３が形成されており、これら軸受け部１３３により本体枠１３に対して裏パックユニット１５が回動可能に取り付けられている。また、樹脂ベース７１の背面には、裏パックユニット１５を本体枠１３に締結するための被締結孔１３４が設けられている。
【０１７９】
樹脂ベース７１の背面には、係止金具１３５が複数設けられており、これら係止金具１３５によって上述したように樹脂ベース７１に対して遊技盤８１が取り付けられている。ここで、遊技盤８１の背面の構成を説明する。図９は遊技盤８１を後方より見た斜視図、図１０は遊技盤８１から主制御装置ユニット１６０を取り外した状態を示す背面図である。
【０１８０】
遊技盤８１の中央に配置される可変表示ユニット８６には、センターフレーム９２を背後から覆う合成樹脂製のフレームカバー１４１が後方に突出させて設けられており、フレームカバー１４１に対して後側から上述した図柄表示装置９１が取り付けられるとともに、その図柄表示装置を駆動するための表示制御装置が取り付けられている（図示は省略）。これら図柄表示装置９１及び表示制御装置は前後方向に重ねて配置され（図柄表示装置が前、表示制御装置が後）、さらにその後方に音声ランプ制御装置ユニット１４２が搭載されている。音声ランプ制御装置ユニット１４２は、音声ランプ制御装置１４３と、取付台１４４とを具備する構成となっており、取付台１４４上に音声ランプ制御装置１４３が装着されている。
【０１８１】
音声ランプ制御装置１４３は、後述する主制御装置からの指示に従い音声やランプ表示、及び表示制御装置の制御を司る音声ランプ制御基板を具備しており、音声ランプ制御基板が透明樹脂材料等よりなる基板ボックス１４５に収容されて構成されている。
【０１８２】
遊技盤８１の背面には、図１０に示すように、可変表示ユニット８６の下方に集合板ユニット１５０が設けられている。集合板ユニット１５０には、各種入賞口に入賞した遊技球を回収するための遊技球回収機構や、各種入賞口等への遊技球の入賞を検知するための入賞検知機構などが設けられている。
【０１８３】
遊技球回収機構について説明すると、集合板ユニット１５０には、前記一般入賞口８２、可変入賞装置８３、作動口８４の遊技盤開口部に対応して且つ下流側で１カ所に集合する回収通路１５１が形成されている。したがって、一般入賞口８２等に入賞した遊技球は何れも回収通路１５１を介して遊技盤８１の下方に集合する。遊技盤８１の下方には後述する排出通路があり、回収通路１５１により遊技盤８１の下方に集合した遊技球は排出通路内に導出される。なお、アウト口８７も同様に排出通路に通じており、何れの入賞口にも入賞しなかった遊技球もアウト口８７を介して排出通路内に導出される。
【０１８４】
入賞検知機構について説明すると、集合板ユニット１５０には、遊技盤８１表側の各一般入賞口８２と対応する位置にそれぞれ入賞口スイッチ１５２ａ〜１５２ｄが設けられている。また、可変入賞装置８３と対応する位置にカウントスイッチ１５３が設けられ、作動口８４に対応する位置に作動口スイッチ１５４が設けられている。これらスイッチ１５２〜１５４により遊技球の入賞がそれぞれ検知される。また、集合板ユニット１５０外における可変表示ユニット８６の右側には、スルーゲート８５を通過する遊技球を検知するゲートスイッチ１５５が設けられている。
【０１８５】
遊技盤８１の背面には、集合板ユニット１５０を後側から覆うようにして主制御装置ユニット１６０が搭載されている。主制御装置ユニット１６０の構成について図１１を用いて説明する。図１１は主制御装置ユニット１６０の構成を示す斜視図である。
【０１８６】
主制御装置ユニット１６０は、合成樹脂製の取付台１６１を有し、取付台１６１に主制御装置１６２が搭載されている。主制御装置１６２は、遊技の主たる制御を司る機能（主制御回路）と、電源を監視する機能（停電監視回路）とを有する主制御基板を具備しており、当該主制御基板が透明樹脂材料等よりなる基板ボックス１６３に収容されて構成されている。
【０１８７】
基板ボックス１６３は、略直方体形状のボックスベース（表ケース体）とこのボックスベースの開口部を覆うボックスカバー（裏ケース体）とを備えている。これらボックスベースとボックスカバーとは封印手段としての封印部１６４によって開封不能に連結され、これにより基板ボックス１６３が封印されている。封印部１６４は、基板ボックス１６３の長辺部に５つ設けられ、そのうち少なくとも一つが用いられて封印処理が行われる。
【０１８８】
封印部１６４はボックスベースとボックスカバーとを開封不能に結合する構成であれば任意の構成が適用できるが、封印部１６４を構成する長孔に係止爪を挿入することでボックスベースとボックスカバーとが開封不能に結合されるようになっている。封印部１６４による封印処理は、その封印後の不正な開封を防止し、また万一不正開封が行われてもそのような事態を早期に且つ容易に発見可能とするものであって、一旦開封した後でも再度封印処理を行うこと自体は可能である。すなわち、５つの封印部１６４のうち、少なくとも一つの長孔に係止爪を挿入することにより封印処理が行われる。そして、収容した主制御基板の不具合発生の際や主制御基板の検査の際など基板ボックス１６３を開封する場合には、係止爪が挿入された封印部と他の封印部との連結部分を切断する。これにより、基板ボックス１６３のボックスベースとボックスカバーとが分離され、内部の主制御基板を取り出すことができる。その後、再度封印処理する場合は他の封印部の長孔に係止爪を挿入する。基板ボックス１６３の開封を行った旨の履歴を当該基板ボックス１６３に残しておけば、基板ボックス１６３を見ることで不正な開封が行われた旨が容易に発見できる。
【０１８９】
基板ボックス１６３の一方の短辺部には、その側方に突出するようにして複数の結合片１６５が設けられている。これら結合片１６５は、取付台１６１に形成された複数の被結合片１６６と１対１で対応しており、結合片１６５と被結合片１６６とにより基板ボックス１６３と取付台１６１との間で封印処理が行われる。
【０１９０】
次に、裏パックユニット１５について説明する。図１２は裏パックユニット１５の正面図、図１３は裏パックユニット１５の分解斜視図である。
【０１９１】
裏パックユニット１５は、裏パック２０１を備えており、当該裏パック２０１に対して、払出機構部２０２、排出通路盤２０３、及び制御装置集合ユニット２０４が取り付けられている。裏パック２０１は透明性を有する合成樹脂により成形されており、払出機構部２０２などが取り付けられるベース部２１１と、パチンコ機１０後方に突出し略直方体形状をなす保護カバー部２１２とを有する。保護カバー部２１２は左右側面及び上面が閉鎖され且つ下面のみが開放された形状をなし、少なくとも可変表示ユニット８６を囲むのに十分な大きさを有する。
【０１９２】
ベース部２１１には、その右上部に外部端子板２１３が設けられている。外部端子板２１３には、パチンコ機１０に発生した各種のエラー情報を出力するための出力端子、本体枠１３の開放時に信号出力するための出力端子、及び前扉枠１４の開放時に信号出力するための出力端子等が設けられている。そして、これらの出力端子を通じて、遊技ホール側の管理制御装置（又はホールコンピュータ）に対して枠側の状態に関する信号が出力される。
【０１９３】
ベース部２１１には、外部端子板２１３よりも外側に、本体枠１３が開放されているか否か（又は閉鎖されているか否か）を検知する本体枠開閉検知装置としての本体枠開放センサ（本体枠開放スイッチ）２３０が設けられている。外枠１１に対して本体枠１３を閉じた状態では当該センサ２３０の金属接点が閉じて本体枠１３の閉鎖が検知され、外枠１１に対して本体枠１３を開いた状態では金属接点が開いて本体枠１３の開放が検知されるようになっている。
【０１９４】
また、ベース部２１１にはパチンコ機１０後方からみて右端部に上下一対の掛止ピン２１４が設けられており、掛止ピン２１４を本体枠１３に設けられた前記軸受け部１３３に挿通させることで、裏パックユニット１５が本体枠１３に対して回動可能に支持されている。また、ベース部２１１には、本体枠１３に設けられた被締結孔１３４に対して締結するための締結具２１５が設けられており、当該締結具２１５を被締結孔１３４に嵌め込むことで本体枠１３に対して裏パックユニット１５が固定されている。
【０１９５】
ベース部２１１には、保護カバー部２１２を迂回するようにして払出機構部２０２が配設されている。すなわち、裏パック２０１の最上部には上方に開口したタンク２２１が設けられており、タンク２２１には遊技ホールの島設備から供給される遊技球が逐次補給される。タンク２２１の下方には、下流側に向けて緩やかに傾斜するタンクレール２２２が連結され、タンクレール２２２の下流側には上下方向に延びるケースレール２２３が連結されている。ケースレール２２３の最下流部には払出装置２２４が設けられている。払出装置２２４より払い出された遊技球は、当該払出装置２２４の下流側に設けられた図示しない払出通路を通じて、裏パック２０１のベース部２１１に設けられた遊技球分配部２２５に供給される。
【０１９６】
遊技球分配部２２５は、払出装置２２４より払い出された遊技球を上皿３３、下皿３４又は後述する排出通路の何れかに振り分けるための機能を有し、内側の開口部２２６が上述した本体側上皿通路１２２及び前扉側上皿通路５１を介して上皿３３に通じ、中央の開口部２２７が本体側下皿通路１２３及び前扉側下皿通路５２を介して下皿３４に通じ、外側の開口部２２８が排出通路に通じるように形成されている。
【０１９７】
払出機構部２０２には、裏パック基板（電力受入部又は外部電力受入部）２２９が設置されている。裏パック基板２２９には、例えば交流２４ボルトの主電源が供給され、電源スイッチ２２９ａの切替操作により電源ＯＮ又は電源ＯＦＦとされるようになっている。
【０１９８】
ベース部２１１の下端部には、当該下端部を前後に挟むようにして排出通路盤２０３及び制御装置集合ユニット２０４が取り付けられている。排出通路盤２０３は、制御装置集合ユニット２０４と対向する面に後方に開放された排出通路２３１が形成されており、当該排出通路２３１の開放部は制御装置集合ユニット２０４によって塞がれている。排出通路２３１は、遊技ホールの島設備等へ遊技球を排出するように形成されており、上述した回収通路１５１等から排出通路２３１に導出された遊技球は当該排出通路２３１を通ることでパチンコ機１０外部に排出される。
【０１９９】
制御装置集合ユニット２０４は、横長形状をなす取付台２４１を有し、取付台２４１に払出制御装置２４２と電源及び発射制御装置２４３とが搭載されている。これら払出制御装置２４２と電源及び発射制御装置２４３とは、払出制御装置２４２がパチンコ機１０後方となるように前後に重ねて配置されている。
【０２００】
払出制御装置２４２は、基板ボックス２４４内に払出装置２２４を制御する払出制御基板が収容されている。なお、払出制御装置２４２から払出装置２２４への払出指令の信号は上述した裏パック基板２２９により中継される。また、払出制御装置２４２には状態復帰スイッチ２４５が設けられている。例えば、払出装置２２４における球詰まり等、払出エラーの発生時において状態復帰スイッチ２４５が押されると、球詰まりの解消が図られるようになっている。
【０２０１】
電源及び発射制御装置２４３は、基板ボックス２４６内に電源及び発射制御基板が収容されており、当該基板により、各種制御装置等で要する所定の電力が生成されて出力され、さらに遊技者による遊技球発射ハンドル４１の操作に伴う遊技球の打ち出しの制御が行われる。また、電源及び発射制御装置２４３にはＲＡＭ消去スイッチ２４７が設けられている。本パチンコ機１０は各種データの記憶保持機能を有しており、万一停電が発生した際でも停電時の状態を保持し、停電からの復帰の際には停電時の状態に復帰できるようになっている。したがって、例えば遊技ホールの営業終了の場合のように通常手順で電源を遮断すると遮断前の状態が記憶保持されるが、ＲＡＭ消去スイッチ２４７を押しながら電源を投入すると、ＲＡＭデータが初期化されるようになっている。
【０２０２】
次に、パチンコ機１０の電源が遮断されている状態で本体枠１３や前扉枠１４が開放された場合に、その事実を把握するための構成について説明する。
【０２０３】
図６及び図１４に示すように、本体枠１３の樹脂ベース７１には、第１監視装置２５１が設けられている。また、図１５に示すように、裏パックユニット１５には、第２監視装置２５２が設けられている。第１監視装置２５１により、電源遮断状態での前扉枠１４の開放が監視され、第２監視装置２５２により、電源遮断状態での遊技機主部１２の開放が監視される。
【０２０４】
ここで、第１監視装置２５１及び第２監視装置２５２の具体的な構成について説明する。なお、第１監視装置２５１及び第２監視装置２５２は共に同一の構成を具備してなるため、これら両監視装置２５１，２５２の説明を監視装置２５０としてまとめて行う。図１６は監視装置２５０の斜視図、図１７は監視装置２５０の分解斜視図、図１８は監視装置２５０の断面図である。
【０２０５】
監視装置２５０は、有色不透明の合成樹脂材料によりそれぞれ形成された土台用ケース体２５４と蓋用ケース体２５５とを備えており、これら両ケース体２５４，２５５がネジ固定されていることによりハウジング２５６が形成されている。なお、蓋用ケース体２５５及び土台用ケース体２５４のうちいずれか一方又は両方を、無色透明の合成樹脂材料により形成してもよく、また合成樹脂材料ではなく金属材料により形成してもよい。
【０２０６】
ハウジング２５６内には、本体枠１３や前扉枠１４といった監視対象物の移動に応じて機械的に動作し、その動作により待機位置が変更される機械的動作機構２５７と、当該機械的動作機構２５７の待機位置を検知するとともにその検知結果を主制御装置１６２に出力するための検知装置２５８とが設置されている。なお、両ケース体２５４，２５５のうち、蓋用ケース体２５５の側面には一対の固定用フランジ２５９が一体形成されており、これら固定用フランジ２５９を介して、監視装置２５０は設置対象にネジ固定（着脱自在に固定）されている。
【０２０７】
機械的動作機構２５７について詳細に説明する。なお、機械的動作機構２５７の説明では、図１６〜図１８に加え、図１９を参照する。図１９は、機械的動作機構２５７の主要構成部品の側面図である。
【０２０８】
機械的動作機構２５７は、回転軸体２６１と、連動体としての円盤２６２と、第１付勢手段としての第１バネ２６３と、リンク体としての回転子２６４と、第２付勢手段としての第２バネ２６５と、移動体としてのプッシャ（押下体又は押圧体）２６６と、を備えている。なお、図１９においては、第１バネ２６３及び第２バネ２６５を省略して示す。
【０２０９】
回転軸体２６１は、土台用ケース体２５４上において円盤２６２を回転可能に保持するためのものである。具体的には、回転軸体２６１は、合成樹脂材料により形成されており、図１９等に示すように、円柱状をなす基部２６１ａと、当該基部２６１ａの一端面から起立させて形成され角柱状をなす軸部２６１ｂとを備えている。軸部２６１ｂは基部２６１ａよりもその周縁が一回り小さく形成されており、基部２６１ａと軸部２６１ｂとの境界部分には段差面２６１ｃが存在している。なお、回転軸体２６１は、その内部が空洞となっており、基部２６１ａの先端部にて開放されているが、非空洞形状としてもよい。
【０２１０】
回転軸体２６１に対して円盤２６２が組み付けられて両者が一体化されている。詳細には、円盤２６２の中央には、図１７に示すように、角形（具体的には、四角形状）の貫通孔２６２ａが形成されており、当該貫通孔２６２ａに対して回転軸体２６１の軸部２６１ｂが嵌合されている。この場合、軸部２６１ｂの高さ寸法は円盤２６２の厚み寸法よりも大きくなっており、さらに円盤２６２の裏面は回転軸体２６１の上記段差面２６１ｃに当接している。したがって、図１８に示すように、軸部２６１ｂは円盤２６２の表面よりも軸線方向の外方に突出している（以下、突出部２６１ｄともいう）。なお、回転軸体２６１と円盤２６２とは別体である必要はなく、両者が一体形成されていてもよい。
【０２１１】
円盤２６２が一体化された回転軸体２６１は、基部２６１ａにおける段差面２６１ｃとは反対側の端部が土台用ケース体２５４の内側の板面上に載るようにして、土台用ケース体２５４上に載置されている。この場合、土台用ケース体２５４には内側の板面から起立させて円形囲い枠２５４ａが一体形成されており、当該円形囲い枠２５４ａにより区画された領域内に基部２６１ａが載置されている。この円形囲い枠２５４ａにより内側の板面上に沿った回転軸体２６１（及び円盤２６２）の移動が規制されている。
【０２１２】
円盤２６２が一体化された回転軸体２６１が土台用ケース体２５４上に載置された状態において、当該回転軸体２６１の軸部２６１ｂの突出部２６１ｄは、図１８に示すように、蓋用ケース体２５５の筒状領域２７１内に入り込んでいる。
【０２１３】
詳細には、蓋用ケース体２５５には、円盤２６２の回転軸線と軸線が同一線上に位置するようにして筒状領域２７１が一体形成されている。筒状領域２７１は、蓋用ケース体２５５の表面から外方に起立させて形成された外側筒部２７２と、蓋用ケース体２５５の裏面から内方に起立させて形成された内側筒部２７３とを備えており、蓋用ケース体２５５を内外に貫通している。
【０２１４】
外側筒部２７２の先端開口部２７５には、図１８に示すように、内側に突出した環状縮径部２７６が一体形成されており、筒状領域２７１の内径は外側筒部２７２の先端開口部２７５にて縮径されている。また、外側筒部２７２の内周面には、図１９（ａ）に示すように、環状縮径部２７６を基端として軸線方向に延びる複数（具体的には、８個）のケース側リブ２７７が一体形成されている。これら複数のケース側リブ２７７は、上記軸線を中心として等間隔に形成されており、各ケース側リブ２７７間にはそれぞれケース側カム溝２７８が形成されている。任意の一のケース側リブ２７７は他の一のケース側リブ２７７と対向しており、任意の一のケース側カム溝２７８は他の一のケース側カム溝２７８と対向している。また、ケース側リブ２７７の数はケース側カム溝２７８の数と同一となっている。なお、対向するケース側カム溝２７８間の距離は、筒状領域２７１におけるケース側リブ２７７が形成された領域よりも内側筒部２７３側の領域の内径と同一となっている。
【０２１５】
上記構成の筒状領域２７１内に、図１８に示すように、内側筒部２７３側から突出部２６１ｄが入り込んでいる。また、筒状領域２７１には、第１バネ２６３、回転子２６４、第２バネ２６５及びプッシャ２６６が設置されている。これら第１バネ２６３、回転子２６４、第２バネ２６５及びプッシャ２６６は、それらの各軸線が円盤２６２の回転軸線及び筒状領域２７１の軸線と同一線上に位置している。
【０２１６】
プッシャ２６６は合成樹脂材料により形成されており、図１８に示すように、軸線方向の一端側が開放され他端側が閉塞された形状をなしている。なお、閉塞部２６６ａの周面は外方に凸の曲面状となっている。
【０２１７】
プッシャ２６６の外周面におけるその開放部２６６ｂ側には、外方に突出した複数の突起２６６ｃが一体形成されている。これら複数の突起２６６ｃは、上記軸線を中心として等間隔に形成されており、任意の一の突起２６６ｃは他の一の突起２６６ｃと対向している。突起２６６ｃの数は、ケース側リブ２７７やケース側カム溝２７８の数よりも少ないが、同数としてもよい。
【０２１８】
プッシャ２６６における、閉塞部２６６ａの周面及び突起２６６ｃが形成された領域を除いた部位の外径は、対向するケース側リブ２７７間の距離と同一又はそれよりも若干小さくなっている。プッシャ２６６は、筒状領域２７１内にその内側筒部２７３側から挿通されており、閉塞部２６６ａ側が先端開口部２７５を通じて筒状領域２７１の外方に突出しており、開放部２６６ｂ側が筒状領域２７１内にある。この場合、各突起２６６ｃは、ケース側カム溝２７８内に入り込んでいる。そして、プッシャ２６６は、筒状領域２７１内を軸線方向に移動可能となっている。
【０２１９】
筒状領域２７１内であってプッシャ２６６と円盤２６２との間に、回転子２６４が設けられている。回転子２６４は合成樹脂材料により形成されており、図１９（ｃ）に示すように、軸線方向の途中位置に形成された段差部２８１を介して、外径が相対的に大小となった小径部２８２と大径部２８３とを備えている。
【０２２０】
大径部２８３の外周面には、その先端部から当該大径部２８３の途中位置まで軸線方向に延びる複数（具体的には、８個）の回転子側カム溝２８４が形成されている。これら複数の回転子側カム溝２８４は、上記軸線を中心として等間隔に形成されており、各回転子側カム溝２８４間にはそれぞれ回転子側リブ２８５が形成されている。回転子側カム溝２８４の数は回転子側リブ２８５の数と同一となっており、さらには回転子側カム溝２８４及び回転子側リブ２８５の数はケース側カム溝２７８及びケース側リブ２７７の数と同一となっている。
【０２２１】
回転子２６４において回転子側リブ２８５が形成された部位が最大外径部位となっており、この最大外径部位の外径は筒状領域２７１におけるケース側リブ２７７が形成された領域よりも内側筒部２７３側の領域の内径と同一又はそれよりも若干小さくなっている。また、各回転子側リブ２８５は各ケース側カム溝２７８内に入り込み可能に形成されているとともに、各回転子側カム溝２８４は各ケース側リブ２７７が入り込み可能に形成されている。したがって、回転子２６４は筒状領域２７１内を軸線方向に移動可能となっている。
【０２２２】
回転子２６４は、図１８に示すように、その内部が小径部２８２の先端にて開放された第１開放領域２８６と、その内部が大径部２８３の先端にて開放された第２開放領域２８７とを備えており、これら第１開放領域２８６と第２開放領域２８７とは軸線方向に直交する面を有する仕切板部２８８により区画されている。
【０２２３】
第１開放領域２８６及び第２開放領域２８７のうち、第１開放領域２８６は断面が角形状（具体的には、四角形状）をなしており、当該角形状は回転軸体２６１の軸部２６１ｂの角形状と同一の多角形状をなしている。この第１開放領域２８６に軸部２６１ｂが遊挿されている。但し、第１開放領域２８６の各内面は軸部２６１ｂの各外面と近い位置にあり、回転子２６４は回転軸体２６１及び円盤２６２と一体的に回転する。つまり、回転子２６４がその軸線を中心として回転する場合、それに連動して円盤２６２が軸線を中心として回転する。ちなみに、第１開放領域２８６の長さ寸法は、突出部２６１ｄの長さ寸法よりも小さくなっている。
【０２２４】
これら回転子２６４と円盤２６２との間に介在させて、図１８に示すように、上記第１バネ２６３が設置されている。第１バネ２６３は、その内径が回転子２６４の小径部２８２の外径よりも大きくなっており、その一端が円盤２６２の表面に当接しており、他端が回転子２６４の段差部２８１に当接している。また、回転子２６４とプッシャ２６６との間に介在させて、上記第２バネ２６５が設置されている。第２バネ２６５は、その外径がプッシャ２６６の内径よりも小さくなっており、プッシャ２６６の内部空間に収容されている。そして、その一端がプッシャ２６６の閉塞部内面に当接しており、他端が回転子２６４の仕切板部２８８に当接している。第１バネ２６３及び第２バネ２６５は、圧縮状態で設置されている。なお、これら第１バネ２６３及び第２バネ２６５のうち、第１バネ２６３の付勢力の方が第２バネ２６５の付勢力よりも大きい。
【０２２５】
第１バネ２６３の付勢力は、円盤２６２に付与されるとともに、回転子２６４及びプッシャ２６６に付与される。この付勢力により、円盤２６２は土台用ケース体２５４に向けて付勢され、回転子２６４及びプッシャ２６６は外側筒部２７２の先端開口部２７５に向けて付勢されている。
【０２２６】
この先端開口部２７５に向けた回転子２６４及びプッシャ２６６の移動は、プッシャ２６６の各突起２６６ｃが外側筒部２７２の環状縮径部２７６に内側から当接した位置にて規制されている。つまり、プッシャ２６６の押圧が行われていない自然状態では、プッシャ２６６は筒状領域２７１から最も外方に突出した最大突出位置にある。
【０２２７】
回転子２６４は、上記自然状態において、各回転子側リブ２８５が各ケース側カム溝２７８に入り込み、さらに各回転子側カム溝２８４に各ケース側リブ２７７が入り込んだ状態となっている。つまり、回転子２６４は、自然状態において、軸線方向を中心とした回転が不可能となっている。なお、回転子２６４は、自然状態において、その第１開放領域２８６に突出部２６１ｄが遊挿されている。
【０２２８】
一方、第２バネ２６５の付勢力は、回転子２６４に付与されるとともに、プッシャ２６６に付与される。この第２バネ２６５は、プッシャ２６６における後述する自然状態への復帰動作を良好にするためのものである。なお、当該第２バネ２６５を不具備としても、プッシャ２６６の自然状態への復帰動作は可能である。
【０２２９】
以上説明した機械的動作機構２５７では、プッシャ２６６の自然状態からの移動及び当該自然状態への復帰に連動して円盤２６２が回転する。そこで、かかる円盤２６２の回転に関する構成について説明する。
【０２３０】
円盤２６２は上記のとおり回転軸体２６１と一体化されており、土台用ケース体２５４上に回転可能に載置されている。この場合に、円盤２６２は、回転子２６４の回転移動に連動して回転移動する。詳細には、回転子２６４の大径部２８３の先端には、図１９（ｃ）に示すように、連続山形状の回転子側カム部２８９が一体形成されている。この回転子側カム部２８９は、複数の山部２８９ａから構成されている。具体的には、一対の回転子側リブ２８５と回転子側カム溝２８４に対して、一の山部２８９ａが形成されている。この場合、回転子側リブ２８５の先端面は全て一方向への傾斜面となっており、各回転子側リブ２８５においてそれら傾斜面の傾斜方向及び傾斜角度は全て同一となっている。同様に、回転子側カム溝２８４の先端面は全て一方向への傾斜面となっており、各回転子側カム溝２８４においてそれら傾斜面の傾斜方向及び傾斜角度は全て同一となっている。
【０２３１】
上記回転子側カム部２８９に対応させて、プッシャ２６６の開放部２６６ｂの先端には、図１９（ｂ）に示すように、連続山形状のプッシャ側カム部２９０が一体形成されている。プッシャ側カム部２９０は、回転子側カム部２８９の山部２８９ａと同数の山部２９０ａから構成されている。そして、プッシャ側カム部２９０の山部２９０ａは、回転子側カム部２８９の山部２８９ａと同一のピッチ、大きさ、傾斜及び形状を有している。したがって、回転子２６４の大径部２８３の先端とプッシャ２６６の開放部２６６ｂの先端とをそれらの軸線方向に重ね合わせると、回転子側カム部２８９とプッシャ側カム部２９０とが完全に噛み合う。
【０２３２】
また、筒状領域２７１のケース側リブ２７７の先端面２７７ａは、図１９（ａ）に示すように、全て一方向への傾斜面となっており、各ケース側リブ２７７においてそれら傾斜面の傾斜方向及び傾斜角度は全て同一となっている。この各ケース側リブ２７７の先端面２７７ａの傾斜方向は、各回転子側リブ２８５の先端面の傾斜方向に対して逆方向となっているが、両者の傾斜角度は同一となっている。
【０２３３】
上記のように回転子側カム部２８９、プッシャ側カム部２９０及びケース側リブ２７７が形成されていることにより、プッシャ２６６の自然状態からの移動及び当該自然状態への復帰に連動して円盤２６２が回転する。かかる円盤２６２の回転動作について、図２０を参照して説明する。図２０は、プッシャ２６６の移動に連動した円盤２６２の回転動作を説明するための説明図である。なお、図２０（ａ）は自然状態を示し、図２０（ｂ）及び図２０（ｃ）はプッシャ２６６が押圧されている状態を示し、図２０（ｄ）は自然状態に復帰する過程を示す。また、図２０（ａ）〜（ｄ）において、ドット模様で示す部位は回転子側リブ２８５であり、格子状模様で示す部位はケース側リブ２７７であり、黒塗りで示す部位はプッシャ２６６の突起２６６ｃである。
【０２３４】
図２０（ａ）に示すように、自然状態では、上述したように、第１バネ２６３に付勢されて、プッシャ２６６は最大突出位置にある。この場合、回転子２６４は、各回転子側リブ２８５が各ケース側カム溝２７８に入り込んでいるとともに、各回転子側カム溝２８４に各ケース側リブ２７７が入り込んでいる。これにより、回転子２６４の回転移動は阻止されている。なお、プッシャ２６６も、その突起２６６ｃがケース側カム溝２７８に入り込んでいるため、回転移動が阻止されている。また、回転子側カム部２８９は、その一部がプッシャ側カム部２９０に当接している。但し、これらカム部２８９，２９０は完全には噛み合っていない。
【０２３５】
その後、プッシャ２６６が第１バネ２６３の付勢力に抗する力で押圧されることにより、プッシャ２６６及び回転子２６４が円盤２６２側に向けて移動し、図２０（ｂ）に示すように、各回転子側リブ２８５が各ケース側カム溝２７８から外れるとともに、各回転子側カム溝２８４から各ケース側リブ２７７が外れる。これにより、回転子２６４の回転移動が許容される。一方、プッシャ２６６は、その突起２６６ｃがケース側カム溝２７８に入り込んでいるため、回転移動は依然として阻止されている。
【０２３６】
ここで、回転子２６４は上記のとおり第１バネ２６３の付勢力を受けているため、プッシャ２６６が押圧されている状況であってもプッシャ２６６側に向けた力が加わっている。また、回転子側カム部２８９は、その一部がプッシャ側カム部２９０に当接している。したがって、回転子２６４は、回転子側カム部２８９がプッシャ側カム部２９０と完全に噛み合う位置に向けて回転移動する。これにより、図２０（ｃ）に示すように、回転子２６４のそれ以上の内側への移動が阻止されたプッシャ２６６の最大押圧位置では、回転子側カム部２８９はプッシャ側カム部２９０と完全に噛み合っている。この場合に、上記のとおり、回転子２６４と円盤２６２とは回転軸体２６１の軸部２６１ｂを介して一体的に回転するようになっている。したがって、図２０（ｂ）から図２０（ｃ）への回転子２６４の回転移動に合わせて円盤２６２が回転移動する。この円盤２６２の回転量（回転角度）は、回転子２６４の回転量（回転角度）と同一となっている。これは、以下も同様である。
【０２３７】
その後、プッシャ２６６の押圧が解除されることにより、プッシャ２６６及び回転子２６４は、第１バネ２６３の付勢力（及び第２バネ２６５の付勢力）によって自然状態に向けて移動する。但し、プッシャ側カム部２９０の谷部分は、回転子２６４の回転方向で見て、ケース側リブ２７７の幅方向の中間位置となっている。したがって、図２０（ｄ）に示すように、プッシャ２６６はケース側リブ２７７と干渉することなく自然状態に向けて移動するが、回転子２６４は回転子側リブ２８５がケース側リブ２７７と干渉する。
【０２３８】
この場合に、上記のとおり、各ケース側リブ２７７の先端面２７７ａの傾斜方向は、各回転子側リブ２８５の先端面の傾斜方向に対して逆方向となっており、さらに両者の傾斜角度は同一となっている。また、回転子２６４は上記のとおり第１バネ２６３の付勢力を受けている。したがって、回転子２６４は、ケース側リブ２７７の先端面２７７ａに沿って回転移動する。また、この回転子２６４の回転移動に合わせて円盤２６２が回転移動する。これら回転子２６４及び円盤２６２の回転方向は、プッシャ２６６が押圧された際の回転子２６４及び円盤２６２の回転方向と同一となっている。そして、最終的に、図２０（ａ）に示すように、プッシャ２６６及び回転子２６４が自然状態に復帰する。但し、上記一連の動作により回転子２６４は所定角度回転し、各回転子側リブ２８５は当初のケース側カム溝２７８内からその隣のケース側カム溝２７８内に移動している。そして、この回転子２６４の回転移動に合わせて円盤２６２も回転移動している。
【０２３９】
以上説明した本構成では、自然状態にあるプッシャ２６６が押圧され、その後に自然状態に復帰するという１サイクルの動作が行われた場合には、円盤２６２は常に同一の規定角度だけ回転移動する（規定回転量だけ回転移動する）。そして、円盤２６２が一周するためには、上記１サイクルの動作がケース側カム溝２７８の数分行われる必要がある。かかる構成では、円盤２６２は、自然状態における待機位置（回転待機位置）が複数段階設定されていると言うことができ、上記１サイクルの動作により１の待機位置から次の待機位置に移動すると言える。
【０２４０】
上記のように回転子２６４及び円盤２６２が回転する構成において、プッシャ２６６が最大突出位置（又は、自然状態）から最大押圧位置（又は、プッシャ側カム部２９０と回転子側カム部２８９とが完全に噛み合う位置）に移動するまでの回転量（回転角度）は、プッシャ２６６が最大押圧位置から最大突出位置に移動するまでの回転量（回転角度）よりも小さくなっている。当該構成について図２１を参照して説明する。図２１は、蓋用ケース体２５５の筒状領域２７１、プッシャ２６６の開放部２６６ｂ側及び回転子２６４の大径部２８３周辺を展開して示す説明図である。なお、図２１における寸法や距離の記載は、単一の仮想円周を基準としたものである。
【０２４１】
既に説明したように、ケース側リブ２７７の幅寸法Ｘ１とケース側カム溝２７８の幅寸法Ｘ２とは同一（又は略同一）となっており（Ｘ１＝Ｘ２）、図２１（ａ）に示すように、一対のケース側リブ２７７とケース側カム溝２７８との各幅寸法Ｘ１，Ｘ２の和は、距離Ｌ１となっている（Ｌ１＝Ｘ１＋Ｘ２）。そして、上記のとおり、自然状態からプッシャ２６６が最大押圧位置まで移動し、その後、自然状態に復帰した場合、各回転子側リブ２８５は当初のケース側カム溝２７８内からその隣りのケース側カム溝２７８内に移動する。したがって、プッシャ２６６が上記のように１サイクルの移動を行った場合、回転子２６４の回転量はＬ１となる。
【０２４２】
また、プッシャ側カム部２９０の山部（プッシャ側山部）２９０ａの数と回転子側カム部２８９の山部（回転子側山部）２８９ａの数とは同一となっており、さらにプッシャ側山部２９０ａの幅寸法と回転子側山部２８９ａの幅寸法とは同一となっている。プッシャ側山部２９０ａ及び回転子側山部２８９ａは、共に同一形状及び同一の大きさの二等辺三角形となっており、幅寸法はＬ１となっている。ちなみに、各山部２８９ａ，２９０ａの最大突出箇所から最大凹箇所までの幅寸法は（Ｌ１×１／２）となっている。また、各プッシャ側山部２９０ａの最大突出箇所は、ケース側カム溝２７８の幅方向の中間位置にあり、各プッシャ側山部２９０ａの最大凹箇所は、ケース側リブ２７７の幅方向の中間位置にある。
【０２４３】
図２１（ａ）に示すように、自然状態では、各回転子側リブ２８５が各ケース側カム溝２７８内に入り込んでいる。この場合、プッシャ側山部２９０ａと回転子側山部２８９ａとは当接しているが、プッシャ側カム部２９０と回転子側カム部２８９とが完全に噛み合った状態のときよりも幅方向に距離Ｌ２分ずれた位置にある。この距離Ｌ２は、距離Ｌ１の１／４となっている。
【０２４４】
その後、プッシャ２６６が押圧され各回転子側リブ２８５が各ケース側カム溝２７８から外れることにより、回転子２６４が距離Ｌ２分、すなわち距離（Ｌ１×１／４）分だけ回転移動し、図２１（ｂ）に示すように、プッシャ側カム部２９０と回転子側カム部２８９とが噛み合った状態となる。
【０２４５】
その後、プッシャ２６６の押圧が解除され自然状態に復帰することで、既に説明したように、回転子２６４が回転移動し、各回転子側リブ２８５が移動先の各ケース側カム溝２７８内に入り込んだ状態となる。この際の回転量は、距離（Ｌ１−Ｌ２）分、すなわち距離（Ｌ１×３／４）分である。つまり、本構成においては、自然状態からプッシャ２６６が最大押圧位置まで移動する際に回転子２６４が回転移動する回転量（回転角度）は、自然状態に復帰する際に回転子２６４が回転移動する回転量（回転角度）の１／３となっている。そして、これに伴って、円盤２６２が回転移動する回転量（回転角度）は、自然状態からプッシャ２６６が最大押圧位置まで移動する際に対して、自然状態に復帰する際の１／３となっている。
【０２４６】
なお、回転子２６４（及び円盤２６２）の回転量は上記のものに限定されることはない。すなわち、回転子側リブ２８５が一のケース側カム溝２７８からその隣りのケース側カム溝２７８に回転移動する場合、その回転移動の途中位置にてプッシャ側カム部２９０と回転子側カム部２８９とが噛み合い、この噛み合いにより、自然状態からプッシャ２６６が最大押圧位置に向けて移動する場合の回転子２６４の回転移動が規制されるものであり、この各カム部２８９，２９０が噛み合う位置までの回転子２６４の回転量（回転角度）が当該噛み合う位置から移動先のケース側カム溝２７８までの回転子２６４の回転量（回転角度）よりも小さくなっていればよい。
【０２４７】
次に、検知装置２５８による円盤２６２の待機位置の検知に関する構成を説明する。図２２は検知装置２５８の平面図である。
【０２４８】
検知装置２５８は、円盤２６２の回転待機位置を検知し、その検知結果を主制御装置１６２に出力する機能を有する。具体的には、検知装置２５８は、合成樹脂材料により形成されたベース部２９１を備えている。ベース部２９１は、その中央部分に厚み方向に貫通した矩形の開口部２９１ａを有する略矩形枠状をなしている。ベース部２９１には、その周縁部の一辺に外方に延出した延出板部２９１ｂが一体形成されており、当該延出板部２９１ｂの表面にはコネクタ（電気的接続部材）２９２が設置されている。コネクタ２９２は複数（具体的には、５個）の接続ピン２９２ａを備えている。当該コネクタ２９２には、図１６や図１７に示すように、主制御装置１６２に向けた信号経路を形成するハーネス２９３のコネクタ（電気的接続部材）２９３ａが接続される。なお、ハーネス２９３は、上記接続ピン２９２ａの数と同数の電気配線２９３ｂを束ねてなり、各接続ピン２９２ａに対応した信号経路は主制御装置１６２と検知装置２５８との間の全体に亘ってそれぞれ独立している。
【０２４９】
コネクタ２９２の接続ピン２９２ａは、図２２に示すように、開口部２９１ａに設置された長尺状の金属端子２９４と電気的に接続されている。金属端子２９４について詳細には、金属端子２９４は複数設けられており、各金属端子２９４は全て同一の形状及び大きさを有している。金属端子２９４の数は、コネクタ２９２の接続ピン２９２ａと同数となっている。各金属端子２９４は、その一端が開口部２９１ａの周縁におけるコネクタ２９２側の一辺に固定されているとともに、他端が開口部２９１ａの周縁におけるコネクタ２９２側の一辺に対して対向する一辺に固定されている。つまり、各金属端子２９４は、開口部２９１ａの周縁におけるコネクタ２９２側の一辺とそれに対向する一辺とを橋渡すようにして設置されている。
【０２５０】
開口部２９１ａにおいて各金属端子２９４は相互に離間させて設けられており、各金属端子２９４は相互に接触していない。また、複数の金属端子２９４は、開口部２９１ａにおける非橋渡し方向の両端部にそれぞれ偏倚させて設置されている。これにより、開口部２９１ａにおいて非橋渡し方向の中央部分は所定範囲に亘って金属端子２９４が位置していない。
【０２５１】
上記のように開口部２９１ａにおける非橋渡し方向の両端部にそれぞれ偏倚させて複数の金属端子２９４を設置した構成において、非橋渡し方向の一端側に偏倚させて設置された金属端子２９４の数と他端側に偏倚させて設置された金属端子２９４の数とは異なっている。具体的には、図２２の状態で見て、右端側に偏倚させて設置された金属端子２９４の数は３個となっており、左端側に偏倚させて設置された金属端子２９４の数は２個となっている。このうち、右端側の金属端子２９４は等間隔で離間させて設置されており、この離間させた間隔は金属端子２９４の幅寸法分となっている。また、左端側の金属端子２９４は、当該金属端子２９４の幅寸法分離間させて設置されている。
【０２５２】
なお、右端側の金属端子２９４の数を左端側の金属端子２９４の数よりも少なくしてもよく、右端側の金属端子２９４の数と左端側の金属端子２９４の数とを同数としてもよい。また、右端側又は左端側のいずれか一方にのみ金属端子２９４を設置するようにしてもよい。また、金属端子２９４間の距離は、金属端子２９４の幅寸法分よりも大きくてもよい。
【０２５３】
各金属端子２９４は、その長さ方向の中間部分が、ベース部２９１の裏面側から表面側に変形されている。つまり、各金属端子２９４は、その長さ方向の中間部分に隆起接点部２９５が形成されている。各金属端子２９４は、隆起接点部２９５のみが開口部２９１ａの表面側の縁部よりも外方に突出しており、その他の部分は当該表面側の縁部よりも奥まった位置にある。これら隆起接点部２９５は、検知装置２５８の上方に位置する円盤２６２の裏面によって上方から若干押圧されている。金属端子２９４は、比較的弾性の大きい金属により長尺状に形成されており板バネとしての機能を有しているため、隆起接点部２９５は自己の付勢力により円盤２６２の裏面に接した状態が維持されている。
【０２５４】
各金属端子２９４は、ベース部２９１の裏面に設けられた中継電気線２９６を介してコネクタ２９２の接続ピン２９２ａと電気的に接続されている。この中継電気線２９６は、金属端子２９４及び接続ピン２９２ａの各組合せと１対１で対応させて設けられており、各中継電気線２９６は相互に離間されている。
【０２５５】
上記の検知装置２５８は、土台用ケース体２５４上に載置されているとともに、当該土台用ケース体２５４と蓋用ケース体２５５とにより挟持されている。そして、検知装置２５８は、延出板部２９１ｂ及びコネクタ２９２を除いてハウジング２５６内に収容されている。つまり、延出板部２９１ｂ及びコネクタ２９２はハウジング２５６外に突出している。
【０２５６】
検知装置２５８は、土台用ケース体２５４上において、円盤２６２の下方に位置している。この場合に、円盤２６２と一体化された回転軸体２６１は土台用ケース体２５４上に載置されているが、検知装置２５８のベース部２９１には開口部２９１ａが形成されており、さらに開口部２９１ａにおいて非橋渡し方向の中央部分は所定範囲に亘って金属端子２９４が位置していないため、検知装置２５８と回転軸体２６１との干渉が防止されている。
【０２５７】
円盤２６２は、検知装置２５８の上方において回転移動する。この円盤２６２の構成について図２３を用いてより詳細に説明する。図２３（ａ）は円盤２６２の平面図、図２３（ｂ）は図２３（ａ）のＡ―Ａ線断面図である。
【０２５８】
円盤２６２は、図２３（ｂ）に示すように、その厚み方向に複数層構造となっている。具体的には、表側の第１樹脂板層２９７と、中間の金属板層２９８と、裏側の第２樹脂板層２９９と、からなる３層構造となっている。この場合、回転軸体２６１の軸部２６１ｂが嵌合される貫通孔２６２ａは、全ての板層２９７〜２９９を貫通するようにして形成されている。
【０２５９】
円盤２６２は、既に説明したように、自然状態における待機位置が複数段階設定されており、プッシャ２６６の上記１サイクルの動作により、一の待機位置から次の待機位置に回転移動する。ここで、図２３（ａ）において、円盤２６２の表面に記した数字は待機位置を示しており、当該円盤２６２は第１待機位置〜第８待機位置を有している。この待機位置について詳細には、第１待機位置では、数字の「１」が記された部位が、検知装置２５８のコネクタ２９２と最も近い位置にある。また、円盤２６２は、図２３（ａ）の状態で見て時計回りに回転移動するものであり、次の第２待機位置では、数字の「２」が記された部位が、検知装置２５８のコネクタ２９２と最も近い位置にある。なお、この数字を不具備としてもよい。
【０２６０】
円盤２６２は、各待機位置において、検知装置２５８の各金属端子２９４を、所定の組合せで電気的に導通させる。当該機能について詳細に説明する。円盤２６２の第１樹脂板層２９７と金属板層２９８とには、貫通孔２６２ａ以外の孔部は形成されていないが、第２樹脂板層２９９には貫通孔２６２ａ以外に複数の孔部２９９ａが形成されている。この孔部２９９ａが形成された位置では、金属板層２９８の板面が露出している。この露出した板面が、検知装置２５８による被検知部２９８ａとなっている。
【０２６１】
被検知部２９８ａは、図２３（ａ）に示すように、円盤２６２の周縁寄りの位置に形成されている。これら被検知部２９８ａは、各待機位置にそれぞれ対応させて形成されており、円盤２６２が対応する待機位置となった際にいずれかの金属端子２９４の隆起接点部２９５の上方に位置する。そして、被検知部２９８ａが下方に位置する隆起接点部２９５と当接するように、第２樹脂板層２９９の厚み寸法、第２樹脂板層２９９の柔らかさ、及び隆起接点部２９５の隆起度合いが設定されている。この場合、一の待機位置に対応する各被検知部２９８ａは、円盤２６２の中心を通る直線上に並んでいる。また、任意の待機位置から円盤２６２を１８０°回転移動させると、他の待機位置となる。したがって、一の待機位置に対応する各被検知部２９８ａが並ぶ直線上には、円盤２６２を１８０°回転移動させた場合の待機位置に対応する各被検知部２９８ａも並んでいる。但し、これら待機位置に対応した各被検知部２９８ａは、重複していない。
【０２６２】
円盤２６２によって電気的に導通される金属端子２９４の組合せと当該円盤２６２の待機位置との関係について図２４及び図２５を参照して説明する。なお、以下の説明では、各金属端子２９４を図２４の状態で見て左側から順に、第１金属端子２９４ａ、第２金属端子２９４ｂ、第３金属端子２９４ｃ、第４金属端子２９４ｄ及びベース金属端子２９４ｅと称する。
【０２６３】
図２４（ａ）及び図２５に示すように、円盤２６２が第１待機位置にある場合、第１金属端子２９４ａとベース金属端子２９４ｅとが電気的に導通される。また、図２４（ｂ）及び図２５に示すように、円盤２６２が第１待機位置にある場合、第２金属端子２９４ｂとベース金属端子２９４ｅとが電気的に導通される。また、第３待機位置〜第８待機位置については、図２５に示すとおりである。そして、図２５に示すように、各待機位置において、電気的に導通される金属端子２９４の組合せは全て異なっている。なお、いずれの待機位置においても、ベース金属端子２９４ｅが他の金属端子２９４ａ〜２９４ｄと電気的に導通される。
【０２６４】
上記のとおり、一の待機位置に対応する各被検知部２９８ａが並ぶ直線上には、円盤２６２を１８０°回転移動させた場合の待機位置に対応する各被検知部２９８ａも並んでいる。この場合に、一方の待機位置において他の待機位置に対応した被検知部２９８ａが隆起接点部２９５の上方に位置しないようになっている。
【０２６５】
詳細には、各金属端子２９４は、図２４の状態で見て、第１金属端子２９４ａと第２金属端子２９４ｂとが開口部２９１ａの左端側にあり、第３金属端子２９４ｃと第４金属端子２９４ｄとベース金属端子２９４ｅとが開口部２９１ａの右端側にある。この場合に、円盤２６２の回転中心に対する各金属端子２９４ａ〜２９４ｅの隆起接点部２９５の距離が異なるように、各金属端子２９４ａ〜２９４ｅが設置されている。そして、各金属端子２９４ａ〜２９４ｅの幅寸法は全て同一となっているとともに、円盤２６２の回転中心に対する各隆起接点部２９５の距離は当該幅寸法の自然数倍ずつ異なっている。さらに、隆起接点部２９５の大きさは、接触対象の被検知部のみが接触するように設定されている。したがって、円盤２６２が１周した場合、各検知部の移動経路上には接触対象の一の隆起接点部２９５のみが存在することとなり、上記のとおり一方の待機位置において他の待機位置に対応した被検知部２９８ａが隆起接点部２９５の上方に位置しない。
【０２６６】
第１待機位置と第５待機位置について具体的には、図２４（ａ）及び図２４（ｃ）に示すように、第１待機位置においていずれかの隆起接点部２９５の上方に位置している被検知部２９８ａは、第５待機位置においていずれの隆起接点部２９５の上方にも位置しておらず、さらに第５待機位置においていずれかの隆起接点部２９５の上方に位置している被検知部２９８ａは、第１待機位置においていずれの隆起接点部２９５の上方にも位置していない。
【０２６７】
また、第２待機位置と第６待機位置について具体的には、図２４（ｂ）及び図２４（ｄ）に示すように、第２待機位置においていずれかの隆起接点部２９５の上方に位置している被検知部２９８ａは、第６待機位置においていずれの隆起接点部２９５の上方にも位置しておらず、さらに第６待機位置においていずれかの隆起接点部２９５の上方に位置している被検知部２９８ａは、第２待機位置においていずれの隆起接点部２９５の上方にも位置していない。
【０２６８】
上記のように被検知部２９８ａと隆起接点部２９５との位置関係が設定された構成において、隆起接点部２９５は、検知対象外の被検知部２９８ａが接しない範囲内において、被検知部２９８ａよりも大きめに形成されている。ここで、プッシャ２６６の上記１サイクルの動作において、自然状態から最大押圧位置までプッシャ２６６が移動するまでの円盤２６２の回転量は、自然状態に復帰する際の円盤２６２の回転量よりも小さくなっている。そして、隆起接点部２９５は、自然状態から最大押圧位置までプッシャ２６６が移動する場合、その移動開始前に接していた被検知部２９８ａとの接触状態が維持される大きさに形成されている。
【０２６９】
以上の構成において、検知装置２５８には、コネクタ２９２に接続されるハーネス２９３を介して主制御装置１６２から電気信号が出力される。この電気信号は、コネクタ２９２の複数の接続ピン２９２ａのうち、一の接続ピン２９２ａに供給される。この主制御装置１６２からの電気信号が供給される接続ピン２９２ａは、中継電気線２９６を介してベース金属端子２９４ｅと電気的に接続されている。つまり、主制御装置１６２からの電気信号は、ベース金属端子２９４ｅに供給される。
【０２７０】
各金属端子２９４ａ〜２９４ｅは、既に説明したように、円盤２６２の待機位置に応じて所定の組合せで電気的に導通される。また、いずれの待機位置においても、ベース金属端子２９４ｅが他の金属端子２９４ａ〜２９４ｄと電気的に導通される。ベース金属端子２９４ｅと電気的に導通される金属端子２９４ａ〜２９４ｄには、ベース金属端子２９４ｅから上記電気信号が供給される。そして、この電気信号は、その金属端子２９４ａ〜２９４ｄと対応する中継電気線２９６を介して電気的に接続された接続ピン２９２ａに供給される。この接続ピン２９２ａに供給された電気信号は、ハーネス２９３を介して主制御装置１６２に入力される。主制御装置１６２では、この入力した電気信号がいずれの接続ピン２９２ａから供給されたものかを把握可能となっている。つまり、主制御装置１６２では、検知装置２５８に電気信号を出力し、その電気信号が返還された場合の出力元の接続ピン２９２ａの種類により、円盤２６２がいずれの待機位置にあるかを把握する。言い換えると、主制御装置１６２では、検知装置２５８からの検知信号パターン（機械的コード）に基づいて、円盤２６２がいずれの待機位置にあるかを把握する。
【０２７１】
ちなみに、本監視装置２５０において「検知状態」とは、検知装置２５８において、円盤２６２により導通が確保されている金属端子２９４ａ〜２９４ｅの組合せのことであり、主制御装置１６２から監視装置２５０に電気信号が供給されている状況では検知状態が検知信号パターンとして主制御装置１６２に出力されるものである。また、本監視装置２５０において「待機状態」とは、上記検知状態の概念を含めた状態のことであり、外部電源からパチンコ機１０への電力供給が少なくとも行われていない状況であっても維持可能な状態のことである。
【０２７２】
なお、待機位置の検知に関する構成は上記のものに限定されることはなく、待機位置の数が２個，３個，４個，５個，６個，７個又は９個以上であってもよい。この場合、ケース側カム溝２７８、回転子側リブ２８５及び各カム部２８９，２９０の山部２８９ａ，２９０ａの数などを待機位置の数に合わせて変更する必要がある。また、検知装置２５８に関して、長尺状の金属端子２９４に代えて、突起状の金属端子を設けてもよい。また、金属端子２９４の数は、各待機位置を個別に検知することができるのであれば、５個未満又は６個以上としてもよい。さらには、第２樹脂板層２９９に孔部２９９ａを形成することで被検知部２９８ａを形成したが、金属板層２９８の裏面に突起を形成することで被検知部２９８ａを形成してもよい。
【０２７３】
次に、プッシャ２６６が上記１サイクルの動作を行う場合における検知装置２５８からの検知信号パターンの切り替わりタイミングについて説明する。図２６は上記切り替わりタイミングを説明するための説明図である。なお、図２６（ａ）〜（ｅ）は、プッシャ２６６の１サイクルの動作を示し、図２６（ａ）及び図２６（ｅ）は自然状態、図２６（ｃ）は最大押圧状態、図２６（ｂ）及び図２６（ｄ）は自然状態と最大押圧状態との間の状態を示す。また、第１検知信号パターンはプッシャ２６６の押圧が行われる前の検知信号パターンであり、第２検知信号パターンはプッシャ２６６の押圧が行われた後に移行する検知信号パターンである。
【０２７４】
既に説明したように、プッシャ２６６の上記１サイクルの動作において、自然状態から最大押圧位置までプッシャ２６６が移動するまでの円盤２６２の回転量は、自然状態に復帰する際の円盤２６２の回転量よりも小さくなっている。また、隆起接点部２９５は、自然状態から最大押圧位置までプッシャ２６６が移動する場合、その移動開始前に接していた被検知部２９８ａとの接触状態が維持される大きさに形成されている。したがって、図２６（ａ）〜（ｃ）に示す自然状態から最大押圧状態へ移行する場合には第１検知信号パターンは維持され、最大押圧状態から自然状態に復帰する途中の図２６（ｄ）に示すタイミングで第１検知信号パターンから第２検知信号パターンに切替えられる。
【０２７５】
なお、第１検知信号パターンから第２検知信号パターンへ切り替わる際に、所定期間に亘って第１検知信号パターンと第２検知信号パターンとが混在し、いずれの検知信号パターンであるかが認識不可となる構成としてもよい。当該構成であっても、かかる認識不可な期間は、検知信号パターンが切り替わる途中の期間であるため、各待機位置における検知信号パターンの認識は正確に行われる。
【０２７６】
以上説明した監視装置２５０は、上記のとおり第１監視装置２５１として本体枠１３の樹脂ベース７１に設置されている（図１４（ａ）参照）。そして、図１４（ｂ）に示すように、前扉枠１４が閉鎖された状態では当該前扉枠１４によってプッシャ２６６が押圧され、当該プッシャ２６６は最大押圧位置にある。また、図１４（ｃ）に示すように、前扉枠１４が開放された状態では当該前扉枠１４による押圧が解除され、プッシャ２６６は自然状態に復帰する。図１４（ｂ）の状態から図１４（ｃ）の状態に移行するタイミングで、第１監視装置２５１の検知状態（すなわち、円盤２６２の待機位置）が切替えられ、それに伴って、第１監視装置２５１から出力される検知信号パターンが切替えられる。
【０２７７】
また、監視装置２５０は、上記のとおり第２監視装置２５２として裏パックユニット１５に設置されている（図１５（ａ）参照）。この場合、裏パックユニット１５には押圧片３００が設けられている。押圧片３００は、板バネとしての機能を有しており、一端が裏パックユニット１５の回動基端側の側面から外方に突出しており、他端が第２監視装置２５２のプッシャ２６６の先端と隣接した位置にて対峙している。当該構成においては、図１５（ｂ）に示すように、遊技機主部１２が閉鎖された状態では外枠１１によって押圧片３００の外方に突出した端部が押圧される。そして、外枠１１によって押圧片３００が押圧されることで、押圧片３００自体の板バネとしての機能によりプッシャ２６６が押圧される。したがって、遊技機主部１２が閉鎖された状態ではプッシャ２６６は最大押圧位置にある。また、図１５（ａ）に示すように、遊技機主部１２が開放された状態では外枠１１による押圧片３００の押圧が解除され、それに伴って押圧片３００によるプッシャ２６６の押圧が解除される。これにより、プッシャ２６６は自然状態に復帰する。図１５（ｂ）の状態から図１５（ａ）の状態に移行するタイミングで、第２監視装置２５２の検知状態（すなわち、円盤２６２の待機位置）は切替えられ、それに伴って、第２監視装置２５２から出力される検知信号パターンが切替えられる。
【０２７８】
第１監視装置２５１及び第２監視装置２５２は、上記のとおり複数段階の検知状態を備えており、監視対象の開放操作が行われる度にその検知状態が順次切替えられる。この場合に、当該検知状態は機械的な検知状態であるため、検知状態の切替えに際しては電力を要しない。よって、パチンコ機１０の電源遮断状態において、前扉枠１４や遊技機主部１２の開放操作が行われたとしても、各監視装置２５１，２５２の検知状態は切替えられる。そして、パチンコ機１０の電源が投入された状態において、検知状態に対応した検知信号パターンが各監視装置２５１，２５２から主制御装置１６２に出力される。主制御装置１６２では、各監視装置２５１，２５２から入力した検知信号パターンに基づいて、電源遮断状態における前扉枠１４や遊技機主部１２の不正開放を監視する。この主制御装置１６２における監視処理については、後に説明する。
【０２７９】
次に、パチンコ機１０の電気的構成について、図２７のブロック図に基づいて説明する。図２７では、電力の供給ラインを二重線矢印で示し、信号ラインを実線矢印で示す。
【０２８０】
主制御装置１６２に設けられた主制御基板３０１には、主制御回路３０２と停電監視回路３０３（電断監視回路）とが内蔵されている。主制御回路３０２には、ＣＰＵ３１１が搭載されている。
【０２８１】
ＣＰＵ３１１には、当該ＣＰＵ３１１により実行される各種の制御プログラムや固定値データを記憶したＲＯＭ３１２（不揮発性情報記憶手段）と、そのＲＯＭ３１２内に記憶される制御プログラムの実行に際して各種のデータ等を一時的に記憶するためのメモリであるＲＡＭ３１３（揮発性情報記憶手段）と、割込回路やタイマ回路、データ入出力回路などの各種回路が内蔵されている。なお、ＣＰＵ３１１、ＲＯＭ３１２及びＲＡＭ３１３がそれぞれ個別に１チップ化された構成としてもよい。これは、他の制御装置のＣＰＵにおいても同様である。
【０２８２】
ＲＡＭ３１３は、パチンコ機１０の電源の遮断後においても電源及び発射制御装置２４３に設けられた電源及び発射制御基板３２１からデータ記憶保持用電力が供給されてデータが保持される構成となっている。
【０２８３】
ＣＰＵ３１１には、入力ポート及び出力ポートがそれぞれ設けられている。ＣＰＵ３１１の入力側には、主制御基板３０１に設けられた停電監視回路３０３、払出制御装置２４２に設けられた払出制御基板３２２及びその他図示しないスイッチ群などが接続されている。この場合に、停電監視回路３０３には電源及び発射制御基板３２１が接続されており、ＣＰＵ３１１（主制御回路３０２）には停電監視回路３０３を介して電力が供給される。
【０２８４】
一方、ＣＰＵ３１１の出力側には、停電監視回路３０３、払出制御基板３２２及び中継端子板３２３が接続されている。払出制御基板３２２には、賞球コマンドなどといった各種コマンドが出力される。中継端子板３２３を介して主制御回路３０２から音声ランプ制御装置１４３に設けられた音声ランプ制御基板３２４に対して各種コマンドなどが出力される。
【０２８５】
停電監視回路３０３は、主制御回路３０２と電源及び発射制御基板３２１とを中継し、また電源及び発射制御基板３２１から出力される最大電圧である直流安定２４ボルトの電圧を監視する。そして、この電圧が２２ボルト未満になると電源遮断の発生と判断し、主制御回路３０２に対して停電信号を送信する。主制御回路３０２では、この停電信号の入力を確認することにより、その確認結果に基づいて後述する停電時処理（電断時処理）を実行する。
【０２８６】
払出制御基板３２２は、払出装置２２４により賞球や貸し球の払出制御を行うものである。演算装置であるＣＰＵ３３１は、そのＣＰＵ３３１により実行される制御プログラムや固定値データ等を記憶したＲＯＭ３３２と、ワークメモリ等として使用されるＲＡＭ３３３とを備えている。
【０２８７】
払出制御基板３２２のＲＡＭ３３３は、主制御回路３０２のＲＡＭ３１３と同様に、パチンコ機１０の電源の遮断後においても電源及び発射制御基板３２１からデータ記憶保持用電力が供給されてデータが保持される構成となっている。
【０２８８】
払出制御基板３２２のＣＰＵ３３１には、入出力ポートが設けられている。ＣＰＵ３３１の入力側には、主制御回路３０２、電源及び発射制御基板３２１、及び裏パック基板２２９が接続されている。また、ＣＰＵ３３１の出力側には、主制御回路３０２及び裏パック基板２２９が接続されている。
【０２８９】
電源及び発射制御基板３２１は、電源部３２１ａと発射制御部３２１ｂとを備えている。電源部３２１ａは、例えば、遊技ホール等における商用電源（外部電源）に接続されている。そして、その商用電源から供給される外部電力に基づいて主制御回路３０２や払出制御基板３２２等に対して各々に必要な動作電力を生成するとともに、その生成した動作電力を二重線矢印で示す経路を通じて主制御回路３０２や払出制御基板３２２等に対して供給する。その概要としては、電源部３２１ａは、裏パック基板２２９を介して供給される交流２４ボルト電源を取り込み、各種スイッチやモータ等を駆動するための＋１２Ｖ電力、ロジック用の＋５Ｖ電力などを生成し、これら＋１２Ｖ電力、＋５Ｖ電力を主制御回路３０２や払出制御基板３２２等に対して供給する。
【０２９０】
発射制御部３２１ｂは、遊技者による遊技球発射ハンドル４１の操作にしたがって遊技球発射機構１１０の発射制御を担うものであり、遊技球発射機構１１０は所定の発射条件が整っている場合に駆動される。
【０２９１】
また、電源及び発射制御基板３２１には、電断時用電源手段としてデータ記憶保持用コンデンサ３２１ｃが搭載されている。データ記憶保持用コンデンサ３２１ｃには、電源部３２１ａが接続されており、パチンコ機１０の電源がＯＮ状態の場合（外部電源からの電力供給が行われている場合）には充電される。また、データ記憶保持用コンデンサ３２１ｃは主制御回路３０２におけるＣＰＵ３１１のＶＢＢ端子に接続されており、パチンコ機１０の電源がＯＦＦ状態の場合や商用電源における停電発生時等といった電源遮断状態（外部電源からの電力供給が遮断されている場合）では、データ記憶保持用コンデンサ３２１ｃから放電されＲＡＭ３１３に対してデータ記憶保持用電力が供給される。よって、かかる状況であっても、データ記憶保持用コンデンサ３２１ｃからデータ記憶保持用電力が供給されている間はＲＡＭ３１３に記憶されたデータが消去されることなく保持される。
【０２９２】
ちなみに、データ記憶保持用コンデンサ３２１ｃに充電された電力は主制御回路３０２のＲＡＭ３１３やその他のＲＡＭにおいてデータを記憶保持するために用いられ、電動アクチュエータなどの機器を動作させるためには用いられない。また、データ記憶保持用コンデンサ３２１ｃの容量は比較的大きく確保されており、電源遮断前にＲＡＭ３１３に記憶されていた情報は所定の期間内（例えば、１日や２日）保持される。また、電断時用電源手段は、データ記憶保持用コンデンサに限定されることはなく、バッテリや非充電式電池などであってもよい。非充電式電池の場合、パチンコ機１０の電源がＯＮ状態の際に電断時用電源手段への蓄電を行う必要はないが、定期的に交換する必要が生じる。
【０２９３】
また、電源及び発射制御基板３２１には、上記データ記憶保持用コンデンサ３２１ｃとは異なる停電時処理用コンデンサが設けられている。電源及び発射制御基板３２１では、直流安定２４ボルトの電源が２２ボルト未満になった後においても、停電時処理用コンデンサから放電することにより、後述する停電時処理の実行に十分な時間の間、制御系の駆動電源である５ボルトの出力を正常値に維持するように構成されている。これにより、主制御回路３０２などは、停電時処理を正常に実行し完了することができる。
【０２９４】
音声ランプ制御基板３２４は、各種ランプ部２３〜２５やスピーカ部２６、及び表示制御装置３２５を制御するものである。演算装置であるＣＰＵ３４１は、そのＣＰＵ３４１により実行される制御プログラムや固定値データ等を記憶したＲＯＭ３４２と、ワークメモリ等として使用されるＲＡＭ３４３とを備えている。
【０２９５】
音声ランプ制御基板３２４のＣＰＵ３４１には入出力ポートが設けられている。ＣＰＵ３４１の入力側には中継端子板３２３に中継されて主制御回路３０２が接続されており、主制御回路３０２から出力される各種コマンドに基づいて、各種ランプ部２３〜２５、スピーカ部２６、及び表示制御装置３２５を制御する。表示制御装置３２５は、音声ランプ制御基板３２４から入力する表示コマンドに基づいて図柄表示装置９１を制御する。
【０２９６】
次に、主制御装置１６２のＣＰＵ３１１により実行される各制御処理を図２８〜図３１のフローチャート等を参照しながら説明する。かかるＣＰＵ３１１の処理としては大別して、電源投入に伴い起動されるメイン処理と、定期的に（本実施形態では２ｍｓｅｃ周期で）起動されるタイマ割込み処理と、ＮＭＩ端子（ノンマスカブル端子）への停電信号の入力により起動されるＮＭＩ割込み処理とがあり、説明の便宜上、はじめにＮＭＩ割込み処理とタイマ割込み処理とを説明し、その後メイン処理を説明する。
【０２９７】
図２８は、ＮＭＩ割込み処理であり、当該処理は、停電の発生等によるパチンコ機１０の電源遮断時に実行される。すなわち、停電の発生等によりパチンコ機１０の電源が遮断されると、停電信号が停電監視回路３０３からＣＰＵ３１１のＮＭＩ端子に出力され、ＣＰＵ３１１は実行中の制御を中断してＮＭＩ割込み処理を開始する。ＮＭＩ割込み処理では、ステップＳ１０１にてＲＡＭ３１３に設けられた停電フラグ格納エリアに停電フラグをセットし、本処理を終了する。その後、後述する通常処理にて停電フラグがセットされていることが確認されることで、停電時処理が実行される。
【０２９８】
次に、タイマ割込み処理について図２９のフローチャートを用いて説明する。
【０２９９】
先ずステップＳ２０１では、各種スイッチや払出制御基板３２２などからの信号読み込み処理を実行する。その後、ステップＳ２０２では、開放検知処理を実行する。開放検知処理では、前扉枠開放センサ７８及び本体枠開放センサ２３０から入力した信号に基づいて前扉枠１４及び遊技機主部１２が開放状態であるか否かを判定し、開放状態であると判定した場合には、音声ランプ制御装置１４３に対して報知コマンドを出力するとともに外部端子板２１３を介してホールコンピュータに報知信号を出力する報知処理を実行する。これにより、外部電源からの電力供給が行われている状況で前扉枠１４又は遊技機主部１２が開放状態となっている場合には、スピーカ部２６からの報知音の出力、エラー表示ランプ部２４の点灯、及び図柄表示装置９１での報知表示が行われ、前扉枠１４又は遊技機主部１２が開放状態となっていることがパチンコ機１０の周囲に対して報知される。また、ホールコンピュータにて、前扉枠１４又は遊技機主部１２が開放状態となっていることが把握される。つまり、本パチンコ機１０は、開閉体が開放状態であることを把握する開放把握手段と、開放状態であると判定した場合に予め定められた開放報知を報知手段にて実行させる開放報知実行手段とを備えている。
【０３００】
続くステップＳ２０３では、通常時更新処理を実行する。通常時更新処理では、第１監視装置２５１及び第２監視装置２５２からの入力信号に基づいて、それら監視装置２５１，２５２の検知状態を更新する。当該通常時更新処理については、後に説明する。その後、ステップＳ２０４にて始動入賞処理を実行する。
【０３０１】
始動入賞処理では、作動口スイッチ１５４から入力した信号に基づいて、遊技球が作動口８４に入賞したか否かを判定する。そして、遊技球が作動口８４に入賞している場合には、第１特定ランプ部９３及び図柄表示装置９１の作動保留球数が上限値未満であることを条件として、その入賞に対して大当たりを発生させるか否かの指標となるカウンタ値のＲＡＭ３１３への格納処理を実行する。当該カウンタ値が大当たりの発生に対応した値である場合には、その入賞に対応した遊技回において大当たりが発生することとなる。つまり、始動入賞処理において、大当たりといった特別遊技状態への移行抽選機能（移行判定手段）が果たされる。
【０３０２】
始動入賞処理の後、ＣＰＵ３１１は本タイマ割込み処理を一旦終了する。なお、タイマ割込み処理において、大当たりを発生させるか否かの指標となるカウンタ値を更新する処理なども実行するようにしてもよい。
【０３０３】
次に、電源投入時のリセットに伴い起動されるメイン処理について、図３０のフローチャートを用いて説明する。
【０３０４】
先ずステップＳ３０１では、電源投入に伴う初期設定処理を実行する。具体的には、従側の制御基板（払出制御基板３２２等）が動作可能な状態になるのを待つために例えば１秒程度、ウェイト処理を実行する。続くステップＳ３０２では、ＲＡＭ３１３のアクセスを許可する。
【０３０５】
その後、ステップＳ３０３では、電源及び発射制御装置２４３に設けたＲＡＭ消去スイッチ２４７がオンされているか否かを判定し、続くステップＳ３０４ではＲＡＭ３１３の停電フラグ格納バッファに停電フラグが格納されているか否かを判定する。また、ステップＳ３０５ではＲＡＭ判定値を算出し、続くステップＳ３０６では、そのＲＡＭ判定値が電源遮断時に保存したＲＡＭ判定値と一致するか否か、すなわち記憶保持されたデータの有効性を判定する。ＲＡＭ判定値は、例えばＲＡＭ３１３の作業領域アドレスにおけるチェックサム値である。なお、ＲＡＭ３１３の所定のエリアに書き込まれたキーワードが正しく保存されているか否かにより記憶保持されたデータの有効性を判断することも可能である。
【０３０６】
上述したように、本パチンコ機１０では、例えばホールの営業開始時など、電源投入時にＲＡＭデータを初期化する場合にはＲＡＭ消去スイッチ２４７を押しながら電源が投入される。従って、ＲＡＭ消去スイッチ２４７が押されていれば、ステップＳ３１２〜Ｓ３１５の処理に移行する。また、電源遮断の発生情報が設定されていない場合や、ＲＡＭ判定値（チェックサム値等）により記憶保持されたデータの異常が確認された場合も同様にステップＳ３１２〜Ｓ３１５の処理に移行する。
【０３０７】
ステップＳ３１２では、報知処理を実行する。当該報知処理では、音声ランプ制御基板３２４に報知用コマンドを出力する。これにより、スピーカ部２６からの報知音の出力、エラー表示ランプ部２４の点灯、及び図柄表示装置９１での報知表示が行われる。また、報知処理では、遊技ホールに設けられたホールコンピュータに外部端子板２１３を介して異常信号を出力する。この場合、ホールコンピュータにて、ＲＡＭデータの初期化やＲＡＭ判定値により記憶保持されたデータの異常等が把握される。なお、報知の態様を上記のものに限定されることはなく、例えば上記各態様のいずれか１つとしてもよく、上記各態様の所定の組合せとしてもよい。
【０３０８】
続くステップＳ３１３では、従側の制御基板となる払出制御基板３２２等を初期化するために、払出初期化コマンド等を出力する。続くステップＳ３１４ではＲＡＭ３１３の使用領域を０にクリアし、ステップＳ３１５ではＲＡＭ３１３の初期化処理を実行する。その後、ステップＳ３１６にて割込み許可を設定し、後述する通常処理に移行する。
【０３０９】
一方、ＲＡＭ消去スイッチ２４７が押されていない場合には、停電フラグが格納されていること、及びＲＡＭ判定値（チェックサム値等）が正常であることを条件に、ステップＳ３０７の検知状態把握処理と、ステップＳ３０８及びステップＳ３０９の検知状態の比較判定処理と、を実行する。そして、比較判定処理における判定結果に応じて、ステップＳ３１０〜ステップＳ３１１の処理又はステップＳ３１２〜ステップＳ３１５の処理を実行し、ステップＳ３１６に進む。ステップＳ３０７〜ステップＳ３０９の処理については後に詳細に説明することとする。
【０３１０】
ステップＳ３１２〜ステップＳ３１５の処理は既に説明したとおりであるため、ステップＳ３１０〜ステップＳ３１１の処理を説明すると、ステップＳ３１０では停電フラグ格納バッファに格納されている停電フラグをクリアし、ステップＳ３１１にて従側の制御基板を電源遮断前の遊技状態に復帰させるための復電コマンドを出力する。その後、ステップＳ３１６にて割込み許可を設定し、後述する通常処理に移行する。これにより、電源遮断前の状態に復帰する。
【０３１１】
次に、通常処理について、図３１のフローチャートを用いて説明する。この通常処理では遊技の主要な処理が実行される。
【０３１２】
通常処理において、ステップＳ４０１では、前回の処理で更新されたコマンド等の出力データを従側の各制御基板に出力する。具体的には、後述するコマンド設定処理にてセットされたコマンドを払出制御基板３２２等に対して出力する。また、図柄表示装置９１による第１図柄の変動表示に際して停止図柄コマンド、変動態様コマンド等を音声ランプ制御基板３２４に出力する。
【０３１３】
続くステップＳ４０２では、第１特定ランプ部９３に表示される色の切り替えを行うための第１特定ランプ部制御処理を実行する。第１特定ランプ部制御処理では、大当たり判定や第１特定ランプ部９３に配設されたＬＥＤランプの光源スイッチのオンオフ制御などが行われる。そして、第１特定ランプ制御処理では、始動入賞処理にて格納されたカウンタ値に基づいて大当たりを発生させると判定した場合、遊技状態を大当たり状態に移行させる。つまり、第１特定ランプ制御処理において、特別遊技状態への移行機能（移行手段）が果たされる。なお、第１特定ランプ部制御処理において、図柄表示装置９１による第１図柄の変動表示の設定も行われる。
【０３１４】
第１特定ランプ部制御処理の後は、ステップＳ４０３にて大入賞口開閉処理を実行する。大入賞口開閉処理では、大当たり状態である場合において可変入賞装置８３の大入賞口を開放又は閉鎖する。すなわち、大当たり状態のラウンド毎に大入賞口を開放し、大入賞口の最大開放時間が経過したか、又は大入賞口に遊技球が規定数だけ入賞したかを判定する。この規定数だけ入賞したか否かの判定は、上述した大入賞口用カウンタを確認することにより行われる。そして、これら何れかの条件が成立すると大入賞口を閉鎖する。つまり、大入賞口開閉処理において、特別遊技状態の進行機能（進行手段）が果たされる。
【０３１５】
その後、ステップＳ４０４では、第２特定ランプ部９４に表示される色の切り替え処理を行うための第２特定ランプ部制御処理を実行する。第２特定ランプ制御処理では、ゲート保留球数が１以上であることを条件に第２特定ランプ部９４における表示色の切り換えを開始する。この際、表示色の切り換え時間も設定する。そして、作動口８４に付随する電動役物を所定時間開放する場合には、第２特定ランプ部９４において所定の色の停止表示が行われる。
【０３１６】
ステップＳ４０４の後は、ステップＳ４０５にて、遊技球発射制御処理を実行する。遊技球発射制御処理では、電源及び発射制御基板３２１の発射制御部３２１ｂから発射許可信号を入力していることを条件として、所定期間（例えば、０．６ｓｅｃ）に１回、遊技球発射機構１１０のソレノイド１１１を励磁する。これにより、発射レール１１２上にある遊技球が遊技領域に向けて打ち出される。ちなみに、発射許可信号は、ＣＰＵ３１１における入力ポート３１１以外の入力ポートに入力されており、当該遊技球発射制御処理にてその入力ポートに発射許可信号があるか否かを確認する。
【０３１７】
続くステップＳ４０６では、ＲＡＭ３１３内に設けられた停電フラグ格納バッファに停電フラグが格納されているか否かを判定する。停電フラグが格納されていない場合は、繰り返し実行される複数の処理の最後の処理が終了したこととなるので、ステップＳ４０７にて次の通常処理の実行タイミングに至ったか否か、すなわち前回の通常処理の開始から所定時間（本実施形態では４ｍｓｅｃ）が経過したか否かを判定する。所定時間が経過していない場合には、ステップＳ４０６に戻り、所定時間が経過している場合には、ステップＳ４０１に戻る。
【０３１８】
一方、ステップＳ４０６にて、停電フラグが格納されている場合は、電源遮断が発生したことになるので、ステップＳ４０８以降の停電時処理を実行する。つまり、ステップＳ４０８では、タイマ割込み処理の発生を禁止する。続くステップＳ４０９では、電断時更新処理を実行する。この電断時更新処理については、後に説明する。その後、ステップＳ４１０にて電源が遮断されたことを示す停電コマンドを他の制御基板に対して出力する。そして、ステップＳ４１１にてＲＡＭ判定値を算出、保存し、ステップＳ４１２にてＲＡＭ３１３のアクセスを禁止した後に、電源が完全に遮断して処理が実行できなくなるまで無限ループを継続する。なお、電源が完全に遮断された後も、電源及び発射制御基板３２１のデータ記憶保持用コンデンサ３２１ｃからデータ記憶保持用電力が供給されるため、電源遮断前にＲＡＭ３１３に記憶されていた情報はそのままの状態で所定の期間内（例えば、１日や２日）保持される。
【０３１９】
次に、電源遮断中における前扉枠１４及び遊技機主部１２の不正開放の監視に関する電気的構成について、図３２のブロック図に基づいて説明する。
【０３２０】
主制御装置１６２には、第１監視装置２５１及び第２監視装置２５２が電気的に接続されている。第１監視装置２５１及び第２監視装置２５２では、既に説明したように、パチンコ機１０の電源投入中又は電源遮断中であるかに関係なく、前扉枠１４又は遊技機主部１２が開閉操作される毎に複数段階の検知状態が変更され、パチンコ機１０の電源投入中においてその検知状態の情報が主制御装置１６２に入力される。
【０３２１】
主制御装置１６２のＣＰＵ３１１では、第１監視装置２５１及び第２監視装置２５２から入力した信号に基づいて、各監視装置２５１，２５２の検知状態を把握する。この場合、ＣＰＵ３１１のＲＡＭ３１３には、第１検知状態格納エリア３１３ａ及び第２検知状態格納エリア３１３ｂが設けられている。そして、電源投入中において把握した第１監視装置２５１の検知状態は第１検知状態格納エリア３１３ａに格納され、電源投入中において把握した第２監視装置２５２の検知状態は第２検知状態格納エリア３１３ｂに格納される。ＲＡＭ３１３は、上記のとおりパチンコ機１０の電源遮断中においてもデータ記憶保持用の電力が供給され、データの記憶保持が行われる構成であるため、電源遮断時に各検知状態格納エリア３１３ａ，３１３ｂに格納されていた検知状態は、データ記憶保持用の電力が供給されている範囲において記憶保持される。ＣＰＵ３１１では、各監視装置２５１，２５２から入力する検知状態の情報に基づいて、電源遮断中における前扉枠１４及び遊技機主部１２の不正開放が行われたか否かを判定し、その判定結果に基づいて報知処理を実行する。
【０３２２】
次に、電源遮断中における前扉枠１４及び遊技機主部１２の不正開放に関して、主制御装置１６２のＣＰＵ３１１により実行される各制御処理を説明する。
【０３２３】
先ず、タイマ割込み処理（図２９）にて実行される処理について説明する。
【０３２４】
タイマ割込み処理におけるステップＳ２０１の信号読み込み処理において、第１監視装置２５１及び第２監視装置２５２から入力した信号（電気信号パターン）の読み込みが行われる。この読み込まれた信号の情報は、ＣＰＵ３１１のレジスタに記憶保持される。この場合、ＣＰＵ３１１には第１レジスタと第２レジスタとが少なくとも設けられており、第１監視装置２５１の信号の情報は第１レジスタに記憶保持され、第２監視装置２５２の信号の情報は第２レジスタに記憶保持される。これは、ＣＰＵ３１１のレジスタに関する以下の説明においても同様である。また、タイマ割込み処理におけるステップＳ２０３では、通常時更新処理を実行する。
【０３２５】
通常更新処理について、図３３のフローチャートを用いて説明する。
【０３２６】
通常時更新処理では、先ずステップＳ５０１にて、第１更新処理を実行する。第１更新処理では、信号読み込み処理にて把握した第１監視装置２５１の検知状態の情報が、ＲＡＭ３１３の第１検知状態格納エリア３１３ａに格納されている検知状態の情報と異なっている場合に、検知状態の情報の更新を実行する処理である。
【０３２７】
当該第１更新処理について詳細には、図３４のフローチャートに示すように、先ずステップＳ６０１にて比較処理を実行する。比較処理では、上記信号読み込み処理にてＣＰＵ３１１のレジスタに記憶した検知状態の情報と、ＲＡＭ３１３の第１検知状態格納エリア３１３ａに格納されている検知状態の情報とを比較する。続くステップＳ６０２では比較処理にて比較した各検知状態が一致しているか否かを判定する。その結果、一致している場合には、そのまま本第１更新処理を終了する。一方、一致していない場合には、ステップＳ６０３にて、最新の検知状態の情報、すなわちＣＰＵ３１１のレジスタに記憶されている検知状態の情報を、第１検知状態格納エリア３１３ａに格納した後に、本第１更新処理を終了する。
【０３２８】
通常更新処理の説明に戻り、ステップＳ５０１にて第１更新処理を実行した後は、ステップＳ５０２にて第２更新処理を実行する。第２更新処理では、信号読み込み処理にて把握した第２監視装置２５２の検知状態の情報が、ＲＡＭ３１３の第２検知状態格納エリア３１３ｂに格納されている検知状態の情報と異なっている場合に、検知状態の情報の更新を実行する処理である。この具体的な、処理内容については、第１更新処理と同様であるため、ここでは説明を省略する。ステップＳ５０２にて第２更新処理を実行した後に、本通常時更新処理を終了する。
【０３２９】
次に、通常処理（図３１）にて実行される処理について説明する。
【０３３０】
通常処理では、ＮＭＩ割込み処理において停電フラグがセットされた場合、上記のとおりステップＳ４０８〜ステップＳ４１２の停電時処理を実行する。そして、停電時処理では第１監視装置２５１及び第２監視装置２５２に関して、ステップＳ４０９にて電断時更新処理を実行する。
【０３３１】
電断時更新処理では、図３５のフローチャートに示すように、先ずステップＳ７０１にて信号読み込み処理を実行する。この信号読み込み処理では、第１監視装置２５１及び第２監視装置２５２から入力した信号（電気信号パターン）の読み込みが行われる。そして、この読み込まれた信号の情報は、ＣＰＵ３１１のレジスタに記憶保持される。続くステップＳ７０２では、第１更新処理を実行する。第１更新処理では既に説明したように、信号読み込み処理にて把握した第１監視装置２５１の検知状態の情報が、ＲＡＭ３１３の第１検知状態格納エリア３１３ａに格納されている検知状態の情報と異なっている場合に、検知状態の情報の更新を実行する。続くステップＳ７０３では、第２更新処理を実行する。第２更新処理では既に説明したように、信号読み込み処理にて把握した第２監視装置２５２の検知状態の情報が、ＲＡＭ３１３の第２検知状態格納エリア３１３ｂに格納されている検知状態の情報と異なっている場合に、検知状態の情報の更新を実行する。第２更新処理を実行した後に、本電断時更新処理を終了する。上記のように電断時更新処理が実行されることにより、パチンコ機１０の電源が遮断される時点での各監視装置２５１，２５２における検知状態の情報のＲＡＭ３１３への記憶が確実に行われる。
【０３３２】
次に、メイン処理（図３０）にて実行される処理について説明する。
【０３３３】
メイン処理では、各監視装置２５１，２５２に関して、ステップＳ３０７にて検知状態把握処理を実行するとともに、ステップＳ３０８及びステップＳ３０９にて比較判定処理を実行する。検知状態把握処理では、ステップＳ７０１等の信号読み込み処理と同様に、第１監視装置２５１及び第２監視装置２５２から入力した信号の読み込みが行われ、この読み込まれた信号の情報は、ＣＰＵ３１１のレジスタに記憶保持される。
【０３３４】
続くステップＳ３０８では、比較処理を実行する。比較処理では、上記検知状態把握処理にてＣＰＵ３１１のレジスタに記憶した第１監視装置２５１の検知状態の情報と、ＲＡＭ３１３の第１検知状態格納エリア３１３ａに格納されている検知状態の情報とを比較する。また、比較処理では、上記検知状態把握処理にてＣＰＵ３１１のレジスタに記憶した第２監視装置２５２の検知状態の情報と、ＲＡＭ３１３の第２検知状態格納エリア３１３ｂに格納されている検知状態の情報とを比較する。
【０３３５】
続くステップＳ３０９では、比較処理にて比較した第１監視装置２５１の各検知状態が一致しているか否かを判定するとともに、第２監視装置２５２の各検知状態が一致しているか否かを判定する。その結果、両方がそれぞれ一致している場合には、ステップＳ３１０〜ステップＳ３１１の処理を実行する。また、いずれか一方でも一致していない場合には、ステップＳ３１２〜ステップＳ３１５の処理を実行する。この場合、特にステップＳ３１２の報知処理が実行されることにより、第１監視装置２５１又は第２監視装置２５２の少なくとも一方について、電断時と復電時とで検知状態が異なっていること、すなわち電源遮断中において前扉枠１４又は遊技機主部１２が不正開放されたことが報知される。
【０３３６】
以上詳述した本実施形態によれば、以下の優れた効果を奏する。
【０３３７】
複数段階の検知状態（待機状態）が予め設定されているとともに、前扉枠１４が開閉操作されたことに機械的に連動して検知状態が当該開閉操作前の状態から変更される第１監視装置２５１を設けた。また、主制御装置１６２では、外部電源からの電力供給が遮断された時点における第１監視装置２５１の検知状態をＲＡＭ３１３にて記憶するとともに、電力供給が遮断された状況下においてその記憶内容を保持するようにした。そして、外部電源からの電力供給が開始された場合には、ＲＡＭ３１３に記憶保持されている検知状態と、電力供給の開始後に把握した検知状態とを比較し、両者が一致しない場合にはその旨の報知を行うようにした。これにより、外部電源からの電力供給が遮断されている状況において前扉枠１４が不正に開閉操作されていた場合には、その旨を遊技ホールの管理者等に報知することができ、上記不正行為に対処するよう促すことができる。
【０３３８】
複数段階の検知状態（待機状態）が予め設定されているとともに、遊技機主部１２が開閉操作されたことに機械的に連動して検知状態が当該開閉操作前の状態から変更される第２監視装置２５２を設けた。また、主制御装置１６２では、外部電源からの電力供給が遮断された時点における第２監視装置２５２の検知状態をＲＡＭ３１３にて記憶するとともに、電力供給が遮断された状況下においてその記憶内容を保持するようにした。そして、外部電源からの電力供給が開始された場合には、ＲＡＭ３１３に記憶保持されている検知状態と、電力供給の開始後に把握した検知状態とを比較し、両者が一致しない場合にはその旨の報知を行うようにした。これにより、外部電源からの電力供給が遮断されている状況において遊技機主部１２が不正に開放操作されていた場合には、その旨を遊技ホールの管理者等に報知することができ、上記不正行為に対処するよう促すことができる。
【０３３９】
また、上記のように、外部電源から電力供給が遮断された時点における各監視装置２５１，２５２の検知状態をＲＡＭ３１３に記憶するとともに、電力供給が遮断された状況下においてその記憶内容を保持するようにした。パチンコ機１０において外部電源からの電力供給が遮断されるタイミングは不規則であり、各監視装置２５１，２５２がいずれの検知状態の場合に電力供給が遮断されるかは予め特定することはできない。この場合に、外部電源からの電力供給が遮断された時点の検知状態の一定化を図ろうとすると、例えば、各監視装置２５１，２５２の検知状態に初期検知状態を設定しておくとともに、外部電源からの電力供給が遮断された時点で各監視装置２５１，２５２の検知状態を初期検知状態に変更させる必要が生じる。そうすると、各監視装置２５１，２５２の構成が複雑化してしまう。これに対して、本実施形態における構成によれば、上記のような各監視装置２５１，２５２の構成の複雑化を招くことなく、上記優れた効果を得ることができる。
【０３４０】
外部電源からの電力供給が遮断される場合に実行される停電時処理において、その時点での各監視装置２５１，２５２の検知状態をＲＡＭ３１３に記憶させるようにした。これにより、外部電源からの電力供給が遮断された時点における検知状態をＲＡＭ３１３に確実に記憶させることができる。
【０３４１】
外部電源からの電力供給が行われている状況では、タイマ割込み処理（図２９）において、各監視装置２５１，２５２の検知状態を定期的に確認するとともに、その確認した検知状態がＲＡＭ３１３に記憶されている検知状態と異なっている場合には検知状態を更新するようにした。パチンコ機１０において外部電源からの電力供給が遮断されるタイミングは不規則であり、各監視装置２５１，２５２がいずれの検知状態の場合に電力供給が遮断されるかは予め特定することはできない。この場合に、上記のように検知状態が変更された場合にはＲＡＭ３１３の記憶内容をその変更された検知状態に更新することで、外部電源からの電力供給がいずれのタイミングで遮断されたとしても、その遮断時点における検知状態をＲＡＭ３１３に記憶させておくことができる。
【０３４２】
外部電源からの電力供給の開始時に実行されるメイン処理（図３０）において、ＲＡＭ３１３に記憶されている各検知状態と、電力供給の開始後に把握した各検知状態とを比較する比較処理を実行するとともに、前者と後者とが一致しない場合には報知処理を実行するようにした。これにより、電力供給が遮断されている状況において前扉枠１４や遊技機主部１２が不正に開放操作されていた場合には、電力供給の開始後に迅速に対処することが可能となる。
【０３４３】
各監視装置２５１，２５２において、閉鎖状態にある開閉体（すなわち、前扉枠１４又は遊技機主部１２）が開放操作されたことに基づいて検知状態が当該操作前の状態から変更され、開放状態にある開閉体が閉鎖操作されたとしても検知状態が変更されないようにした。開放状態にある開閉体が閉鎖操作されたとしても検知状態が変更されないようにすることで、パチンコ機１０のメンテナンス時などといった開閉体が開放状態である状況で外部電源からの電力供給が遮断されたとしても、その後の閉鎖操作により各監視装置２５１，２５２の検知状態がＲＡＭ３１３に記憶された検知状態と異なるものとなってしまうことはない。これにより、上記のように電力供給の遮断中における開閉体の不正な開放操作を監視装置２５１，２５２により監視するようにした構成において、パチンコ機１０のメンテナンス性の低下を極力抑制することが可能となる。一方、閉鎖状態にある開閉体が開放操作されたことに基づいて各監視装置２５１，２５２が操作前の状態から変更されるため、外部電源からの電力供給が遮断された状況において、開閉体の不正な開閉操作を監視することは可能である。
【０３４４】
各監視装置２５１，２５２がいずれの検知状態にあるかが、各監視装置２５１，２５２の外観上、識別不可とした。これにより、不正行為者などに各監視装置２５１，２５２の検知状態がいずれであるかが知られてしまうことが防止できる。
【０３４５】
（第２の実施形態）
本実施形態では、監視装置の構成が上記第１の実施形態と異なっている。そこで、その相違点について図３６を参照して説明する。図３６（ａ）は自然状態における監視装置４００の断面図、図３６（ｂ）は押圧状態における監視装置４００の断面図である。なお、図３６において上記第１の実施形態と同様の構成については同一の番号を付すとともにその説明を省略する。
【０３４６】
図３６（ａ）に示すように、本実施形態の監視装置４００は、上記第１の実施形態と異なり、回転軸体２６１は無底の略筒状をなしている。この回転軸体２６１の貫通孔４０１に挿通させて開放センサ４０２が設けられている。開放センサ４０２は、土台用ケース体２５４上に固定されており、回転軸体２６１の軸部２６１ｂの先端から出没可能なピン４０３を有している。なお、開放センサ４０２は回転軸体２６１と干渉しないように設けられており、開放センサ４０２により回転軸体２６１の回転移動が阻害されることはない。
【０３４７】
上記構成では、図３６（ｂ）に示すように、プッシャ２６６が押圧され最大押圧位置にある場合、開放センサ４０２のピン４０３が押し込まれて開閉体の閉鎖が検知され、開閉体を開放した状態では、図３６（ａ）に示すように、ピン４０３が突出位置に戻って開閉体の開放が検知されるようになっている。そして、開放センサ４０２は、主制御装置１６２と電気的に接続されており、検知結果は主制御装置１６２に対して出力される。なお、この検知結果の出力は、コネクタ２９２を通じて検知装置２５８における検知結果とまとめて行われる。
【０３４８】
上記監視装置４００を前扉枠１４の第１監視装置２５１として適用することにより、第１監視装置２５１では電源遮断中の前扉枠１４の不正開放を監視する機能だけでなく、電源投入中において前扉枠１４が開放状態か否かを検知する機能も果たされる。よって、第１監視装置２５１の構成が上記第１の実施形態に比べ複雑化するものの、前扉枠開放センサ７８を第１監視装置２５１と別に設ける必要がないため、パチンコ機１０の部品点数の削減が図られる。
【０３４９】
また、上記監視装置４００を遊技機主部１２（又は本体枠１３）の第２監視装置２５２として適用することにより、第２監視装置２５２では電源遮断中の遊技機主部１２の不正開放を監視する機能だけでなく、電源投入中において遊技機主部１２が開放状態か否かを検知する機能も果たされる。よって、第２監視装置２５２の構成が上記第１の実施形態に比べ複雑化するものの、本体枠開放センサ２３０を第２監視装置２５２と別に設ける必要がないため、パチンコ機１０の部品点数の削減が図られる。
【０３５０】
（第３の実施形態）
以下、スロットマシンに関する第３の実施形態を、図面に基づいて説明する。図３７はスロットマシン４１０の前面扉４１２を開いた状態の斜視図である。
【０３５１】
図３７に示すように、スロットマシン４１０は前方に開放した箱状の筐体４１１と、筐体４１１の前面側に開閉可能に取り付けられた前面扉４１２とを備えている。前面扉４１２には表示窓４１３が形成されており、当該表示窓４１３を通じて筐体４１１の内部に設けられた絵柄表示装置としてのリールユニット４１４による図柄の可変表示が視認可能となっている。当該リールユニット４１４における図柄の可変表示は、前面扉４１２の前面に設けられた図示しないスタートレバーが操作されたことに基づいて開始され、同じく前面扉４１２の前面に設けられた図示しないストップスイッチが操作されたことに基づいて停止される。また、前面扉４１２にはその裏面に表示制御装置４１５が設置されている。表示制御装置４１５は前面扉４１２に設けられたスピーカ、ランプ、補助表示部等の駆動制御を行う機能を有している。
【０３５２】
筐体４１１内においてリールユニット４１４の上方には、主制御装置４１６が設置されている。当該主制御装置４１６による制御に基づいてリールユニット４１４において図柄の可変表示が行われるとともに、表示制御装置４１５におけるスピーカ等の駆動制御が行われる。また、主制御装置４１６は、入賞役の抽選等といった当否判定機能を有しており、リールユニット４１４における遊技結果が当否判定結果と一致することで遊技者に特典が付与される。また、筐体４１１内には、主制御装置１６２などに電力を供給する電源装置４１７が設けられている。
【０３５３】
上記スロットマシン４１０においては、パチンコ機１０と同様に、電源遮断中において前面扉４１２を不正に開放する行為が想定される。これに対して、筐体４１１には上記第１の実施形態と同様の監視装置２５０が設置されている。監視装置２５０は、前面扉４１２の開放状態では自然状態にあり、前面扉４１２の閉鎖状態では押圧状態にある。そして、電源遮断中及び電源投入中のいずれにおいても前面扉４１２の開閉操作が行われることで、監視装置２５０の検知状態が変更される。
【０３５４】
本構成によれば、電源遮断中において前面扉４１２が不正に開放されたとしても、監視装置２５０の検知状態が電源遮断時点から変更されることで、主制御装置４１６などにおいてそれを把握することができる。よって、上記不正行為に対処することができる。なお、スロットマシン４１０においては、電源遮断中において前面扉４１２を不正に開放し、主制御装置４１６を不正な制御装置に交換するといった主制御装置４１６に対する不正行為が想定される。当該不正行為に対しては、監視装置２５０を表示制御装置４１５や監視装置２５０専用の制御装置と電気的に接続し、その電気的に接続した制御装置において監視装置２５０の監視処理を行うことで、上記主制御装置４１６に対する不正行為に対処することができる。
【０３５５】
（第４の実施形態）
上記第１の実施形態では、パチンコ機１０の電源遮断中において不正に前扉枠１４が開放されたか否かを監視するものであったが、本実施形態においては、主制御装置１６２では、電源遮断状態だけでなく電源投入状態においても、各監視装置２５１，２５２から入力した検知信号パターンに基づいて前扉枠１４や遊技機主部１２の不正開放を監視する。
【０３５６】
なお、本実施形態における基本構成は上記第１の実施形態と同じであるため、ここでは上記第１の実施形態との相違点を説明する。また、上記実施形態では、前扉枠１４が開放されているか否かを検知する前扉枠開放センサ７８，本体枠開放センサ２３０が設けられていたが、本実施形態には設けられていない。
【０３５７】
本実施形態における、タイマ割込み処理について図３８のフローチャートを用いて説明する。
【０３５８】
先ずステップＳ８０１では、各種スイッチや払出制御基板３２２などからの信号読み込み処理を実行する。その後、ステップＳ８０２にて前扉枠開放監視処理を実行するとともに、ステップＳ８０３にて本体枠開放監視処理を実行する。前扉枠開放監視処理では、第１監視装置２５１からの入力信号に基づいて、外部電源からの電力供給が行われている状況における前扉枠１４の開放の監視に関する処理を実行する。また、本体枠開放監視処理では、第２監視装置２５２からの入力信号に基づいて、外部電源からの電力供給が行われている状況における前扉枠１４の開放の監視に関する処理を実行する。これらの処理については、後に説明する。その後、ステップＳ８０４にて始動入賞処理を実行する。ステップＳ８０４における始動入賞処理については、上記第１の実施形態のタイマ割込み処理（図２９）におけるステップＳ２０４と同様のものであるため説明を省略する。
【０３５９】
次に、本実施形態におけるメイン処理について、図３９のフローチャートを用いて説明する。なお、ステップＳ９０１〜ステップＳ９０６については上記第１の実施形態におけるステップＳ３０１〜ステップＳ３０６と同様のため説明を省略する。
【０３６０】
第１の実施形態と同様、本パチンコ機１０では、例えばホールの営業開始時など、電源投入時にＲＡＭデータを初期化する場合にはＲＡＭ消去スイッチ２４７を押しながら電源が投入される。すなわち、ＲＡＭ消去スイッチ２４７が押されていれば、ステップＳ９０７〜Ｓ９１０の処理に移行する。また、電源遮断の発生情報が設定されていない場合や、ＲＡＭ判定値（チェックサム値等）により記憶保持されたデータの異常が確認された場合も同様にステップＳ９０７〜Ｓ９１０の処理に移行する。
【０３６１】
ステップＳ９０７では、音声ランプ制御装置１４３に音声ランプ初期化コマンドを出力する。これにより、ＲＡＭデータの初期化やＲＡＭ判定値により記憶保持されたデータの異常等が報知される。続くステップＳ９０８では、従側の制御基板となる払出制御基板３２２を初期化するために、払出初期化コマンド等を出力する。続くステップＳ９０９ではＲＡＭ３１３の使用領域を０にクリアし、ステップＳ９１０ではＲＡＭ３１３の初期化処理を実行する。その後、ステップＳ９１１にて割込み許可を設定し、通常処理に移行する。
【０３６２】
一方、ＲＡＭ消去スイッチ２４７が押されていない場合には、停電フラグが格納されていること、及びＲＡＭ判定値（チェックサム値等）が正常であることを条件に、ステップＳ９１２に進む。ステップＳ９１２では、停電フラグ格納バッファに格納されている停電フラグをクリアする。続くステップＳ９１３では、従側の制御基板を電源遮断前の遊技状態に復帰させるための復電コマンドを出力する。その後、ステップＳ９１４〜ステップＳ９１８の復電時用開放監視処理を実行する。当該復電時用開放監視処理については後に詳細に説明する。その後、ステップＳ９１１にて割込み許可を設定し、後述する通常処理に移行する。これにより、電源遮断前の状態に復帰する。
【０３６３】
次に、本実施形態における前扉枠１４及び遊技機主部１２の開放の監視に関する電気的構成について、図４０のブロック図に基づいて説明する。
【０３６４】
上述したように主制御装置１６２には、第１監視装置２５１及び第２監視装置２５２が電気的に接続されている。第１監視装置２５１及び第２監視装置２５２では、既に説明したように、パチンコ機１０の電源投入中又は電源遮断中であるかに関係なく、前扉枠１４又は遊技機主部１２が開閉操作される毎に検知状態が変更され、パチンコ機１０の電源投入中においてその検知状態の情報が主制御装置１６２に入力される。
【０３６５】
主制御装置１６２のＣＰＵ３１１では、第１監視装置２５１及び第２監視装置２５２から入力した信号に基づいて、各監視装置２５１，２５２の検知状態を把握する。この場合、本実施形態では、ＣＰＵ３１１のＲＡＭ３１３には、前扉枠用格納エリア３１３ｃ及び本体枠用格納エリア３１３ｄが設けられている。そして、電源投入中において把握した第１監視装置２５１の検知状態は前扉枠用格納エリア３１３ｃに格納され、電源投入中において把握した第２監視装置２５２の検知状態は本体枠用格納エリア３１３ｄに格納される。ＲＡＭ３１３は、上記のとおりパチンコ機１０の電源遮断中においてもデータ記憶保持用の電力が供給され、データの記憶保持が行われる構成であるため、電源遮断時に各検知状態格納エリア３１３ａ，３１３ｂに格納されていた検知状態は、データ記憶保持用の電力が供給されている範囲において記憶保持される。ＣＰＵ３１１では、各監視装置２５１，２５２から入力する検知状態の情報に基づいて、電源投入中及び電源遮断中に前扉枠１４及び遊技機主部１２の開放が行われたか否かを判定し、その判定結果に基づいて特定出力処理を実行する。
【０３６６】
次に、前扉枠１４及び遊技機主部１２の開放に関して、主制御装置１６２のＣＰＵ３１１により実行される各制御処理を説明する。
【０３６７】
先ず、タイマ割込み処理（図３８）にて実行される処理について説明する。
【０３６８】
タイマ割込み処理におけるステップＳ８０１の信号読み込み処理において、第１監視装置２５１及び第２監視装置２５２から入力した信号（電気信号パターン）の読み込みが行われる。この読み込まれた信号の情報は、ＣＰＵ３１１のレジスタに記憶保持される。この場合、ＣＰＵ３１１には第１レジスタと第２レジスタとが少なくとも設けられており、第１監視装置２５１の信号の情報は第１レジスタに記憶保持され、第２監視装置２５２の信号の情報は第２レジスタに記憶保持される。これは、ＣＰＵ３１１のレジスタに関する以下の説明においても同様である。続くステップＳ８０２では、外部電源からの電力供給が行われている状況における第１監視装置２５１を介した前扉枠１４の監視処理として前扉枠開放監視処理を実行する。
【０３６９】
ここで、前扉枠開放監視処理について図４１のフローチャートを用いて説明する。
【０３７０】
前扉枠開放監視処理では、先ずステップＳ１００１にて比較処理を実行する。比較処理では、上記信号読み込み処理にてＣＰＵ３１１のレジスタに記憶した検知状態の情報と、ＲＡＭ３１３の前扉枠用格納エリア３１３ｃに格納されている検知状態の情報とを比較する。続くステップＳ１００２では比較処理にて比較した各検知状態が一致しているか否かを判定する。その結果、一致している場合には、そのまま本前扉枠開放監視処理を終了する。
【０３７１】
一方、一致していない場合には、前扉枠１４が本体枠１３に対して開放されたことを意味する。つまり、既に説明したように第１監視装置２５１を含めた監視装置２５０は、閉鎖状態にある開閉体（すなわち、前扉枠１４又は遊技機主部１２）が開放操作されたことに基づいて検知状態（待機状態）が当該操作前の状態から変更され、開放状態にある開閉体が閉鎖操作されたとしても検知状態が変更されないようになっている。したがって、第１監視装置２５１の検知状態が変更されたということは、上記のとおり前扉枠１４が本体枠１３に対して開放されたことを意味する。
【０３７２】
比較した各検知状態が一致していない場合には、外部電源から電力供給が行われている状況で前扉枠１４が本体枠１３に対して開放操作されたことを報知すべく、ステップＳ１００３にて通常時用報知処理を実行する。
【０３７３】
通常時用報知処理では、通常時報知用コマンドをセットする。このセットされた通常時用報知コマンドは通常処理（図３１）の外部出力処理にて音声ランプ制御装置１４３に出力される。音声ランプ制御装置１４３では、スピーカ部２６から報知音を出力させ、エラー表示ランプ部２４を点灯させ、さらに図柄表示装置９１にて報知表示を行わせる。音声ランプ制御装置１４３では、予め定められた報知時間（報知期間）だけ上記各種報知を継続させた後にそれら各種報知を停止させる。この報知時間としては例えば１０ｓｅｃなどが考えられる。
【０３７４】
また、通常時用報知処理では、遊技ホールに設けられたホールコンピュータに外部端子板２１３を介して通常時報知用信号を出力する。この場合、ホールコンピュータでは通常時報知用信号をパチンコ機１０から入力した日時やパチンコ機１０の台番号といった識別情報を履歴として記憶する処理や、遊技ホールに設けられた監視カメラを対象となるパチンコ機１０に向けるといった処理を実行する。
【０３７５】
外部電源から電力供給が行われている状況においては、前扉枠１４が閉鎖されたタイミングではなく、前扉枠１４が開放されたタイミングで上記のような通常時用報知処理が実行されれば、遊技ホールの管理者等に対して前扉枠１４の不正開放に対処させることが可能である。その一方、前扉枠１４が開放状態から閉鎖されたタイミングでは第１監視装置２５１の検知状態が変更されないようになっていることで、不要なタイミングで上記のような報知が実行されてしまうことが防止されている。
【０３７６】
なお、通常時用報知処理は、上記のものに限定されることはなく、通常時報知用コマンド又は通常時報知用信号のいずれか一方のみを出力する構成としてもよい。また、通常時報知用コマンドの出力に基づく処理として、スピーカ部２６からの報知音の出力、エラー表示ランプ部２４の点灯、又は図柄表示装置９１での報知表示のうち一部のみを実行する構成としてもよい。
【０３７７】
ステップＳ１００３にて通常時用報知処理を実行した後は、ステップＳ１００４において、最新の検知状態の情報、すなわちＣＰＵ３１１のレジスタに記憶されている検知状態の情報を前扉枠用格納エリア３１３ｃに格納した後に、本前扉枠開放監視処理を終了する。
【０３７８】
タイマ割込み処理（図３８）の説明に戻り、ステップＳ８０２にて前扉枠開放監視処理を実行した後は、ステップＳ８０３にて、外部電源からの電力供給が行われている状況における第２監視装置２５２を介した遊技機主部１２の監視処理として本体枠開放監視処理を実行する。
【０３７９】
本体枠開放監視処理では、信号読み込み処理にて把握した第２監視装置２５２の検知状態の情報が、ＲＡＭ３１３の本体枠用格納エリア３１３ｄに格納されている検知状態の情報と異なっている場合に、上記通常時用報知処理を実行するとともに検知状態の情報の更新を実行する。この具体的な処理構成については、前扉枠開放監視処理と同様であるため、ここでは説明を省略する。
【０３８０】
なお、前扉枠開放監視処理における通常時用報知処理と本体枠開放監視処理における通常時用報知処理とで、通常時報知用コマンド又は通常時報知用信号の情報形態を異ならせてもよい。この場合、前扉枠１４が開放された場合と遊技機主部１２が開放された場合とで、パチンコ機１０自身又はホールコンピュータにおいて報知の態様を異ならせることができる。
【０３８１】
ステップＳ８０３にて本体枠開放監視処理を実行した後は、ステップＳ８０４にて始動入賞処理を実行した後に本タイマ割込み処理を終了する。当該始動入賞処理については既に説明したとおりである。
【０３８２】
次に、本実施形態における通常処理（図３１）のステップＳ４０９の電断時更新処理にて実行される処理について説明する。
【０３８３】
通常処理では、ＮＭＩ割込み処理において停電フラグがセットされた場合、上記のとおりステップＳ４０８〜ステップＳ４１２の停電時処理を実行する。そして、停電時処理では第１監視装置２５１及び第２監視装置２５２に関して、ステップＳ４０９にて電断時更新処理を実行する。
【０３８４】
本実施形態における電断時更新処理では、図４２のフローチャートに示すように、先ずステップＳ１１０１にて信号読み込み処理を実行する。この信号読み込み処理では、第１監視装置２５１及び第２監視装置２５２から入力した信号（電気信号パターン）の読み込みが行われる。そして、この読み込まれた信号の情報は、ＣＰＵ３１１のレジスタに記憶保持される。続くステップＳ１１０２では、前扉枠更新処理を実行する。
【０３８５】
前扉枠更新処理は、信号読み込み処理にて把握した第１監視装置２５１の検知状態の情報が、ＲＡＭ３１３の前扉枠用格納エリア３１３ｃに格納されている検知状態の情報と異なっている場合に、検知状態の情報の更新を実行する処理である。
【０３８６】
当該前扉枠更新処理について詳細には、図４３のフローチャートに示すように、先ずステップＳ１２０１にて比較処理を実行する。比較処理では、上記信号読み込み処理にてＣＰＵ３１１のレジスタに記憶した検知状態の情報と、ＲＡＭ３１３の前扉枠用格納エリア３１３ｃに格納されている検知状態の情報とを比較する。続くステップＳ１２０２では比較処理にて比較した各検知状態が一致しているか否かを判定する。その結果、一致している場合には、そのまま本前扉枠更新処理を終了する。一方、一致していない場合には、ステップＳ１２０３にて、最新の検知状態の情報、すなわちＣＰＵ３１１のレジスタに記憶されている検知状態の情報を、前扉枠用格納エリア３１３ｃに格納した後に、本前扉枠更新処理を終了する。
【０３８７】
電断時更新処理の説明に戻り、ステップＳ１１０２にて前扉枠更新処理を実行した後は、ステップＳ１１０３にて本体枠更新処理を実行する。本体枠更新処理では、信号読み込み処理にて把握した第２監視装置２５２の検知状態の情報が、ＲＡＭ３１３の本体枠用格納エリア３１３ｄに格納されている検知状態の情報と異なっている場合に、検知状態の情報の更新を実行する。この具体的な処理内容については、前扉枠更新処理と同様であるため、ここでは説明を省略する。ステップＳ１１０３にて本体枠更新処理を実行した後に、本電断時更新処理を終了する。
【０３８８】
上記のように電断時更新処理が実行されることにより、パチンコ機１０の電源が遮断される時点での各監視装置２５１，２５２における検知状態の情報のＲＡＭ３１３への記憶が確実に行われる。
【０３８９】
次に、メイン処理（図３９）にて実行される処理について説明する。
【０３９０】
メイン処理では、各監視装置２５１，２５２に関して、ステップＳ９１４〜ステップＳ９１８の復電時用開放監視処理を実行する。
【０３９１】
復電時用開放監視処理では、先ずステップＳ９１４にて検知状態把握処理を実行する。検知状態把握処理では、ステップＳ８０１の信号読み込み処理と同様に、第１監視装置２５１及び第２監視装置２５２から入力した信号の読み込みが行われ、この読み込まれた信号の情報は、ＣＰＵ３１１のレジスタに記憶保持される。
【０３９２】
続くステップＳ９１５では、比較処理を実行する。比較処理では、上記検知状態把握処理にてＣＰＵ３１１のレジスタに記憶した第１監視装置２５１の検知状態と、ＲＡＭ３１３の前扉枠用格納エリア３１３ｃに格納されている検知状態の情報とを比較する。また、比較処理では、上記検知状態把握処理にてＣＰＵ３１１のレジスタに記憶した第２監視装置２５２の検知状態の情報と、ＲＡＭ３１３の本体枠用格納エリア３１３ｄに格納されている検知状態の情報とを比較する。
【０３９３】
続くステップＳ９１６では、比較処理にて比較した第１監視装置２５１の各検知状態が一致しているか否かを判定するとともに、第２監視装置２５２の各検知状態が一致しているか否かを判定する。その結果、両方がそれぞれ一致している場合には、ステップＳ９１１にて割込み許可を設定し、通常処理に移行する。いずれか一方でも一致していない場合には、電源遮断中において前扉枠１４又は遊技機主部１２が開放されたことを意味するため、ステップＳ９１７に進む。
【０３９４】
ステップＳ９１７では、復電時用報知処理を実行する。復電時用報知処理では、音声ランプ制御装置１４３に復電時報知用コマンドを出力する。これにより、スピーカ部２６からの報知音の出力、エラー表示ランプ部２４の点灯、及び図柄表示装置９１での報知表示が行われる。但し、これらの報知態様は通常時報知用コマンドに基づく報知の態様とは異なっている。また、音声ランプ制御装置１４３では、状態復帰スイッチ２４５などといった報知解除操作が行われるまで各種報知を継続させる。つまり、通常時と復電時とでは、報知の態様だけでなく、報知解除の態様も異なっている。なお、これに限定されることはなく、報知の態様や報知解除の態様が通常時と復電時とで同一であってもよい。
【０３９５】
また、復電時用報知処理では、遊技ホールに設けられたホールコンピュータに外部端子板２１３を介して復電時報知用信号を出力する。この場合、ホールコンピュータでは復電時報知用信号をパチンコ機１０から入力した日時やパチンコ機１０の台番号といった識別情報を履歴として記憶する処理や、遊技ホールに設けられた監視カメラを対象となるパチンコ機１０に向けるといった処理を実行する。
【０３９６】
上記復電時用報知処理が実行されることにより、電源遮断中に前扉枠１４又は遊技機主部１２が開放操作されていた場合には、それを遊技ホールの管理者等に報知することができ、仮にそれが不正開放である場合にはそれに対処させることができる。
【０３９７】
なお、復電時用報知処理において前扉枠１４が開放操作されていた場合と遊技機主部１２が開放操作されていた場合とで、電断時報知用コマンド又は電断時開放検知信号の情報形態を異ならせてもよい。この場合、前扉枠１４が電源遮断中に開放された場合と遊技機主部１２が電源遮断中に開放された場合とで、パチンコ機１０自身又はホールコンピュータにおいて報知の態様を異ならせることができ、遊技ホールの管理者等に対して適切に対処させることが可能となる。また、復電時用報知処理は、上記のものに限定されることはなく、復電時報知用コマンド又は復電時報知用信号のいずれか一方のみを出力する構成としてもよい。また、復電時報知用コマンドの出力に基づく処理として、スピーカ部２６からの報知音の出力、エラー表示ランプ部２４の点灯、又は図柄表示装置９１での報知表示のうち一部のみを実行する構成としてもよい。
【０３９８】
ステップＳ９１７にて復電時用報知処理を実行した後は、ステップＳ９１８に進む。ステップＳ９１８では、ステップＳ９１４においてＣＰＵ３１１のレジスタに記憶されている各監視装置２５１，２５２の検知状態の情報のうち、ステップＳ９１６にて一致しないと判定された検知状態の情報を、該当する格納エリア３１３ｃ，３１３ｄに格納する。その後、ステップＳ９１１にて割込み許可を設定し、通常処理に移行する。
【０３９９】
以上詳述した本実施形態によれば、以下の優れた効果を奏する。
【０４００】
外部電源からの電力供給の開始時に実行されるメイン処理（図３９）において、ＲＡＭ３１３に記憶されている各検知状態と、電力供給の開始後に把握した各検知状態とを比較する比較処理を実行するとともに、前者と後者とが一致しない場合には報知処理を実行するようにした。これにより、電力供給が遮断されている状況において開閉体（すなわち、前扉枠１４や遊技機主部１２）が不正に開放操作されていた場合には、電力供給の開始後に迅速に対処することが可能となる。
【０４０１】
各監視装置２５１，２５２により、外部電源からの電力供給が遮断されている状況だけでなく、外部電源からの電力供給が行われている状況においても開閉体の開放を監視するようにした。つまり、各監視装置２５１，２５２は、外部電源からの電力供給が遮断されている状況及び電力供給が行われている状況のいずれにおいても、開閉体の開放を監視する機能を有することとなり、それぞれの機能を別で設ける構成に比して、パチンコ機１０の部品点数の削減が図られる。
【０４０２】
特に、外部電源からの電力供給が行われている状況における開閉体の開放の監視を、外部電源からの電力供給が遮断されている状況における開閉体の開放を監視するための監視装置２５１，２５２の構成をそのまま利用して行うようにしたことにより、外部電源からの電力供給が行われている状況における監視専用の構成を監視装置２５１，２５２に付与する場合に比べ、監視装置２５１，２５２の構成の簡素化を図りつつ上記優れた効果を得ることができる。
【０４０３】
各監視装置２５１，２５２において、閉鎖状態にある開閉体が開放操作されたことに基づいて検知状態が当該操作前の状態から変更され、開放状態にある開閉体が閉鎖操作されたとしても検知状態が変更されないようにした。開放状態にある開閉体が閉鎖操作されたとしても検知状態が変更されないようにすることで、パチンコ機１０のメンテナンス時などといった開閉体が開放状態である状況で外部電源からの電力供給が遮断されたとしても、その後の閉鎖操作により各監視装置２５１，２５２の検知状態がＲＡＭ３１３に記憶された検知状態と異なるものとなってしまうことはない。これにより、上記のように電力供給の遮断中における開閉体の不正な開放操作を監視装置２５１，２５２により監視するようにした構成において、パチンコ機１０のメンテナンス性の低下を極力抑制することが可能となる。一方、閉鎖状態にある開閉体が開放操作されたことに基づいて各監視装置２５１，２５２が操作前の状態から変更されるため、外部電源からの電力供給が遮断された状況において、開閉体の不正な開閉操作を監視することは可能である。
【０４０４】
また、各監視装置２５１，２５２において、閉鎖状態にある開閉体が開放操作されたことに基づいて検知状態が当該操作前の状態から変更され、開放状態にある開閉体が閉鎖操作されたとしても検知状態が変更されないようにしたことにより、外部電源からの電力供給が行われている状況において開閉体が開放操作された場合にはその事実を開放操作されたタイミング又はその直後において特定することが可能となる。よって、開閉体が不正に開放操作された場合には、その事実を開放操作後の初期段階で報知することが可能となる。
【０４０５】
各監視装置２５１，２５２がいずれの検知状態にあるかが、各監視装置２５１，２５２の外観上、識別不可とした。これにより、不正行為者などに各監視装置２５１，２５２の検知状態がいずれであるかが知られてしまうことが防止できる。
【０４０６】
（第５の実施形態）
本実施形態では、前扉枠開放監視処理及び本体枠開放監視処理の処理構成が上記第４の実施形態と異なっている。具体的には、上記第４の実施形態では、電源遮断中に前扉枠１４や遊技機主部１２が開放操作されたか否かの判定をメイン処理にて行う構成としたが、本実施形態では、電源遮断中に前扉枠１４や遊技機主部１２が開放操作されたか否かの判定を、タイマ割込み処理における前扉枠開放監視処理及び本体枠開放監視処理にて行う。そこで、その相違する処理構成について以下に説明する。但し、前扉枠開放監視処理と本体枠開放監視処理とは処理構成が同一であるため、前扉枠開放監視処理のみについて説明し、本体枠開放監視処理についてはその説明を省略する。
【０４０７】
図４４は本実施形態における前扉枠開放監視処理を示すフローチャートである。
【０４０８】
図４４に示すように、先ずステップＳ１３０１にて比較処理を実行する。比較処理では、タイマ割込み処理（図３８）の信号読み込み処理にてＣＰＵ３１１のレジスタに記憶した検知状態の情報と、ＲＡＭ３１３の前扉枠用格納エリア３１３ｃに格納されている検知状態の情報とを比較する。続くステップＳ１３０２では比較処理にて比較した各検知状態が一致しているか否かを判定する。その結果、一致している場合には、ステップＳ１３０３〜ステップＳ１３０６の開放検知時処理を実行することなく、ステップＳ１３０７に進む。一方、一致していない場合には、ステップＳ１３０３〜ステップＳ１３０６の開放検知時処理を実行する。
【０４０９】
開放検知時処理では、先ずステップＳ１３０３にてＲＡＭ３１３の復電後フラグ格納エリアに復電後フラグが格納されているか否かを判定する。この復電後フラグは、電源の立ち上げに際して格納されるフラグであり、当該復電後フラグが格納されている状況というのは復電後の最初の前扉枠開放監視処理であることを意味する。当該復電後フラグは、具体的にはメイン処理（図３９）の開始時などに格納される。
【０４１０】
開放検知時処理が実行されている場合であって復電後フラグが格納されている場合は、電源遮断中に前扉枠１４が開放操作されたことを意味するため、ステップＳ１３０４に進み、復電時用報知処理を実行する。当該復電時用報知処理の具体的な内容は上記第１の実施形態にて説明したとおりであるため、ここでは説明を省略する。当該復電時用報知処理が実行されることにより、電源遮断中に前扉枠１４が開放操作されていたことを遊技ホールの管理者等に報知することができ、仮にそれが不正開放である場合にはそれに対処させることができる。
【０４１１】
一方、開放検知時処理が実行されている場合であって復電後フラグが格納されていない場合は、外部電源から電力供給が行われている状況において前扉枠１４が開放操作されたことを意味するため、ステップＳ１３０５に進み、通常時用報知処理を実行する。当該通常時用報知処理の具体的な内容は上記第４の実施形態にて説明したとおりであるため、ここでは説明を省略する。当該通常時用報知処理が実行されることにより、外部電源から電力供給が行われている状況において前扉枠１４が開放操作されたことを遊技ホールの管理者等に報知することができ、仮にそれが不正開放である場合にはそれに対処させることができる。
【０４１２】
ステップＳ１３０４又はステップＳ１３０５の処理を実行した後は、ステップＳ１３０６に進む。ステップＳ１３０６では、最新の検知状態の情報、すなわちＣＰＵ３１１のレジスタに記憶されている検知状態の情報を前扉枠用格納エリア３１３ｃに格納した後に、ステップＳ１３０７に進む。
【０４１３】
ステップＳ１３０７では、ＲＡＭ３１３の復電後フラグ格納エリアに復電後フラグが格納されているか否かを判定する。復電後フラグが格納されていない場合には、そのまま本前扉枠開放監視処理を終了する。一方、復電後フラグが格納されている場合には、ステップＳ１３０８にて復電後フラグ格納エリアから復電後フラグを消去した後に本前扉枠開放監視処理を終了する。
【０４１４】
以上のように本実施形態では、電源の立ち上げ処理であるメイン処理において復電時用開放監視処理を実行するのではなく、タイマ割込み処理において通常時用開放監視処理とともに復電時用開放監視処理を実行するようにした。これにより、メイン処理の処理時間に極力影響を及ぼすことなく、復電時用開放監視処理を実行することが可能となる。
【０４１５】
ちなみに、ＣＰＵ３１１の通常処理における停電時処理（電断時処理）において電断時更新処理を実行しないようにしてもよい。当該構成であっても、上記のとおりタイマ割込み処理において定期的に第１監視装置２５１の検知状態が確認され、検知状態が変更されている場合にはその更新処理が実行されるため、電断時における第１監視装置２５１の検知状態をＲＡＭ３１３において記憶しておくことは可能である。本構成によれば、停電時処理の処理時間に影響を及ぼすことなく、電断時における第１監視装置２５１の検知状態をＲＡＭ３１３に記憶させることが可能となる。これは第２監視装置２５２についても同様である。
【０４１６】
（第６の実施形態）
本実施形態では、第１監視装置２５１及び第２監視装置２５２の構成と、これら監視装置２５１，２５２に関する主制御装置１６２のＣＰＵ４３１における処理構成が異なっている。そこで、これら相違する構成について以下に説明する。
【０４１７】
先ず監視装置４２０の構成について図４５〜図４７を用いて説明する。
【０４１８】
図４５に示すように、監視装置４２０は上記第１の実施形態における監視装置２５０と同様にハウジング２５６を備えており、当該ハウジング２５６に対してプッシャ２６６やコネクタ２９２が取り付けられている。また、ハウジング２５６には、検知装置２５８、回転軸体２６１、円盤２６２、第１バネ２６３、回転子２６４及び第２バネ２６５が内蔵されている。
【０４１９】
但し、本実施形態における監視装置４２０は、ケース側リブ２７７、ケース側カム溝２７８、回転子側カム溝２８４及び回転子側リブ２８５の数が上記第１の実施形態の半分となっており、代わりに、ケース側リブ２７７、ケース側カム溝２７８、回転子側カム溝２８４及び回転子側リブ２８５の幅寸法は上記第１の実施形態の倍となっている。また、これに対応させて、回転子側カム部２８９の山部２８９ａ及びプッシャ側カム部２９０の山部２９０ａの数が上記第１の実施形態の半分となっているとともに、幅寸法は上記第１の実施形態の倍となっている。
【０４２０】
これに対して、検知装置２５８の構成及び円盤２６２の構成は上記第１の実施形態と同様となっている。つまり、円盤２６２は上記第１の実施形態と同一の数の待機位置を有しているとともに、図２３に示すように各待機位置に対応させて被検知部２９８ａが形成されている。また、検知装置２５８はベース金属端子２９４ｅを含めて５つの金属端子２９４ａ〜２９４ｅを有している（図２２参照）。
【０４２１】
上記構成の監視装置４２０は、上記第１の実施形態における監視装置２５０と異なり、開閉体が閉鎖状態から開放操作された場合だけでなく、開放状態から閉鎖操作された場合にも検知状態（待機状態）が変更されることとなる。つまり、図４６に示すように、円盤２６２は第１開放待機位置、第１閉鎖待機位置、第２開放待機位置、第２閉鎖待機位置、・・・を有し、これら各待機位置と１対１で対応して検知装置２５８において導通される金属端子２９４ａ〜２９４ｅの組合せが異なっている。つまり、円盤２６２は複数の開放待機位置と複数の閉鎖待機位置とを有しており、これら各待機位置と１対１で対応して検知装置２５８には検知状態が設定されている。そして、図４７に示すように、プッシャ２６６が自然状態から最大押圧位置に移動するまでの途中のタイミング、及びプッシャ２６６が最大押圧位置から自然状態に移動するまでの途中のタイミングのそれぞれにおいて、検知装置２５８（すなわち、監視装置４２０）から主制御装置１６２に出力される検知信号パターンが変更されることとなる。
【０４２２】
次に、上記監視装置４２０の構成が反映された第１監視装置２５１及び第２監視装置２５２を用いた前扉枠１４及び遊技機主部１２の開放の監視に関する電気的構成について、図４８のブロック図に基づいて説明する。
【０４２３】
第１監視装置２５１及び第２監視装置２５２は上記第４の実施形態と同様に、主制御装置１６２に接続されている。主制御装置１６２のＣＰＵ４３１では、第１監視装置２５１及び第２監視装置２５２から入力した信号に基づいて、各監視装置２５１，２５２の検知状態（待機状態）を把握する。
【０４２４】
ＣＰＵ４３１のＲＡＭ（揮発性記憶手段）４３３には、上記第４の実施形態と同様に、前扉枠用格納エリア４４１及び本体枠用格納エリア４４２が設けられている。
【０４２５】
ＣＰＵ４３１のＲＯＭ（不揮発性記憶手段）４３２には、上記第４の実施形態と異なり、前扉枠用記憶エリア４４３及び本体枠用記憶エリア４４４が設けられている。これら前扉枠用記憶エリア４４３及び本体枠用記憶エリア４４４には、それぞれ開放情報記憶エリア（開放情報記憶部）４４３ａ，４４４ａと閉鎖情報記憶エリア（閉鎖情報記憶部）４４３ｂ，４４４ｂとが設けられている。開放情報記憶エリア４４３ａ，４４４ａには対応する監視装置２５１，２５２の円盤２６２が開放待機位置にある場合の各検知状態の情報が予め記憶されており、閉鎖情報記憶エリア４４３ｂ，４４４ｂには対応する監視装置２５１，２５２の円盤２６２が閉鎖待機位置にある場合の各検知状態の情報が予め記憶されている。
【０４２６】
つまり、本実施形態では、ＣＰＵ４３１のＲＯＭ４３２には、開閉体が開放状態にある場合における監視装置４２０の全検知状態の情報と、開閉体が閉鎖状態にある場合における監視装置４２０の全検知状態の情報とが予め記憶されており、ＣＰＵ４３１では監視装置４２０から入力した検知状態の情報により開閉体が開放状態又は閉鎖状態のいずれにあるかの特定を行えるようになっている。
【０４２７】
次に、本実施形態のＣＰＵ４３１における処理構成について説明する。
【０４２８】
先ず本実施形態におけるタイマ割込み処理について図４９のフローチャートを用いて説明する。
【０４２９】
タイマ割込み処理では、先ずステップＳ１４０１にて信号読み込み処理を実行する。この信号読み込み処理では、各種スイッチや払出制御基板３２２などからの信号読み込みを実行する。また、各種スイッチの一部として、第１監視装置２５１及び第２監視装置２５２からの信号読み込みを実行する。続くステップＳ１４０２では、外部電源からの電力供給が行われている状況における第１監視装置２５１を介した前扉枠１４の監視処理として前扉枠開放監視処理を実行する。
【０４３０】
ここで、前扉枠開放監視処理について図５０のフローチャートを用いて説明する。
【０４３１】
前扉枠開放監視処理では、先ずステップＳ１５０１にて、ＲＡＭ４３３に設けられた開放中フラグ格納エリアに開放中フラグが格納されているか否かを判定する。開放中フラグは前扉枠１４が開放状態であるか否かをＣＰＵ４３１において特定するためのフラグであり、後述するステップＳ１５０３の処理にて格納されるとともに、ステップＳ１５０５の処理にて消去される。
【０４３２】
開放中フラグが格納されていない場合にはステップＳ１５０１にて否定判定をし、ステップＳ１５０２〜ステップＳ１５０３の閉鎖時用処理を実行する。一方、開放中フラグが格納されている場合にはステップＳ１５０１にて肯定判定をし、ステップＳ１５０４〜ステップＳ１５０５の開放時用処理を実行する。
【０４３３】
閉鎖時用処理では、先ずステップＳ１５０２にて、上記信号読み込み処理にてＣＰＵ４３１のレジスタに記憶した検知状態の情報と、ＲＯＭ４３２の前扉枠用記憶エリア４４３における開放情報記憶エリア４４３ａに記憶されている各情報とを比較する。開放情報記憶エリア４４３ａに一致する情報が１つも存在しない場合には、前扉枠１４が閉鎖状態に維持されていることを意味するため、そのままステップＳ１５０６に進む。開放情報記憶エリア４４３ａに一致する情報が存在している場合には、前扉枠１４が開放操作されたことを意味するため、ステップＳ１５０３に進む。
【０４３４】
ステップＳ１５０３では、通常時用報知処理を実行する。通常時用報知処理では、開放検知コマンドをセットする。このセットされた開放検知コマンドは通常処理（図３１）の外部出力処理にて音声ランプ制御装置１４３に出力される。音声ランプ制御装置１４３では、スピーカ部２６から報知音を出力させ、エラー表示ランプ部２４を点灯させ、さらに図柄表示装置９１にて報知表示を行わせる。これらの各種報知はステップＳ１５０５にてセットされる閉鎖検知コマンドを入力するまで継続される。また、通常時用報知処理では、遊技ホールに設けられたホールコンピュータに外部端子板２１３を介して開放検知信号を出力する。この場合、ホールコンピュータでは開放検知信号をパチンコ機１０から入力した日時やパチンコ機１０の台番号といった識別情報を履歴として記憶する処理や、遊技ホールに設けられた監視カメラを対象となるパチンコ機１０に向けるといった処理を実行する。さらにまた、通常時用報知処理では、ＲＡＭ４３３の開放中フラグ格納エリアに開放中フラグを格納する。
【０４３５】
開放時用処理では、先ずステップＳ１５０４にて、上記信号読み込み処理においてＣＰＵ４３１のレジスタに記憶した検知状態の情報と、ＲＯＭ４３２の前扉枠用記憶エリア４４３における閉鎖情報記憶エリア４４３ｂに記憶されている各情報とを比較する。閉鎖情報記憶エリア４４３ｂに一致する情報が１つも存在しない場合には、前扉枠１４が開放状態に維持されていることを意味するため、そのままステップＳ１５０６に進む。閉鎖情報記憶エリア４４３ｂに一致する情報が存在している場合には、前扉枠１４が開放操作されたことを意味するため、ステップＳ１５０５に進む。
【０４３６】
ステップＳ１５０５では、報知解除処理を実行する。報知解除処理では、閉鎖検知コマンドをセットする。このセットされた閉鎖検知コマンドは通常処理（図３１）の外部出力処理にて音声ランプ制御装置１４３に出力される。音声ランプ制御装置１４３では、閉鎖検知コマンドを入力することに基づいて、スピーカ部２６、エラー表示ランプ部２４及び図柄表示装置９１において継続させていた各種報知を終了させる。また、報知解除処理では、遊技ホールに設けられたホールコンピュータに外部端子板２１３を介して閉鎖検知信号を出力する。この場合、ホールコンピュータでは閉鎖検知信号をパチンコ機１０から入力した日時やパチンコ機１０の台番号といった識別情報を履歴として記憶する処理や、対象となるパチンコ機１０に監視カメラを向けさせた状態を解除するといった処理を実行する。さらにまた、報知解除処理では、ＲＡＭ４３３の開放中フラグ格納エリアに格納されている開放中フラグを消去する。
【０４３７】
上記のように通常時用報知処理及び報知解除処理が実行されることにより、外部電源から電力供給が行われている状況において前扉枠１４が開放状態にある間はパチンコ機１０自身及びホールコンピュータにてその旨の報知が継続されることとなる。これにより、前扉枠１４が開放状態であることを遊技ホールの管理者等に報知することができ、仮にそれが不正開放である場合にはそれに対処させることができる。
【０４３８】
なお、通常時用報知処理は、上記のものに限定されることはなく、通常時報知用コマンド又は通常時報知用信号のいずれか一方のみを出力する構成としてもよい。また、通常時報知用コマンドの出力に基づく処理として、スピーカ部２６からの報知音の出力、エラー表示ランプ部２４の点灯、又は図柄表示装置９１での報知表示のうち一部のみを実行する構成としてもよい。
【０４３９】
ステップＳ１５０２〜ステップＳ１５０３の閉鎖時用処理又はステップＳ１５０４〜ステップＳ１５０５の開放時用処理のいずれかを実行した後は、ステップＳ１５０６にて比較処理を実行する。
【０４４０】
比較処理では、上記信号読み込み処理にてＣＰＵ４３１のレジスタに記憶した検知状態の情報と、ＲＡＭ４３３の前扉枠用格納エリア４４１に格納されている検知状態の情報とを比較する。続くステップＳ１５０７では比較処理にて比較した各検知状態が一致しているか否かを判定する。その結果、一致している場合には、そのまま本前扉枠開放監視処理を終了する。一方、一致していない場合には、ステップＳ１５０８において、最新の検知状態の情報、すなわちＣＰＵ４３１のレジスタに記憶されている検知状態の情報を前扉枠用格納エリア４４１に格納した後に、本前扉枠開放監視処理を終了する。
【０４４１】
タイマ割込み処理（図４９）の説明に戻り、ステップＳ１４０２にて前扉枠開放監視処理を実行した後は、ステップＳ１４０３にて、外部電源からの電力供給が行われている状況における第２監視装置２５２を介した遊技機主部１２の監視処理として本体枠開放監視処理を実行する。
【０４４２】
本体枠開放監視処理では、信号読み込み処理にて把握した第２監視装置２５２の検知状態の情報と、ＲＯＭ４３２の本体枠用記憶エリア４４４における開放情報記憶エリア４４４ａや閉鎖情報記憶エリア４４４ｂに記憶された情報とを用いて、遊技機主部１２が開放状態であるか否かを特定し、遊技機主部１２が開放状態である場合には上記通常時用報知処理を実行する。また、信号読み込み処理にて把握した第２監視装置２５２の検知状態の情報が、ＲＡＭ４３３の本体枠用格納エリア４４２に格納されている検知状態の情報と異なっている場合に、検知状態の情報の更新を実行する。これらの具体的な処理構成については、前扉枠開放監視処理と同様であるため、ここでは説明を省略する。
【０４４３】
なお、前扉枠開放監視処理における通常時用報知処理と本体枠開放監視処理における通常時用報知処理とで、通常時報知用コマンド又は通常時報知用信号の情報形態を異ならせてもよい。この場合、前扉枠１４が開放された場合と遊技機主部１２が開放された場合とで、パチンコ機１０自身又はホールコンピュータにおいて報知の態様を異ならせることができる。
【０４４４】
ステップＳ１４０３にて本体枠開放監視処理を実行した後は、ステップＳ１４０４にて始動入賞処理を実行した後に本タイマ割込み処理を終了する。当該始動入賞処理については、上記第１の実施形態にて説明したとおりであるため、ここでは説明を省略する。
【０４４５】
次に、本実施形態におけるメイン処理について図５１のフローチャートを用いて説明する。
【０４４６】
メイン処理では、ステップＳ１６０１にて初期設定処理を実行し、ステップＳ１６０２にてＲＡＭ４３３のアクセスを許可し、ステップＳ１６０３にてＲＡＭ消去スイッチ２４７がオンされているか否かを判定し、ステップＳ１６０４にて停電フラグが格納されているか否かを判定し、ステップＳ１６０５にてＲＡＭ判定値を算出し、ステップＳ１６０６にてそのＲＡＭ判定値が電源遮断時に保存したＲＡＭ判定値と一致するか否かを判定する。これらの処理については、上記第４の実施形態におけるステップＳ９０１〜ステップＳ９０６にて説明したとおりである。
【０４４７】
ステップＳ１６０３で肯定判定した場合、ステップＳ１６０４にて否定判定した場合又はステップＳ１６０６にて否定判定した場合には、ステップＳ１６０７〜ステップＳ１６１０の処理に移行する。
【０４４８】
ステップＳ１６０７では、音声ランプ制御装置１４３に音声ランプ初期化コマンドを出力する。これにより、ＲＡＭデータの初期化やＲＡＭ判定値により記憶保持されたデータの異常等が報知される。また、ステップＳ１６０８〜ステップＳ１６１０では、上記第４の実施形態におけるステップＳ９０８〜ステップＳ９１０と同様の処理を実行する。その後、ステップＳ１６１１にて割込み許可を設定し、通常処理に移行する。
【０４４９】
一方、ステップＳ１６０３で否定判定した場合、ステップＳ１６０４にて肯定判定した場合又はステップＳ１６０６にて肯定判定した場合には、ステップＳ１６１２にて停電フラグをクリアし、ステップＳ１６１３にて復電コマンドを出力した後に、ステップＳ１６１４〜ステップＳ１６１８の復電時用開放監視処理を実行する。
【０４５０】
復電時用開放監視処理では、先ずステップＳ１６１４にて検知状態把握処理を実行する。検知状態把握処理では、ステップＳ１４０１の信号読み込み処理と同様に、第１監視装置２５１及び第２監視装置２５２から入力した信号の読み込みが行われ、この読み込まれた信号の情報は、ＣＰＵ４３１のレジスタに記憶保持される。
【０４５１】
続くステップＳ１６１５では、比較処理を実行する。比較処理では、上記検知状態把握処理にてＣＰＵ４３１のレジスタに記憶した第１監視装置２５１の検知状態と、ＲＡＭ４３３の前扉枠用格納エリア４４１に格納されている検知状態の情報とを比較する。また、比較処理では、上記検知状態把握処理にてＣＰＵ４３１のレジスタに記憶した第２監視装置２５２の検知状態の情報と、ＲＡＭ４３３の本体枠用格納エリア４４２に格納されている検知状態の情報とを比較する。
【０４５２】
続くステップＳ１６１６では、比較処理にて比較した第１監視装置２５１の各検知状態が一致しているか否かを判定するとともに、第２監視装置２５２の各検知状態が一致しているか否かを判定する。その結果、両方がそれぞれ一致している場合には、ステップＳ１６１１にて割込み許可を設定し、通常処理に移行する。いずれか一方でも一致していない場合には、電源遮断中において前扉枠１４又は遊技機主部１２が開放されたことを意味するため、ステップＳ１６１７に進む。
【０４５３】
ステップＳ１６１７では、復電時用報知処理を実行する。復電時用報知処理では、音声ランプ制御装置１４３に復電時報知用コマンドを出力する。これにより、スピーカ部２６からの報知音の出力、エラー表示ランプ部２４の点灯、及び図柄表示装置９１での報知表示が行われる。但し、これらの報知態様は通常時報知用コマンドに基づく報知の態様とは異なっている。また、音声ランプ制御装置１４３では、状態復帰スイッチ２４５などといった報知解除操作が行われるまで各種報知を継続させる。つまり、通常時と復電時とでは、報知の態様だけでなく、報知解除の態様も異なっている。
【０４５４】
また、復電時用報知処理では、遊技ホールに設けられたホールコンピュータに外部端子板２１３を介して復電時報知用信号を出力する。この場合、ホールコンピュータでは復電時報知用信号をパチンコ機１０から入力した日時やパチンコ機１０の台番号といった識別情報を履歴として記憶する処理や、遊技ホールに設けられた監視カメラを対象となるパチンコ機１０に向けるといった処理を実行する。
【０４５５】
上記復電時用報知処理が実行されることにより、電源遮断中に前扉枠１４又は遊技機主部１２が開放操作されていた場合には、それを遊技ホールの管理者等に報知することができ、仮にそれが不正開放である場合にはそれに対処させることができる。
【０４５６】
なお、復電時用報知処理において前扉枠１４が開放操作されていた場合と遊技機主部１２が開放操作されていた場合とで、電断時報知用コマンド又は電断時開放検知信号の情報形態を異ならせてもよい。この場合、前扉枠１４が電源遮断中に開放された場合と遊技機主部１２が電源遮断中に開放された場合とで、パチンコ機１０自身又はホールコンピュータにおいて報知の態様を異ならせることができ、遊技ホールの管理者等に対して適切に対処させることが可能となる。また、復電時用報知処理は、上記のものに限定されることはなく、復電時報知用コマンド又は復電時報知用信号のいずれか一方のみを出力する構成としてもよい。また、復電時報知用コマンドの出力に基づく処理として、スピーカ部２６からの報知音の出力、エラー表示ランプ部２４の点灯、又は図柄表示装置９１での報知表示のうち一部のみを実行する構成としてもよい。
【０４５７】
ステップＳ１６１７にて復電時用報知処理を実行した後は、ステップＳ１６１８に進む。ステップＳ１６１８では、ステップＳ１６１４においてＣＰＵ４３１のレジスタに記憶されている各監視装置２５１，２５２の検知状態の情報のうち、ステップＳ１６１６にて一致しないと判定された検知状態の情報を、該当する格納エリア４４１，４４２に格納する。その後、ステップＳ１６１１にて割込み許可を設定し、通常処理に移行する。
【０４５８】
以上詳述した本実施形態によれば上記第４の実施形態と同様に、第１監視装置２５１及び第２監視装置２５２により、外部電源からの電力供給が遮断されている状況だけでなく、外部電源からの電力供給が行われている状況においても前扉枠１４や遊技機主部１２の開放を監視することができる。
【０４５９】
また、上記第４の実施形態では、外部電源から電力供給が行われている状況において前扉枠１４や遊技機主部１２が開放操作されたタイミングのみが監視装置２５１，２５２を介して特定される構成であったが、本実施形態では前扉枠１４や遊技機主部１２が開放状態であることが監視装置２５１，２５２を介して特定される。よって、外部電源からの電力供給が行われている状況において前扉枠１４や遊技機主部１２が開放操作された場合には、その旨の報知をそれら開閉体が開放状態となってから当該開閉体が閉鎖状態となるまでの間、正確に行うことが可能となる。
【０４６０】
（第７の実施形態）
本実施形態では、前扉枠開放監視処理及び本体枠開放監視処理の処理構成が上記第６の実施形態と異なっている。具体的には、上記第６の実施形態では、電源遮断中に前扉枠１４や遊技機主部１２が開放操作されたか否かの判定をメイン処理にて行う構成としたが、本実施形態では、電源遮断中に前扉枠１４や遊技機主部１２が開放操作されたか否かの判定を、タイマ割込み処理における前扉枠開放監視処理及び本体枠開放監視処理にて行う。そこで、その相違する処理構成について以下に説明する。但し、前扉枠開放監視処理と本体枠開放監視処理とは処理構成が同一であるため、前扉枠開放監視処理のみについて説明し、本体枠開放監視処理についてはその説明を省略する。
【０４６１】
図５２は本実施形態における前扉枠開放監視処理を示すフローチャートである。
【０４６２】
図５２に示すように、先ずステップＳ１７０１にてＲＡＭ４３３の開放中フラグ格納エリアに開放中フラグが格納されているか否かを判定する。開放中フラグが格納されていない場合にはステップＳ１７０２〜ステップＳ１７０３の閉鎖時用処理を実行し、開放中フラグが格納されている場合にはステップＳ１７０４〜ステップＳ１７０５の開放時用処理を実行する。これらステップＳ１７０１〜ステップＳ１７０５の各処理は、上記第６の実施形態におけるステップＳ１５０１〜ステップＳ１５０５の各処理と同様であるため、詳細な説明は省略する。
【０４６３】
ステップＳ１７０２〜ステップＳ１７０３の閉鎖時用処理又はステップＳ１７０４〜ステップＳ１７０５の開放時用処理のいずれかを実行した後は、ステップＳ１７０６にて比較処理を実行する。
【０４６４】
比較処理では、タイマ割込み処理（図４９）における信号読み込み処理にてＣＰＵ４３１のレジスタに記憶した検知状態の情報と、ＲＡＭ４３３の前扉枠用格納エリア４４１に格納されている検知状態の情報とを比較する。続くステップＳ１７０７では比較処理にて比較した各検知状態が一致しているか否かを判定する。その結果、一致している場合には、ステップＳ１７０８〜ステップＳ１７１０の開閉検知処理を実行することなく、ステップＳ１７１１に進む。一方、一致していない場合には、ステップＳ１７０８〜ステップＳ１７１０の開閉検知処理を実行する。
【０４６５】
開閉検知処理では、先ずステップＳ１７０８にてＲＡＭ４３３の復電後フラグ格納エリアに復電後フラグが格納されているか否かを判定する。この復電後フラグは、電源の立ち上げに際して格納されるフラグであり、当該復電後フラグが格納されている状況というのは復電後の最初の前扉枠開放監視処理であることを意味する。当該復電後フラグは、具体的にはメイン処理（図５１）の開始時などに格納される。
【０４６６】
復電後フラグが格納されていない場合には、今回の開閉検知処理が、外部電源から電力供給が行われている状況において前扉枠１４が開放操作されたこと又は閉鎖操作されたことに基づくものであることを意味するため、ステップＳ１７０９の処理を実行することなく、ステップＳ１７１０に進む。
【０４６７】
一方、復電後フラグが格納されている場合には、電源遮断中に前扉枠１４が開放操作されたことを意味するため、ステップＳ１７０９に進み、復電時用報知処理を実行する。当該復電時用報知処理の具体的な内容は上記第６の実施形態にて説明したとおりであるため、ここでは説明を省略する。当該復電時用報知処理が実行されることにより、電源遮断中に前扉枠１４が開放操作されていたことを遊技ホールの管理者等に報知することができ、仮にそれが不正開放である場合にはそれに対処させることができる。その後、ステップＳ１７１０に進む。
【０４６８】
ステップＳ１７１０では、最新の検知状態の情報、すなわちＣＰＵ４３１のレジスタに記憶されている検知状態の情報を前扉枠用格納エリア４４１に格納した後に、ステップＳ１７１１に進む。
【０４６９】
ステップＳ１７１１では、ＲＡＭ４３３の復電後フラグ格納エリアに復電後フラグが格納されているか否かを判定する。復電後フラグが格納されていない場合には、そのまま本前扉枠開放監視処理を終了する。一方、復電後フラグが格納されている場合には、ステップＳ１７１２にて復電後フラグ格納エリアから復電後フラグを消去した後に本前扉枠開放監視処理を終了する。
【０４７０】
以上のように本実施形態では、電源の立ち上げ処理であるメイン処理において復電時用開放監視処理を実行するのではなく、タイマ割込み処理において通常時用開放監視処理とともに復電時用開放監視処理を実行するようにした。これにより、メイン処理の処理時間に極力影響を及ぼすことなく、復電時用開放監視処理を実行することが可能となる。
【０４７１】
ちなみに、ＣＰＵ４３１の通常処理における停電時処理（電断時処理）において電断時更新処理を実行しないようにしてもよい。当該構成であっても、上記のとおりタイマ割込み処理において定期的に第１監視装置２５１の検知状態が確認され、検知状態が変更されている場合にはその更新処理が実行されるため、電断時における第１監視装置２５１の検知状態をＲＡＭ４３３において記憶しておくことは可能である。本構成によれば、停電時処理の処理時間に影響を及ぼすことなく、電断時における第１監視装置２５１の検知状態をＲＡＭ４３３に記憶させることが可能となる。これは第２監視装置２５２についても同様である。
【０４７２】
（第８の実施形態）
上記第１の実施形態では、検知状態が一致しなくとも（図３０のメイン処理におけるステップＳ３０９がＮＯ）、ステップＳ３１２〜３１５の処理を行った後に、通常処理を行ったが、かかる構成を変更する。すなわち、検知状態が一致しなかった場合には通常処理が行われず、パチンコ機１０を遊技不能に規制する処理を行う。かかる処理について図５３のメイン処理を用いて説明する。なお、パチンコ機１０の基本構成は上記第１の実施形態の基本構成と同様であり、ステップＳ１８０１〜ステップＳ１８１１，ステップＳ１８１３〜ステップＳ１８１６については第１の実施形態におけるメイン処理のステップＳ３０１〜ステップＳ３１１，ステップＳ３１３〜ステップＳ３１６と同様のため説明を省略する。
【０４７３】
本実施形態におけるメイン処理のステップＳ１８１２では、音声ランプ制御装置１４３に音声ランプ初期化コマンドを出力する。これにより、ＲＡＭデータの初期化やＲＡＭ判定値により記憶保持されたデータの異常等が報知されることとなる。
【０４７４】
また、本実施形態では、ステップＳ１８０９にて検知状態が一致しなかった場合には、ステップＳ１８１７に進み、報知処理を行う。当該報知処理では、音声ランプ制御基板３２４に報知用コマンドを出力する。これにより、スピーカ部２６からの報知音の出力、エラー表示ランプ部２４の点灯、及び図柄表示装置９１での報知表示が行われる。また、報知処理では、遊技ホールに設けられたホールコンピュータに外部端子板２１３を介して異常信号を出力する。具体的には、本処理において、図柄表示装置９１に前扉枠１４が開放されたことを表示し、ホールコンピュータに前扉枠１４が開放されたことに対応した情報を異常信号として出力する。これにより、ホールコンピュータにおいて前扉枠１４が開放されたことを把握することが可能となり、さらに、図柄表示装置９１を視認することによって前扉枠１４が開放されたことを把握することが可能となる。なお、報知の態様が上記のものに限定されることはなく、例えば上記各態様のいずれか１つとしてもよく、上記各態様の所定の組合せとしてもよい。すなわち、この報知処理にて前扉枠１４が開放されたことが報知されればよく、当該報知が行われることによって遊技ホール等にてその前扉枠１４の開放に迅速に対応することが可能となる。
【０４７５】
この報知処理を行ったら無限ループに入る。無限ループに入った場合には、パチンコ機１０の電源を一度遮断した後にステップＳ１８１５のＲＡＭ３１３の初期設定が行われない限り、パチンコ機１０にて通常処理が行われないこととなる。換言すると、その無限ループによってパチンコ機１０の遊技を規制する遊技規制状態となるよう制御しているということも可能となる。この場合、その無限ループが行われることによって、遊技球発射制御処理、始動入賞処理が行われないよう規制しているということもできる。また、検知状態が一致しなかった場合には、ステップＳ１８１６の割込み許可が行われないこととなり、タイマ割込み処理が行われないよう規制しているということもできる。さらには、無限ループが行われ通常処理及びタイマ割込み処理が行われないことによって、遊技の進行を停止しているともいうことができる。換言すると、無限ループが行われることによって、遊技を進行させる上で実行される処理が行われないようにする処理を実行しているということもできる。
【０４７６】
また、本実施形態では、この検知状態が一致しなかった場合の検知結果や、ステップＳ１８１７にて行われる報知処理に関する情報はＣＰＵ３１１に設けられたレジスタに記憶されることとなる。仮に、報知処理に関する情報をＲＡＭ３１３に記憶するとすると、無限ループが行われている場合には通常処理が行われていないため、パチンコ機１０の電源が遮断されたとしても、通常処理におけるステップＳ４０６，ステップＳ４０８〜ステップＳ４１２の処理が行われない。すなわち、通常処理のステップＳ４１１におけるＲＡＭ判定値の算出，保存が行われない。これにより、無限ループが行われている場合にパチンコ機１０の電源が遮断され、再びパチンコ機１０に電源が投入された場合には、メイン処理におけるステップＳ１８０６にてＲＡＭ判定値が異常と判定されることとなる。これに対して本構成によれば、報知処理に関する情報をレジスタに記憶するため、無限ループにおいてパチンコ機１０の電源が遮断され、再びパチンコ機１０に電源が投入されたとしても、ステップＳ１８０６にてＲＡＭ判定値が異常と判定されることなく、ステップＳ１８０９にて検知状態が一致しないと判定され、無限ループが行われることとなる。なお、報知処理に関する情報をＲＡＭ３１３に記憶する構成にするならば、無限ループにおいて、停電フラグが格納されているか否かの判定（通常処理におけるステップＳ４０６の処理）を行い、停電フラグが格納されている場合には通常処理におけるステップＳ４０８〜ステップＳ４１２の処理を行うことによって、報知処理に関する情報をＲＡＭ３１３に記憶したとしても無限ループにおいてパチンコ機１０の電源が遮断され再び電源が投入された場合にステップＳ１８０６にてＲＡＭ判定値が異常と判定されることを抑制できる。
【０４７７】
ここで、遊技規制状態の解除方法について説明する。この遊技規制状態を解除するには、パチンコ機１０の電源を遮断した後に、ＲＡＭ消去スイッチ２４７を操作しながらパチンコ機１０の電源を投入すればよい。この場合、メイン処理におけるステップＳ１８０３にてＲＡＭ消去スイッチ２４７がオンであると判定されステップＳ１８１２に進み、上述した音声初期化コマンドの出力を行う。続くステップＳ１８１３では、従側の制御基板となる払出制御基板３２２を初期化するために、払出初期化コマンド等を出力する。続くステップＳ１８１４ではＲＡＭ３１３の使用領域を０にクリアする。すなわち、ステップＳ１８１４にてＲＡＭ３１３の使用領域を０にクリアすることによって各検知状態格納エリア３１３ａ，３１３ｂにおける検知状態もクリアされることとなる。ステップＳ１８１４の処理を行ったら、ステップＳ１８１５にてＲＡＭ３１３の初期化処理を実行する。その後にステップＳ１８１６にて割込み許可を設定し、通常処理が実行されることとなる。換言すると、ＲＡＭ消去スイッチ２４７を操作しながらパチンコ機１０に電源を投入した場合には、ステップＳ１８０９にて検知状態が一致しているか否かが判定されることなく、通常処理が行われることとなる。よって、ＲＡＭ消去スイッチ２４７を操作しながらパチンコ機１０に電源を投入することによって遊技規制状態を解除することが可能となる。
【０４７８】
本実施形態では、ＲＡＭ３１３の初期化処理を行わないと、遊技規制状態が解消されないようにした。これにより、前扉枠１４が開放された後にＲＡＭ３１３のデータが不正に書き換えられていたとしても、ＲＡＭ３１３の初期化処理を行うことによってそのデータの不正な書換えを無効とすることが可能となる。
【０４７９】
本実施形態によれば検知状態が一致しなかったにも関わらず、パチンコ機１０にて遊技が行われることを抑制することが可能となる。検知状態が一致しなかった場合には不正に前扉枠１４が開放されパチンコ機１０に対して不正行為が行われた可能性がある。仮に、検知状態が一致しなかったにも関わらず遊技を行うことができるとすると、不正行為が行われた場合にも遊技が行われてしまう可能性がある。これに対して本実施形態によれば、検知状態が一致しなかった場合には、遊技を規制することができるため、パチンコ機１０に不正行為が行われた可能性があるにも関わらず、そのパチンコ機１０にて遊技が行われてしまうことを抑制することが可能となる。
【０４８０】
なお、本実施形態では、第１の実施形態においてメイン処理にて検知状態が一致しなかった場合に、遊技を規制するものについて説明したが、この構成を他の実施形態に対して適用してもよい。例えば、第４の実施形態に対して適用する場合、図３９のメイン処理におけるステップＳ９１６にて検知状態が一致しなかった場合に、ステップＳ９１７及びステップＳ９１８の処理を行うことなく、本実施形態におけるステップＳ１８１７以下の処理を行えばよい。また、遊技規制状態を解除する場合におけるＲＡＭ３１３の初期設定を行う場合に、各監視装置２５１，２５２の検知状態を把握し、その検知状態を各検知状態格納エリア３１３ａ，３１３ｂに格納することによって、タイマ割込み処理の前扉枠開放監視処理において検知状態が一致しないと判定されることを抑制できる。なお、これらは、メイン処理にて検知状態が一致しなかった場合に遊技を規制する構成を、第５の実施形態に適用する場合においても同様である。
【０４８１】
（第９の実施形態）
上記第８の実施形態では、パチンコ機１０が遊技規制状態となった場合には、メイン処理においてＲＡＭ３１３の初期設定が行われない限り、パチンコ機１０にて遊技を行うことができない遊技規制状態となったが、かかる構成を変更する。すなわち、本実施形態では、ＲＡＭ３１３の初期設定が行われなくとも遊技規制状態を解除することができる。本構成について図５４〜５６を用いて説明する。なお、パチンコ機１０の基本構成については、上記第１，第８の実施形態と同様のため、説明を省略する。
【０４８２】
先ず、本実施形態の電源遮断中における前扉枠１４及び遊技機主部１２の不正開放の監視に関する電気的構成について、図５４のブロック図に基づいて説明する。
【０４８３】
本実施形態では、上記第１の実施形態における第１検知状態格納エリア３１３ａ，第２検知状態格納エリア３１３ｂに加え、解除用カウンタエリア３１３ｅが設けられている。パチンコ機１０が遊技規制状態となった場合には、ＲＡＭ消去スイッチ２４７が所定期間に亘りオンとなり続けることによって遊技規制状態が解除されることとなる。解除用カウンタエリア３１３ｅはＲＡＭ消去スイッチ２４７がオンとなっている期間を計測するために用いるものである。
【０４８４】
次に、本実施形態におけるメイン処理について図５５を用いて説明する。なお、ステップＳ１９０１〜ステップＳ１９１７については第８の実施形態のメイン処理におけるステップＳ１８０１〜ステップＳ１８１７と同様のため説明を省略する。
【０４８５】
本実施形態では、ステップＳ１９１７の報知処理を行った後にステップＳ１９１８に進み、解除処理を実行する。解除処理とは遊技規制状態となった場合に、その遊技規制状態の継続及び解除を行うための処理である。この解除処理について図５６を用いて説明する。
【０４８６】
先ず、解除処理におけるステップＳ２００１にて解除用カウンタエリア３１３ｅに基準値として１００００００をセットする。解除用カウンタエリア３１３ｅに１００００００をセットしたらステップＳ２００２に進み、ＲＡＭ消去スイッチ２４７がオンとなっているか否かを判定する。ＲＡＭ消去スイッチ２４７がオンとなっていない場合にはステップＳ２００１に戻ることとなる。一方、ステップＳ２００２にてＲＡＭ消去スイッチ２４７がオンとなっている場合には、ステップＳ２００３に進み、解除用カウンタエリア減算処理を行う。解除用カウンタエリア減算処理では、解除用カウンタエリア３１３ｅの値を１ディクリメントする。
【０４８７】
解除用カウンタエリア減算処理を行ったらステップＳ２００４に進み、解除用カウンタエリア３１３ｅの値が０か否かを判定する。解除用カウンタエリア３１３ｅの値が０でない場合ステップＳ２００２に戻り、解除用カウンタエリア３１３ｅの値が０である場合にはステップＳ２００５に進むこととなる。
【０４８８】
なお、詳細な説明は省略するが、本実施形態では、ＲＡＭ消去スイッチ２４７の操作が開始されてから所定期間（例えば、５秒）が経過した場合に解除用カウンタエリア３１３ｅの値が０となる。すなわち、ＲＡＭ消去スイッチ２４７の操作が行われている場合、ステップＳ２００２〜ステップＳ２００４の処理が繰り返し行われ、そのＲＡＭ消去スイッチ２４７の操作がされ続けたまま所定期間が経過した場合にステップＳ２００４にて肯定判定されるようになっている。
【０４８９】
また、本実施形態では、ＲＡＭ消去スイッチ２４７が操作されたとしても、所定期間が経過する前にＲＡＭ消去スイッチ２４７の操作を中止した場合には、ステップＳ２００２にてＲＡＭ消去スイッチ２４７がオンではない（ステップＳ２００２がＮＯ）と判定され、ステップＳ２００１に戻り、解除用カウンタエリア３１３ｅに再び１００００００がセットされることとなる。このため、ＲＡＭ消去スイッチ２４７を操作したとしても、所定期間が経過する前にＲＡＭ消去スイッチ２４７の操作を中止した場合には、再度ＲＡＭ消去スイッチ２４７を操作し、その操作を所定期間続けなければ解除用カウンタエリア３１３ｅの値が０となることはない。よって、解除処理では、ＲＡＭ消去スイッチ２４７が所定期間に亘り操作され続けるまでは、ステップＳ２００１〜ステップＳ２００４の処理が繰り返し行われることとなる。これにより、ＲＡＭ消去スイッチ２４７が所定期間に亘り操作され、解除処理が終了するまで、通常処理が行われないこととなる。換言するとステップＳ２００１〜ステップＳ２００４の処理が繰り返し行われることによってパチンコ機１０の遊技を規制する遊技規制状態となるよう制御しているということも可能となる。さらには、遊技規制状態となるよう制御され通常処理及びタイマ割込み処理が行われないことによって、遊技の進行を停止しているともいうことができる。換言すると、遊技規制状態となることによって、遊技を進行させる上で実行される処理が行われないようにする処理を実行しているということもできる。
【０４９０】
ステップＳ２００４にて、ＲＡＭ消去スイッチ２４７の値が０であった場合には、ステップＳ２００５に進み、検知状態更新処理を行う。検知状態更新処理とは、各監視装置２５１，２５２の検知状態の情報が各検知状態格納エリア３１３ａ，３１３ｂに格納されている検知情報の情報と一致するように、各検知状態格納エリア３１３ａ，３１３ｂに格納されている検知状態の情報の更新を実行する処理である。具体的には、第１の実施形態にて説明した第１更新処理及び第２更新処理を行う。この検知状態更新処理を行うことによって、電断時更新処理が行われないような不測の電断状態が発生したとしても、その電断状態が発生した後にパチンコ機１０に電源が投入された場合に、遊技規制状態となってしまうことを抑制できる。
【０４９１】
検知状態更新処理を行ったら、ステップＳ２００６に進み、報知解除処理を行う。報知解除処理では、音声ランプ制御基板３２４に報知解除用コマンドを出力する。これにより、スピーカ部２６からの報知音の出力、エラー表示ランプ部２４の点灯、及び図柄表示装置９１での報知表示の解除が行われる。また、報知解除処理では、遊技ホールに設けられたホールコンピュータに外部端子板２１３を介して解除信号を出力する。なお、報知解除処理は、上記のものに限定されることはなく、例えば、解除信号を出力しなくともよい。但し、少なくとも、報知音の出力、エラー表示ランプ部２４の点灯、及び図柄表示装置９１での報知表示の解除が行われることが望ましい。報知解除処理を行ったら本解除処理を終了し、図５５のメイン処理におけるステップＳ１９１０に進む。
【０４９２】
また、本実施形態では、この検知状態が一致しなかった場合の検知結果や、ステップＳ１９１７にて行われる報知処理に関する信号はＣＰＵ３１１に設けられたレジスタに記憶されることとなる。これにより、ステップＳ１９０９にて検知状態が一致せずステップＳ１９１７以下の処理を行っている場合に、パチンコ機１０の電源が遮断され再びパチンコ機１０の電源が投入されたとしても、ステップＳ１９０６にてＲＡＭ判定値が異常と判定されることなく、ステップＳ１９０９にて検知状態が一致しないと判定され、解除処理が行われることとなる。
【０４９３】
本実施形態では、上記第８の実施形態と異なり、遊技規制状態となったとしても所定の操作を行うことによって、ＲＡＭ３１３の初期設定を行うことなくその遊技規制状態を解除することができる。また、パチンコ機１０の電源を遮断することなく、遊技規制状態を所望のタイミングで解除することができる。
【０４９４】
また、ＲＡＭ消去スイッチ２４７はパチンコ機１０の背面に設けられているため、遊技ホールの管理者等以外の者によりＲＡＭ消去スイッチ２４７が操作されてしまうことが抑制できる。さらには、ＲＡＭ３１３の初期化をする場合に操作されるＲＡＭ消去スイッチ２４７が遊技規制状態を解除する上での操作手段として兼用されるため、構成の簡素化を図ることができる。
【０４９５】
さらに、ＲＡＭ消去スイッチ２４７を操作し続けている期間が所定期間に達することで遊技規制状態を解除するようにした。これにより、実際にはＲＡＭ消去スイッチ２４７が操作されていないにも関わらず、ノイズなどの影響で制御手段に対して解除操作手段が操作された旨の信号が入力された場合に、遊技規制状態が解除されないようにすることができる。
【０４９６】
（他の実施形態）
なお、上述した各実施形態の記載内容及び各実施形態を相互に組み合わせたものに限定されず、例えば次のように実施してもよい。
【０４９７】
（１）監視装置の変形例を、図５７を参照して説明する。図５７は別の監視装置４６０の内部構成を説明するための説明図であり、図５７（ａ）は自然状態を示し、図５７（ｂ）は最大押圧状態を示し、図５７（ｃ）は最大押圧状態から自然状態に復帰する途中の状態を示す。
【０４９８】
図５７（ａ）に示すように、監視装置４６０は、四角箱状のハウジング４６１を備えている。ハウジング４６１にはプッシャ４６２が設けられており、プッシャ４６２はその一端側がハウジング４６１外に突出している。プッシャ４６２はバネ４６３によりハウジング４６１の外方に向けて付勢されており、その付勢力に抗する力で押圧されることでハウジング４６１内に向けて移動する。
【０４９９】
ハウジング４６１には、連動ギア４６４が設けられている。連動ギア４６４は、その回転軸方向がプッシャ４６２の移動方向と交差している（具体的には、直交している）。連動ギア４６４は、第１ギア４６５と、当該第１ギア４６５よりも小型の第２ギア４６６とが一体形成されたものであり、これら第１ギア４６５及び第２ギア４６６は各回転軸が同一軸線上に位置するようにして当該軸線方向に並設されている。なお、これら第１ギア４６５と第２ギア４６６とが別体であり、両者を一体化して連動ギア４６４を構成してもよい。連動ギア４６４のうち第１ギア４６５は、その外周に、二等辺三角形の歯が連続して形成されたものであり、第２ギア４６６は、回転方向を一方に制限するためのラチェットとして形成されている。
【０５００】
連動ギア４６４は、プッシャ４６２が最大押圧位置から自然状態に復帰する際に回転する。当該構成について詳細には、プッシャ４６２にはその側面から突出する爪部材４６７が取り付けられている。爪部材４６７はプッシャ４６２の内部に形成された穴部４６８に一端側が挿入されており、バネ４６９により外方に向けて付勢されている。そして、爪部材４６７に対してバネ４６９の付勢力に抗する力が加えられた場合、爪部材４６７は穴部４６８内方に向けて移動する。
【０５０１】
爪部材４６７は、自然状態において第２ギア４６６の周面と当接している。この場合、第２ギア４６６は、プッシャ４６２が最大押圧位置に向けて移動する場合には爪部材４６７が第２ギア４６６の歯を乗り越え、プッシャ４６２が最大押圧位置から自然状態に復帰する際に爪部材４６７が第２ギア４６６の歯に食い込むようになっている。
【０５０２】
連動ギア４６４は、ハウジング４６１に設置されたストッパ４７０により移動が規制されており、プッシャ４６２が最大押圧位置から自然状態に復帰するタイミング以外において回転しないようになっている。この場合、ストッパ４７０の先端は、第１ギア４６５の歯と噛み合う山形状となっている。また、ストッパ４７０は、金属（又は合成樹脂）により薄板状に形成されており、板バネとして機能する。そして、この板バネの付勢力は、プッシャ４６２を押圧するバネ４６３の付勢力よりも小さくなっている。
【０５０３】
上記構成においては、プッシャ４６２が自然状態から最大押圧位置に移動する場合、爪部材４６７は第２ギア４６６の歯を乗り越えるため、図５７（ｂ）に示すように、連動ギア４６４は回転しない。一方、プッシャ４６２が最大押圧位置から自然状態に復帰する場合、爪部材４６７は第２ギア４６６の歯に食い込む。そして、この食い込みにより、図５７（ｃ）に示すように、連動ギア４６４をストッパ４７０の付勢力に抗して回転させる。その後、図５７（ａ）に示すように、プッシャ４６２が自然状態に復帰することで、連動ギア４６４は第１ギア４６５の歯とストッパ４７０の先端とが噛み合った状態となる。つまり、連動ギア４６４は、プッシャ４６２が最大押圧位置から自然状態に移動する場合に特定方向に回転し、その回転量は第１ギア４６５の１つの歯分となっている。さらに言うと、連動ギア４６４は、複数（具体的には、第１ギア４６５の歯の数分）の待機位置を有しており、プッシャ４６２が最大押圧位置から自然状態に移動する場合に一の待機位置から次の待機位置に回転する。
【０５０４】
上記連動ギア４６４を備えた構成において、監視装置４６０には上記第１の実施形態と同様の検知装置が内蔵されている。また、連動ギア４６４の第１ギア４６５における第２ギア４６６側とは反対側の面には被検知部が設けられている。そして、これら検知装置及び被検知部により、連動ギア４６４の待機位置が検知され、遊技機の電源投入中においてその検知結果が制御装置に出力される。
【０５０５】
以上説明した監視装置４６０によれば、プッシャ４６２の移動に連動した連動ギア４６４の回転が確実に行われるように、プッシャ４６２を押圧するバネ４６３の付勢力とストッパ４７０の付勢力とを正確に調整する必要がある点で上記第１の実施形態の監視装置２５０よりも設計が難化するものの、開閉体の不正開放が行われた場合には検知状態が変更されるため、当該不正開放に対処することができる。また、開閉体が閉鎖操作された場合には検知状態が変更することなく、開閉体が開放操作された場合に検知状態が変更するようにすることができる。
【０５０６】
（２）監視装置２５０，４２０の構成を、複数段階の検知状態の１つを初期検知状態として設定するとともに、監視装置２５０，４２０に電動アクチュエータを設け、外部電源からの電力供給が遮断される場合には、当該電動アクチュエータを駆動させることで監視装置２５０，４２０の検知状態を初期検知状態に変更させる構成としてもよい。当該構成においては、外部電源からの電力供給が遮断される場合には監視装置２５０，４２０の検知状態は必ず初期検知状態となる。したがって、電力供給が遮断される場合にＲＡＭ３１３，４３３に監視装置２５０，４２０の検知状態を記憶させる必要はない。また、ＲＯＭ３１２，４３２に初期検知状態を記憶させておき、外部電源からの電力供給が開始された場合には、ＲＯＭ３１２，４３２に記憶された初期検知状態と、電力供給の開始後に把握した監視装置２５０，４２０の検知状態とを比較することで、電力供給が遮断されている状況において開閉体の不正な開閉操作が行われたか否かを確認することができる。
【０５０７】
（３）監視装置２５０，４２０を、開閉体の開閉操作に連動して電気的に動作することで検知状態（待機状態）が変更される構成としてもよい。但し、本構成においては、監視装置２５０，４２０に対して、遊技機の電源機能とは独立した電源機能を設ける必要がある点で、上記各実施形態よりも遊技ホール等におけるランニングコストの増加を招くこととなるため、この点、上記各実施形態における構成が好ましい。
【０５０８】
（４）検知装置２５８において待機位置を検知するための構成を、上記各実施形態とは異なるものとしてもよい。例えば、上記第１の実施形態において、円盤２６２の裏面に発光素子を複数設けるとともに、それら発光素子を各待機位置に対応させて設置する。また、検知装置２５８には、上記発光素子から照射された光を受光する受光素子を設ける。そして、円盤２６２の待機位置に応じて、光を受光する受光素子の組合せを異ならせる。当該構成によれば、発光素子及び受光素子を設ける必要がある点で上記第１の実施形態よりも構成が複雑化するものの、検知装置２５８において円盤２６２の待機位置を検知することができる。
【０５０９】
（５）監視装置２５０は、監視対象の開閉体が開放状態から閉鎖操作されたとしても検知状態（待機状態）が変更されることはなく、開閉体が閉鎖状態から開放操作された場合に検知状態（待機状態）が変更される構成としたが、これを変更してもよい。
【０５１０】
（５−１）例えば、開閉体が閉鎖状態から開放操作された場合に、検知状態（待機状態）が変更される構成としてもよい。
【０５１１】
（５−２）また、開閉体が閉鎖状態から開放操作された場合及び開閉体が開放状態から閉鎖操作された場合の両方において、それぞれ検知状態（待機状態）が変更される構成としてもよい。具体的には、監視装置２５０においてケース側リブ２７７、ケース側カム溝２７８、回転子側カム溝２８４及び回転子側リブ２８５の数を上記第１の実施形態よりも半減させ、その分、これらの幅寸法を大きくする。これにより、プッシャ２６６が押圧された場合及び押圧位置から自然状態に復帰した場合のいずれにおいても円盤２６２の待機位置が変更されるようにすることができる。
【０５１２】
上記のように開閉体が閉鎖状態から開放操作された場合及び開閉体が開放状態から閉鎖操作された場合の両方において、それぞれ検知状態（待機状態）が変更される構成とした場合、当該監視装置を外部電源からの電力供給が行われている状況での開閉体の開放を監視する装置として兼用することが可能となる。具体的には、検知状態（待機状態）を３個以上の偶数個（４個，６個，８個又は２ｎ）設定し、開閉体の開放状態における検知状態と開閉体の閉鎖状態における検知状態とを同数とする。また、主制御装置１６２のＲＯＭ３１２には、開閉体の開放状態における検知状態の開放情報群と、開閉体の閉鎖状態における検知状態の閉鎖情報群とを予め記憶させておく。そして、外部電源からの電力供給が行われている状況においては、監視装置の検知状態を定期的に把握することで、検知状態が開放情報群に含まれる情報に該当する場合には開閉体が開放状態であることを特定することができ、検知状態が閉鎖情報群に含まれる情報に該当する場合には開閉体が閉鎖状態であることを特定することができる。よって、監視装置において、外部電源からの電力供給が行われている状況での開閉体の開放を監視することが可能となる。本構成の場合、上記第２の実施形態と同様に、前扉枠開放センサ７８及び本体枠開放センサ２３０を不具備とすることが可能となり、上記第１の実施形態に比べ、部材点数の削減を図ることが可能となる。
【０５１３】
（６）上記第１の実施形態における監視装置２５０では、プッシャ２６６への押圧力が解除された場合における円盤２６２の移動量の設定と、金属端子２９４の隆起接点部２９５に対する被検知部２９８の位置の設定と、により、少なくとも開閉体が閉鎖状態から開放操作された場合に検知状態（待機状態）が変更される。したがって、本監視装置２５０を用いて、外部電源からの電力供給が行われている状況で開閉体が開放されたことを検知することが可能であり、それに伴って外部電源からの電力供給が行われている状況での開閉体の不正開放を監視することが可能となる。具体的には、タイマ割込み処理などにおいて監視装置２５０の検知状態を定期的に把握し、その把握した検知状態が前回把握した検知状態と一致しているか否かを特定する。なお、前回把握した検知状態の特定は、検知状態の把握を行う度にその把握した検知状態をＲＡＭ３１３に記憶させるといった更新処理を実行することで可能である。
【０５１４】
把握した検知状態が前回把握した検知状態と一致していない場合には、それは開閉体が開放されたことを意味し、その事実を主制御装置１６２にて把握することが可能となる。そして、主制御装置１６２において開閉体が開放されたことを把握した場合には、特定出力処理として、表示画面を有する表示装置、スピーカ又はランプの少なくとも一つにおいて所定時間報知を行う構成とすることで、開閉体が開放されたことをパチンコ機１０において報知することが可能となる。また、特定出力処理として、遊技ホールの管理装置（ホールコンピュータ）に開放検知信号を出力することで、例えば、当該管理装置において開閉体が開放された履歴を記憶したり、遊技ホールの監視カメラを該当するパチンコ機１０に向けたりすることが可能となる。本構成の場合、上記第２の実施形態と同様に、前扉枠開放センサ７８及び本体枠開放センサ２３０を不具備とすることが可能となり、上記第１の実施形態に比べ、部材点数の削減を図ることが可能となる。
【０５１５】
（７）上記各実施形態では、連動体として、プッシャ２６６の移動に応じて回転する円盤２６２を設けたが、これを変更してもよい。例えば、連動体として、プッシャ２６６の移動に応じて直線的に移動する直線可動部材を設けてもよい。具体的には、プッシャ２６６の移動方向と同一方向に移動するように直線可動部材を設置する。直線可動部材にはその移動方向に複数の押圧受け部を並設し、プッシャ２６６が押圧位置に移動する度に移動方向奥側の所定位置にある押圧受け部が押されて直線可動部材が移動するようにすることで、プッシャ２６６が押圧される度に直線可動部材が奥側に段階的に移動するようにする。そして、直線可動部材の移動方向の位置を検知する検知装置を設ける。当該構成であっても、監視装置２５０，４２０において待機状態（又は検知状態）が変更されることとなり、開閉体の不正開放を監視することは可能である。但し、本構成では、直線可動部材を初期状態に復帰させる電動アクチュエータを設ける必要が生じる。
【０５１６】
（８）上記各実施形態では、通常時更新処理及び電断時更新処理において、新たに確認した監視装置２５１，２５２の検知状態がＲＡＭ３１３，４３３に記憶されている検知状態と異なっている場合に、ＲＡＭ３１３，４３３における検知状態の情報の更新を行う構成としたが、これに代えて、前者の検知状態と後者の検知状態とが異なっているか否かに関係なく、ＲＡＭ３１３，４３３における検知状態の情報の更新を行うようにしてもよい。当該構成であっても、検知状態が変更された場合にはその検知状態がＲＡＭ３１３，４３３に記憶されることとなる。
【０５１７】
（９）上記各実施形態において、メイン処理にて、ＲＡＭ３１３，４３３に記憶されている検知状態と、電力供給が開始された後に把握した検知状態とが異なっていると判定した場合には、ＲＡＭ消去スイッチ２４７が押されていた場合や、電源遮断の発生情報が設定されていない場合や、ＲＡＭ判定値（チェックサム値等）により記憶保持されたデータの異常が確認された場合と同様に、音声ランプ初期化コマンドを出力する構成としてもよい。
【０５１８】
（１０）上記第１の実施形態等では、前扉枠１４及び遊技機主部１２の両方に対して監視装置２５０を設けたが、いずれか一方に対して監視装置２５０を設ける構成としてもよい。
【０５１９】
（１１）上記第１の実施形態等では、各監視装置２５１，２５２を主制御装置１６２と電気的に接続し、当該主制御装置１６２にて、検知状態の記憶、検知状態の比較、開閉体の開放操作の特定や報知処理のいずれかを行うようにしたが、これを変更してもよい。例えば、音声ランプ制御装置１４３、払出制御装置２４２、電源及び発射制御装置２４３又は表示制御装置３２５等にて、検知状態の記憶、検知状態の比較、開閉体の開放操作の特定や報知処理のいずれかを行うようにしてもよい。また、監視装置２５１，２５２専用の制御装置を設け、当該専用の制御装置にて、検知状態の記憶、検知状態の比較、開閉体の開放操作の特定や報知処理のいずれかを行うようにしてもよい。このように主制御装置１６２以外の制御装置において検知状態の記憶、検知状態の比較、開閉体の特定や報知処理を行う構成においては、その制御装置の基板ボックスには主制御装置１６２と同様に、カシメや封印シールといった開放に際して痕跡を残す痕跡手段を設けることが好ましい。
【０５２０】
（１２）上記第１の実施形態において、第１監視装置２５１と前扉枠１４との間に押圧片を介在させ、前扉枠１４を本体枠１３に対して閉鎖した場合にはその押圧片により第１監視装置２５１のプッシャ２６６が押圧される構成としてもよい。また、第２監視装置２５２と外枠１１との間に押圧片３００を不具備とし、遊技機主部１２を外枠１２に対して閉鎖した場合には当該外枠１２により第２監視装置２５２のプッシャ２６６が押圧される構成としてもよい。
【０５２１】
（１３）上記第１の実施形態では、一般入賞口８２、可変入賞装置８３、及び作動口８４などの入球部に遊技球が入った場合には、遊技球を払い出す特典を付与する構成としたが、かかる構成に限定されるものではなく、遊技者に何らかの特典が付与される構成であればよい。例えば、入球部に遊技球が入った場合に遊技球以外の賞品を払い出す構成であってもよい。
【０５２２】
（１４）上記各実施形態とは異なる他のタイプのパチンコ機等、例えば特別装置の特定領域に遊技球が入ると電動役物が所定回数開放するパチンコ機や、特別装置の特定領域に遊技球が入ると権利が発生して大当たりとなるパチンコ機、他の役物を備えたパチンコ機、アレンジボール機、雀球等の遊技機にも、本発明を適用できる。
【０５２３】
また、例えば、取込装置を備え、貯留部に貯留されている所定数の遊技球が取込装置により取り込まれた後にスタートレバーが操作されることによりリールの回転を開始する、パチンコ機とスロットマシンとが融合された遊技機にも、本発明を適用できる。
【０５２４】
（１５）上記第６の実施形態では、主制御装置１６２のＲＯＭ４３２に、開閉体が開放状態にある場合における監視装置４２０の全検知状態の情報と、開閉体が閉鎖状態にある場合における監視装置４２０の全検知状態の情報とが記憶されている構成としたが、これを変更してもよい。例えば、開閉体が開放状態にある場合における監視装置４２０の全検知状態の情報、又は開閉体が閉鎖状態にある場合における監視装置４２０の全検知状態の情報のいずれかが記憶されている構成としてもよい。例えば、ＲＯＭ４３２に、開閉体が開放状態にある場合における監視装置４２０の全検知状態の情報が記憶されている構成においては、監視装置４２０の検知状態がＲＯＭ４３２に記憶されている検知状態の情報のいずれかと同一である場合には開閉体が開放状態であることを特定でき、監視装置４２０の検知状態がＲＯＭ４３２に記憶されている検知状態の情報のいずれとも同一でない場合には開閉体が閉鎖状態であることを特定できる。よって、当該構成であっても、上記第５の実施形態と同様の効果を得ることができるとともに、開閉体の開放の監視に関してＲＯＭ４３２に必要な記憶容量の削減が図られるというさらなる効果を得ることができる。
【０５２５】
（１６）上記第６の実施形態において、開閉体が開放状態にある場合における監視装置４２０の全検知状態に共通の情報を付与するとともに、開閉体が閉鎖状態にある場合における監視装置４２０の全検知状態にも開放状態の場合とは異なる共通の情報を付与する構成としてもよい。具体的には、検知装置２５８の金属端子２９４を上記第５の実施形態よりも多く設ける。そして、開閉体が開放状態にある場合には、円盤２６２がいずれの待機位置であってもベース金属端子と導通が確保される金属端子群の中に第１特定金属端子が含まれる構成とするとともに、開閉体が閉鎖状態にある場合には、円盤２６２がいずれの待機位置であってもベース金属端子と導通が確保される金属端子群の中に第２特定金属端子が含まれる構成とする。
【０５２６】
本構成の場合、開閉体が開放状態にある場合における監視装置４２０の全検知状態の情報と、開閉体が閉鎖状態にある場合における監視装置４２０の全検知状態の情報とを主制御装置１６２のＲＯＭ４３２に記憶させておかなくてもよい。つまり、開放状態における共通の情報と閉鎖状態における共通の情報とをＣＰＵ４３１において特定可能とするとともに、それら共通の情報のみをＲＯＭ４３２に記憶させておくことで、外部電源から電力供給が行われている状況において開閉体が開放されたか否かを特定することができる。本構成によれば、検知装置２５８の構成が上記第５の実施形態よりも複雑化するものの、開閉体の開放の監視に関してＲＯＭ４３２に必要な記憶容量の削減が図られる。
【０５２７】
（１７）上記第４〜第７の実施形態において、ＣＰＵ３１１，４３１のタイマ割込み処理において実行する第１開放監視処理や第２開放監視処理を通常処理（図３１）にて実行してもよい。本構成の場合、２ｍｓｅｃ周期という比較的短い周期で起動されるタイマ割込み処理の１回の処理時間を上記各実施形態よりも短くすることが可能となる。
【０５２８】
（１８）監視装置２５１，２５２の設置箇所は上記各実施形態における箇所に限定されることはなく、例えば、上記第４の実施形態において監視装置２５１，２５２を開閉体の開閉先端側に設置する構成としてもよい。
【０５２９】
（１９）上記第６の実施形態では、監視装置４２０のプッシャ２６６は、支持対象に対して開閉体が閉鎖されている場合に押圧力が付与されて最大押圧位置に待機し、支持対象に対して開閉体が開放された場合に押圧力の付与が解除されて自然状態の位置に移動する構成としたが、これを変更してもよい。例えば、支持対象に対して開閉体が開放されている場合に押圧力が付与されて最大押圧位置に待機し、支持対象に対して開閉体が閉鎖されている場合に押圧力の付与が解除されて自然状態の位置に移動する構成としてもよい。
【０５３０】
具体的には、プッシャ２６６と開閉体との間に介在押圧部材を設ける。当該介在押圧部材は、例えば板状であり、その長手方向の途中位置に回動軸を有している。介在押圧部材の長手方向の一端は、開閉体を閉鎖した場合に当該開閉体の一部と当接するとともに、開閉体を開放した場合にその当接状態が解除されるものとする。また、介在押圧部材における上記回動軸を挟んだ長手方向の他端側に監視装置２５０を設け、介在押圧部材の上記一端が開閉体の一部と当接している場合に、介在押圧部材の上記他端が監視装置２５０のプッシャ２６６を押圧せず、介在押圧部材の上記一端が開閉体の一部と当接しない場合に、介在押圧部材の上記他端が監視装置２５０のプッシャ２６６を押圧するようにする。本構成であっても、開閉体の開放を監視することが可能である。
【０５３１】
（２０）上記第８の実施形態では、メイン処理におけるステップＳ１８０９にて検知状態が一致しなかった場合には通常処理が行われないことによって遊技規制状態としたが、何らかの方法にて遊技が実行されることを規制できればよい。
【０５３２】
例えば、検知状態が一致しなくとも通常処理には移行するが、通常処理における第１特定ランプ部制御処理が行われないものが考えられる。この場合、検知状態が一致しなかった場合には、遊技規制フラグをＲＡＭ３１３の遊技規制フラグ格納エリアにセットし、その遊技規制フラグがクリアされるまでは第１特定ランプ部制御処理を行うことなく通常処理を実行すればよい。遊技規制フラグがセットされている場合には第１特定ランプ制御処理が行われない遊技機の場合、通常処理におけるステップＳ４０１の外部出力処理が行われた後にステップＳ４０３の大入賞口開閉処理が行われることとなる。
【０５３３】
（２０−１）遊技規制フラグがセットされている場合、通常処理において遊技球発射制御処理が行われないものについて説明する。なお、基本構成は、上記第８の実施形態と同様のものであるため、ここでは第８の実施形態との相違点のみを説明する。
【０５３４】
先ず、本構成におけるメイン処理について図５８を用いて説明する。なお、本実施形態におけるステップＳ２１０１〜２１１６については第８の実施形態にて説明したメイン処理におけるステップＳ１８０１〜ステップＳ１８１６とそれぞれ同様のため、説明を省略する。
【０５３５】
本実施形態では、上記第８の実施形態とは異なり、ステップＳ２１０９にて検知状態が一致しなかった場合、ステップＳ２１１７に進み、遊技規制フラグをＲＡＭ３１３に設けられた遊技規制フラグ格納エリアにセットする。遊技規制フラグをセットしたら上述したステップＳ２１１０，ステップＳ２１１１，ステップＳ２１１６の処理を行った後に、通常処理を行う。すなわち、本構成では、ステップＳ２１０９にて検知状態が一致しなかったとしても、第８の実施形態のように無限ループを行うことなく、通常処理を開始することとなる。
【０５３６】
次に本構成における通常処理について図５９を用いて説明する。なお、本実施形態におけるステップＳ２２０１〜２２０４は、上記第１の実施形態における通常処理のステップＳ４０１〜４０４とそれぞれ同様のため、説明を省略する。また、本実施形態におけるステップＳ２２０６〜ステップＳ２２１３については、上記第１の実施形態における通常処理のステップＳ４０５〜ステップＳ４１２とそれぞれ同様のため、説明を省略する。
【０５３７】
本構成における通常処理では、ステップＳ２２０４にて第２特定ランプ部制御処理を行った後にステップＳ２２０５に進み、遊技規制フラグが遊技規制フラグ格納エリアにセットされているか否かを判定する。遊技規制フラグがセットされていなかった場合には、ステップＳ２２０６に進み、遊技球発射制御処理を行う。一方、ステップＳ２２０５にて遊技規制フラグがセットされていた場合、ステップＳ２２０６の遊技球発射制御処理を行うことなくステップＳ２２０７に進むこととなる。よって、遊技規制フラグがセットされている場合には、通常処理は行われるとしても遊技球発射制御処理が行われないため、遊技球を発射できなくすることができる。
【０５３８】
（２０−２）次に遊技規制フラグがセットされている場合、始動入賞処理が行われないものについて説明する。なお、本構成におけるメイン処理は（２０−１）にて説明したものと同様のものであるため、説明を省略する。すなわち、ステップＳ２１０９にて検知状態が一致しなかった場合には遊技規制フラグをセットした後にステップＳ２１１６にて割込み許可が設定され、通常処理が行われることとなる。
【０５３９】
本構成におけるタイマ割込み処理について図６０を用いて説明する。なお、本実施形態におけるステップＳ２３０１〜ステップＳ２３０３は、第１の実施形態におけるタイマ割込み処理のステップＳ２０１〜ステップＳ２０３と同様のものであるため、説明を省略する。
【０５４０】
本構成におけるタイマ割込み処理では、ステップＳ２３０３にて通常時更新処理を行った後にステップＳ２３０４に進み、遊技規制フラグがセットされているか否かを判定する。遊技規制フラグがセットされていなかった場合にはステップＳ２３０５に進み、始動入賞処理を行う。始動入賞処理については第１の実施形態におけるタイマ割込み処理のステップＳ２０４にて説明したものと同様のものであるため、説明を省略する。一方、ステップＳ２３０４にて遊技規制フラグがセットされていた場合、始動入賞処理を行うことなく、タイマ割込み処理を終了する。これにより、遊技規制フラグがセットされている場合には、始動入賞処理を行わせなくすることができる。本構成によれば、遊技規制フラグがセットされている場合には、通常処理が行われ遊技球を発射することはできるが、いずれかの入球部に遊技球が入球したとしてもその入球を無効とすることができる。
【０５４１】
なお、（２０−１），（２０−２）を第８の実施形態に適用した場合、一度遊技規制フラグがセットされた場合には、ＲＡＭ３１３の初期設定が行われるまでは、遊技球発射制御処理又は始動入賞処理が行われることがなくなる。
【０５４２】
また、本構成を第９の実施形態と同様に、ＲＡＭ消去スイッチ２４７が所定期間に亘り操作され続けたことによって遊技規制フラグをクリアすればよい。遊技規制フラグをクリアすることによって、ＲＡＭ３１３の初期設定を行うことなく、遊技球発射制御処理や始動入賞処理を開始させることができる。この場合、ＲＡＭ消去スイッチ２４７が所定期間に亘り操作され続けたか否かの判定を行えばよい。
【０５４３】
これらの場合、一部の処理を規制することによって、遊技が正常に行われることを抑制できる。よって、パチンコ機１０の電源が遮断されている場合に、前扉枠１４が開放され、不正行為が行われた可能性があるにも関わらず、遊技が進行してしまうことを抑制できる。
【０５４４】
（２１）上記第９の実施形態では、遊技規制状態となった場合にＲＡＭ消去スイッチ２４７を操作し続けることによってその遊技規制状態を解除するものであったが、遊技規制状態を解除するスイッチはＲＡＭ消去スイッチ２４７に限られるものではない。
【０５４５】
例えば、遊技規制状態を解除する専用のスイッチが設けられており、そのスイッチを予め定められた期間に亘り操作し続けることによって遊技規制状態が解除されてもよい。但し、そのスイッチはパチンコ機１０の前扉枠１４を開放しないと操作されない位置に設けられていることが望ましい。
【０５４６】
また、遊技規制状態を解除する場合に行う操作は、所定期間に亘りその操作をし続けることに限定せず、遊技規制状態を解除する場合に行う特定操作は任意である。例えば、ＲＡＭ消去スイッチ２４７を所定期間の間に複数回に亘って操作することによって遊技規制状態が解除されるものや、複数のスイッチを同時に操作することによって遊技規制状態が解除されるものが考えられる。
【０５４７】
（２２）上記各実施形態ではＲＡＭ消去スイッチ２４７はパチンコ機１０の背面にあったが、ＲＡＭ消去スイッチ２４７が設けられている場所は限定しない。
【０５４８】
例えば、スロットマシンのような遊技機において、ＲＡＭ消去スイッチ２４７が遊技機の内部に設けられているものが考えられる。なお、ＲＡＭ消去スイッチ２４７が遊技者に操作されないようにパチンコ機１０の前面側から操作することができない位置に設けられていることが望ましい。
【０５４９】
（２３）上記第９の実施形態では、ＲＡＭ消去スイッチ２４７が所定期間に亘り操作されているか否かを判定するのに、解除用カウンタエリア３１３ｅの値を減算することによってカウントしたが、かかる構成に限定しない。
【０５５０】
消去スイッチ２４７が操作されている期間は、解除用カウンタエリア３１３ｅにて加算処理を行い、解除用カウンタエリア３１３ｅの値が１００００００となった場合に遊技規制状態を解除すればよい。また、加算処理又は減算処理を行う場合でも、予め定められた値から加算処理又は減算処理を開始し、その値が遊技規制状態の解除に相当する値となったことに基づいて遊技規制状態を解除すればよい。また、遊技規制状態を解除するためにＲＡＭ消去スイッチ２４７を操作し続ける所定期間は５秒に限定されるものではなく、１秒、２秒、３秒、７秒、１０秒と何秒にしても構わない。この場合、それぞれの期間に対応した数値となるまで加算処理又は減算処理が行われた場合に遊技規制状態を解除すればよい。
【０５５１】
また、所定期間を計測する方法としてリアルタイムクロック等を用いてもよい。
【０５５２】
（２４）上記第１の実施形態では、メイン処理においてＲＡＭ消去スイッチ２４７がオンとなっていた場合（ステップＳ３０３がＹＥＳ）、停電フラグがなかった場合（ステップＳ３０４がＮＯ）、ＲＡＭ判定値が正常でなかった場合（ステップＳ３０６がＮＯ）又は検知状態が一致しなかった場合（ステップＳ３０９がＮＯ）は、ステップＳ３１２の報知処理に進むものであったが、いずれの処理に基づいて報知処理が行われるかによってその報知態様が異なっていてもよい。
【０５５３】
（２５）上記第８，第９の実施形態では、遊技規制状態となった場合には、パチンコ機１０の電源が遮断され再びパチンコ機１０の電源が投入されたとしても遊技規制状態が解除されることはなかったが、パチンコ機１０の電源が遮断され再びパチンコ機１０の電源が投入された場合には、遊技規制状態が解除されてもよい。
【０５５４】
例えば、上記第８，第９の実施形態では、遊技規制状態における情報をＣＰＵ３１１に設けられたレジスタに記憶したが、遊技規制状態における情報をＲＡＭ３１３に記憶するものが考えられる。この場合、パチンコ機１０の電源が遮断され、再びパチンコ１０の電源が投入された場合には、遊技規制状態における情報をＲＡＭ３１３に記憶したために、メイン処理においてＲＡＭ判定値が異常と判定され、ＲＡＭ３１３の初期設定が行われた後に、通常処理が行われることとなる。よって、遊技規制状態となったとしてもパチンコ機１０の電源が遮断された後に再びパチンコ機１０の電源が投入された場合には、遊技規制状態を解除することが可能となる。
【０５５５】
（２６）上記第８，第９の実施形態において、遊技規制状態にて割込み禁止の設定を繰り返すようにしてもよい。具体的には、第８の実施形態では、ステップＳ１８１７の処理を行った後に、割込み禁止の設定を繰り返すようにすればよい。また、第９の実施形態では、ステップＳ２００１とステップＳ２００２とが繰り返し行われている場合に、割込み禁止の設定を繰り返し行うようにすればよい。
【０５５６】
パチンコ機１０にはノイズが発生することがあり、ノイズの影響によって割込み許可が設定されてしまうことが考えられる。割込み許可が設定されることにより、タイマ割込み処理が行われてしまうことが考えられる。これに対して、本構成を適用した場合、周期的に割込み禁止の設定が行われることによって、ノイズ等の影響によって割込み許可が設定されたとしても、割込み処理が行われることを抑制することが可能となる。
【０５５７】
（２７）上記第８，第９の実施形態では、パチンコ機１０の電源遮断時において前扉枠１４の開放が検知された場合には、メイン処理が終了しないことによって通常処理が行われないようにするものであったが、前扉枠１４の開放が検知された場合にはメイン処理は終了するが通常処理を開始しないことによって遊技規制状態としてもよい。この場合も、通常処理が行われないため、前扉枠１４が開放され、不正行為が行われた可能性があるにも関わらず、遊技が行われてしまうことを抑制できる。
【０５５８】
（２８）上述した各実施形態（第１〜第９の実施形態）における各構成及び他の実施形態における各構成のそれぞれを任意に組み合わせた構成としてもよい。例えば、一の実施形態の構成に対して、その他の実施形態の構成を適用してもよい。また、３パターン以上の実施形態の構成を相互に適用してもよい。上記の各構成を相互に適用したものについて一例を挙げて説明する。
【０５５９】
例えば、上記第３の実施例に対して第９の実施形態における検知状態が一致しなかった場合に遊技規制状態とする構成を適用したものが考えられる。
【０５６０】
この場合、スロットマシン４１０において、前面扉４１２が開放された場合には遊技規制状態とすればよい。遊技規制状態として、例えば、リールユニット４１４にて図柄の可変表示が行われない、ストップスイッチが操作されたとしてもその操作が無効となる、入賞役の抽選が行われないといったものが考えられる。この場合においても、前面扉４１２が開放され、不正行為が行われた可能性がある場合に遊技が行われてしまうことを抑制できる。
【０５６１】
（２９）上記各実施形態を相互に適用したものについて一例を挙げて説明する。例えば、第９の実施形態における検知状態が一致しなかった場合に遊技規制状態とし、所定操作によってその遊技規制状態が解除される構成を第５の実施形態に適用したものが考えられる。
【０５６２】
この場合、パチンコ機１０の電断状態において前扉枠１４が開放され検知状態が一致しなかった場合に遊技規制状態とすればよい。さらに、パチンコ機１０の電源が投入された状態においても、前扉枠１４が開放された場合に遊技規制状態としてもよい。また、パチンコ機１０の前扉枠１４が開放された場合の遊技規制状態として、遊技球発射制御が行われないものが考えられる。
【０５６３】
なお、パチンコ機１０に電源が投入されている状態において前扉枠１４の開放が検知された場合には、前扉枠１４が閉鎖されることによって遊技規制状態が解除されてもよい。この場合も報知処理が行われるため、ホールコンピュータにて前扉枠１４の開放を把握することが可能となる。
【０５６４】
さらに、実施形態を組み合わせたものはその他の実施形態（２８）及び本構成に限定されることはなく、上記第１乃至第９の実施形態，その他の実施形態をどのように組み合わせてもよい。
【０５６５】
（３０）上記第８，第９の実施形態において、報知処理が連続的又は断続的に行われるようにしてもよい。
【０５６６】
例えば、第８の実施形態において無限ループが行われている処理にて、報知処理も繰り返し行われるようにするものが考えられる。また、第９の実施形態において、ステップＳ２００１，ステップＳ２００２の処理が繰り返し行われている場合に、報知処理をも繰り返し行うようにするものが考えられる。また、報知処理が一定周期毎に行われるものが考えられる。この場合、遊技規制状態となっている場合には確実に遊技規制状態となっていることの報知を行わせることが可能となる。なお、ホールコンピュータに異常信号の出力を１回行い、その後に、スピーカ部２６からの報知音の出力、エラー表示ランプ部２４の点灯、及び図柄表示装置９１での報知表示を行うよう繰り返し、報知コマンドを出力するようにしてもよい。
【０５６７】
（３１）上記第８，第９の実施形態のメイン処理における復電コマンドの出力に基づいて音声ランプ制御装置１４３にも復電コマンドが出力されてもよい。復電コマンドが出力されたことに基づいて図柄表示装置９１にて正常にパチンコ機１０の復電が行われたことが報知される。また、検知状態が一致せず遊技規制状態となる場合には復電コマンドの出力が行われず、復電が行われたことが報知されない。これにより、復電が行われたことが報知されなかった場合に電断状態において前扉枠１４が開放されたことを把握することが可能となる。すなわち、復電コマンドが出力されることによって、音声ランプ制御装置１４３は、遊技が進行するよう制御を開始するということもできる。
【０５６８】
なお、この場合、復電が行われたことが報知されないことによって電断状態において前扉枠１４が開放されたことを把握できるため、第８，第９の実施形態のメイン処理における報知処理を実行しなくすることもできるが、ホールコンピュータに上記異常信号を出力することが望ましい。
【０５６９】
また、復電が行われたことの報知として、実際に復電が行われたことを報知してもよいし、図柄表示装置９１にデモ画面を表示する等、遊技の進行を行わせることが可能であることを報知してもよい。また、図柄表示装置９１にデモ画面を表示する場合、図柄表示装置９１においてデモ画面が表示されることによって電断状態において前扉枠１４が開放されなかったことを把握できるということもできる。さらには、メイン処理において、復電コマンドが出力されないことによって、電断状態において前扉枠１４が開放されたことを把握することができるということも可能となる。
【０５７０】
また、復電が行われた場合の報知は図柄表示装置９１を用いたものに限定されることはなく、スピーカ２６から報知音の出力を行うようにしてもよい。
【０５７１】
（３２）上記各実施形態では、主制御装置１６２から音声ランプ制御装置１４３にコマンドが出力されたことに基づいて、スピーカ部２６からの報知音の出力、エラー表示ランプ部２４の点灯、及び図柄表示装置９１の表示等が行われるものであったが、主制御装置１６２から表示制御装置３２５にコマンドが出力されたことに基づいて、スピーカ部２６からの報知音の出力、エラー表示ランプ部２４の点灯、及び図柄表示装置９１の表示等が行われてもよい。
【０５７２】
さらに、音声ランプ制御装置１４３と表示制御装置３２５とが同一の装置であり、当該装置に主制御装置１６２からコマンドが出力されることによってスピーカ部２６からの報知音の出力、エラー表示ランプ部２４の点灯、及び図柄表示装置９１の表示等が行われてもよい。
【符号の説明】
【０５７３】
１０…遊技機としてのパチンコ機、１１…外枠、１２…遊技機主体としての遊技機主部、１３…本体枠、１４…遊技機前面体としての前扉枠、２４…エラー表示ランプ部，２６…スピーカ部，９１…図柄表示装置，８２…一般入賞口、８３…可変入賞装置、８４…作動口、１５２…入賞口スイッチ、１５３…カウントスイッチ、１５４…作動口スイッチ、１６２…主制御装置、２２４…払出装置、２４２…払出制御装置、２４７…ＲＡＭ消去スイッチ、２５０…監視装置、２５６…ケース体としてのハウジング、２５８…検知装置、２６２…連動体及び回転体としての円盤、２６３…第１バネ、２６４…介在体としての回転子、２６６…移動体としてのプッシャ、２６６ｃ…移動体側突起としての突起、２７１…筒状領域、２７７…ケース側リブ、２７８…ケース側カム溝、２８５…介在体側突起としての回転子側リブ、２８９…介在体側カム部としての回転子側カム部、２９０…移動体側カム部としてのプッシャ側カム部、２９４…金属端子、２９８ａ…被検知部、３００…押圧片、３１１…ＣＰＵ、３１３…ＲＡＭ、３２１ｃ…電断時用電源手段としてのデータ記憶保持用コンデンサ。
【図１】
0005971379.tif 000002
【図２】
0005971379.tif 000003
【図３】
0005971379.tif 000004
【図４】
0005971379.tif 000005
【図５】
0005971379.tif 000006
【図６】
0005971379.tif 000007
【図７】
0005971379.tif 000008
【図８】
0005971379.tif 000009
【図９】
0005971379.tif 000010
【図１０】
0005971379.tif 000011
【図１１】
0005971379.tif 000012
【図１２】
0005971379.tif 000013
【図１３】
0005971379.tif 000014
【図１４】
0005971379.tif 000015
【図１５】
0005971379.tif 000016
【図１６】
0005971379.tif 000017
【図１７】
0005971379.tif 000018
【図１８】
0005971379.tif 000019
【図１９】
0005971379.tif 000020
【図２０】
0005971379.tif 000021
【図２１】
0005971379.tif 000022
【図２２】
0005971379.tif 000023
【図２３】
0005971379.tif 000024
【図２４】
0005971379.tif 000025
【図２５】
0005971379.tif 000026
【図２６】
0005971379.tif 000027
【図２７】
0005971379.tif 000028
【図２８】
0005971379.tif 000029
【図２９】
0005971379.tif 000030
【図３０】
0005971379.tif 000031
【図３１】
0005971379.tif 000032
【図３２】
0005971379.tif 000033
【図３３】
0005971379.tif 000034
【図３４】
0005971379.tif 000035
【図３５】
0005971379.tif 000036
【図３６】
0005971379.tif 000037
【図３７】
0005971379.tif 000038
【図３８】
0005971379.tif 000039
【図３９】
0005971379.tif 000040
【図４０】
0005971379.tif 000041
【図４１】
0005971379.tif 000042
【図４２】
0005971379.tif 000043
【図４３】
0005971379.tif 000044
【図４４】
0005971379.tif 000045
【図４５】
0005971379.tif 000046
【図４６】
0005971379.tif 000047
【図４７】
0005971379.tif 000048
【図４８】
0005971379.tif 000049
【図４９】
0005971379.tif 000050
【図５０】
0005971379.tif 000051
【図５１】
0005971379.tif 000052
【図５２】
0005971379.tif 000053
【図５３】
0005971379.tif 000054
【図５４】
0005971379.tif 000055
【図５５】
0005971379.tif 000056
【図５６】
0005971379.tif 000057
【図５７】
0005971379.tif 000058
【図５８】
0005971379.tif 000059
【図５９】
0005971379.tif 000060
【図６０】
0005971379.tif 000061